(57)【要約】  密封性に優れた注出口付き容器を提供すること。  注出口付き容器は、容器（１０）と注出口（１２）とを備え、注出口（１２）が、注出口本体（２０）と、注出口本体の筒内に収納された開封体（５０）と、開封体を移動させる起動体（８０）と、注出口本体における、収容部に臨む内開口部を覆う密封シート（１４）とを備え、開封体（５０）は、注出口本体（２０）から抜け出ない様に形成され且つ密封シート（１４）に向けて移動するように形成され、その中央に注出貫通孔（５６）が形成され、密封シート（１４）は、開封体（５０）により、その一部が切り裂かれて、容器（１０）の収容部（２００）と注出口本体（２０）の外開口部（２８）が開封体（５０）の注出貫通孔（５６）を介して外部と連通するように形成され、収容物を外部に注ぎ出すように形成されている。
2016199734.tif 000002
【特許請求の範囲】
【請求項１】
水素水を入れる容器と、容器に取り付けられた注出口本体における収容部に臨む内開口部を覆う密封シートとを備える、注出口付き容器であって、  密封シートのアルミニウム領域と容器の収容部の内面のアルミニウム領域とが密接して、水素水中の水素が容器及び注出口本体から抜け出にくい、注水口付き容器。
【請求項２】
注出口本体と、  注出口本体の筒内に収納された開封体と、  開封体を移動させる起動体と、  注出口本体における、収容部に臨む内開口部を覆う密封シートとを備え、  前記開封体は、注出口本体から抜け出ない様に形成され且つ密封シートに向けて移動するように形成され、その中央に注出貫通孔が形成され、  前記起動体は、注出口本体の外開口部側に取り付けられ、密封シート側にある開封体を密封シートに向けて移動させるように形成され、  前記密封シートは、アルミニウムを備えており、開封体により、少なくともその一部が切り裂かれて、容器の収容部と注出口本体の外開口部が開封体の注出貫通孔を介して外部と連通するように形成され、  容器の収容部内の収容物が外開口部より外部に注ぎ出すように形成された、請求項１に記載の注出口付き容器。
【請求項３】
水素水を収容するための収容部を含む容器と、前記収容部に臨み前記容器の端縁に取り付けられた注出口とを備える注出口付き容器であって、  前記注出口は、軸方向の貫通孔が形成された注出口本体と、前記注出口本体の軸方向の一方の端部に螺合された起動体と、前記注出口本体の前記貫通孔に挿入された開封体とを含み、前記注出口本体の貫通孔、前記起動体および前記開封体は、それぞれ、略円筒状に形成され、互いに平面視同心にされ、  前記容器の収容部と前記注出口本体の貫通孔とを遮蔽するように前記注出口本体の他方の端部に位置する底面に固着されることにより、前記容器の収容部を密封する密封シートをさらに備え、  前記注出口本体は、    前記軸方向の一方の端部近傍の外面に形成され、前記起動体が、前記容器の収容部と前記注出口本体の貫通孔とを連通するための周方向に沿った連通回転方向に回されることにより緩められ、前記軸方向上の前記密封シートから離れる第１の方向に移動するための、ネジの雄部を構成する第１の雄ネジ部と、    前記軸方向の他方の端部における貫通孔の内壁に形成され、前記開封体が、前記連通回転方向に回されることにより螺送され、前記軸方向上の前記密封シートに近づく第２の方向に移動するための、ネジの雌部を構成する第２の雌ネジ部とを有し、  前記起動体は、    前記注出口本体の軸方向の一方の端部に取り外し可能に螺合できるように、且つ前記開封体を前記注出口本体の貫通孔の内部を前記第２の方向に移動させるように形成され、    頂部と、前記頂部の端縁から垂下され側壁を形成する垂下部とを有し、    前記頂部の内面には、前記垂下部と同じ方向に垂下する作動部が突設され、    前記垂下部の内面には、前記第１の雄ネジ部と螺合するネジの雌部を構成する第１の雌ネジ部が形成され、  前記開封体は、    前記注出口本体から抜け出ないように、前記注出口本体の貫通孔の内部を前記第２の方向に移動するように形成され、    前記軸方向の他方の端部に形成された刃部と、前記刃部の天部の略中央に前記軸方向に延びるように突設された受動軸部とを有し、前記刃部および前記受動軸部には、前記軸方向に連通して貫通する注出貫通孔が形成され、    前記刃部の外面には、前記第２の雌ネジ部と螺合するネジの雄部を構成する第２の雄ネジ部が形成され、    前記受動軸部の外面には、前記起動体が前記連通回転方向に回されることにより、前記作動部に押されて回転する受動部が突設され、  前記起動体は、前記連通回転方向に回されることにより、前記起動体の作動部が前記開封体の受動部を前記連通回転方向に押し進め、且つ前記注出口本体から取り外されるように緩められ、前記第１の方向に移動し、  前記作動部が前記受動部を前記連通回転方向に押し進めることにより、前記開封体が前記連通回転方向に回され、  前記開封体は、前記連通回転方向に回されることにより、前記注出口本体の貫通孔の内部を回転しながら螺送され、前記第２の方向に移動し、且つ前記刃部が回転しながら前記注出口本体に形成された貫通孔の底面側から突出し、  前記刃部が回転しながら前記注出口本体に形成された貫通孔の底面側から突出することにより、前記密封シートの一部が切り裂かれ、前記容器の収容部と前記注出口本体の貫通孔とが連通��ることを特徴とする、請求項１に記載の注出口付き容器。
【請求項４】
前記第１の雄ネジ部および前記第１の雌ネジ部は、前記連通回転方向に回されることにより緩められるように形成された右ネジであり、前記第２の雄ネジ部および前記第２の雌ネジ部は、前記連通回転方向に回されることにより螺送されるように形成された左ネジである、請求項３に記載の注出口付き容器。
【請求項５】
初期状態において、前記起動体の頂部の内面が前記注出口本体の上端部と接触またはほぼ接触するように前記起動体が前記注出口本体に螺合され、前記開封体がその軸方向の他方の端部が前記注出口本体の他方の端部と同じ高さに位置するよう前記注出口本体の貫通孔に挿入され、  前記初期状態から前記起動体が前記連通回転方向に３６０°未満の角度回されることにより、前記開封体が前記注出口本体の貫通孔の内部を３６０°未満の角度回転しながら前記第２の方向に移動し、前記刃部が３６０°未満の角度回転しながら前記貫通孔の軸方向の他方の端部側から突出し、  前記刃部が３６０°未満の角度回転しながら前記貫通孔の軸方向の他方の端部側から突出することにより、前記密封シートの一部がその他の部分と繋がった状態で切り裂かれ、前記容器の収容部と前記注出口本体の貫通孔とが連通することを特徴とする、請求項３または４に記載の注出口付き容器。
【請求項６】
注水口本体は、  外部と連通する貫通孔を有する筒部と、  容器を構成する第１容器シートの端縁と第２容器シートの端縁との間に挟持される取付部と、  筒部の貫通孔内に移動自在に配設された開封体を移動させる移動体を、螺動自在に取り付けるための雄螺子部とを備え、  前記筒部の容器の収容部側に設けられた取付部は、開封体の注出貫通孔と連通する入口を有し、  起動体は、キャップとストッパとを有し、ストッパをキャップから分離して取り外すことにより移動空隙部を形成し、キャップが開封体を密封シートに向けて移動させるために開封体を押すように形成され、  開封体は、密封シート側に密封シートを切り裂くための刃部を有し、且つその刃部に、注出貫通孔を有し、  密封シートは、取付部の開口部を覆うように取付部の容器の収容部側面に貼り付けられ、容器の収容部と密接し、且つ、開封体により切り裂けられて、注出口本体の貫通孔と容器の収容部とが連通するように形成され、  開封体は、筒状の摺動軸部と密封シートを切り裂くための刃部とを有し、  刃部は、摺動軸部の端において鍔状に張り出すように摺動軸部に連設され、  刃部は、注出口本体の貫通孔の周囲に設けられた段差部又は係合部と接し合い、開封体が貫通孔側に移動しないように形成され、  起動体は、キャップの内側に開封体を押すための押圧部が突設され、且つキャップの内側に雌ネジ部が設けられ、キャップの下端に間欠的に設けられた連結部によってストッパが連結され、キャップを回して及び／又は周方向にストッパを回して、キャップからストッパを取り外して移動空隙部を形成され、注出口本体の筒部の周方向に開けられた移動空隙部に向けてキャップを移動させて、押圧部が開封体を押すように形成された、請求項１または請求項２に記載の注出口付き容器。
【請求項７】
注出口本体は、容器を構成する容器シートに取り付けられる舟形の取付部と、取付部の上部に連設された筒部とを備え、  取付部及び筒部は、貫通孔を貫設され、  貫通孔は、取付部の上部に外開口部を有し、且つ取付部の下部に内開口部を有し、  外開口部は、容器の外に開口し、内開口部は容器の収容部に向けて開口している、  請求項１，２または６のいずれかに記載の注出口付き容器。
【請求項８】
注出口本体は、筒部の外周面に雄螺子部が周設され、且つ、雄螺子部の下方において、起動体を停止させるための起動体停止部が、筒部の外周面に周設され、  起動体は、注出口本体の筒部に螺動自在に取り付けられるキャップと、キャップの下方に取り外し自在に連結されたストッパとを備え、  ストッパを取り外したときに形成される移動空隙部の高さの範囲内において、起動体のキャップが下方に移動し、所定位置で停止するように、移動規制部が形成された、請求項１，２，６または７のいずれかに記載の注出口付き容器。
【請求項９】
開封体は、密封シートを切り裂く刃部と刃部の上部に突設された摺動軸部とを有し、  刃部及び刃部の上部に連設された摺動軸部は、円柱状及び／又は柱状であり、  刃部と摺動軸部は、注出貫通孔が貫設されており、  注出貫通孔は、注出口本体の外開口部に臨む出口と容器の収容部に臨む入口とを有し、  摺動軸部は、注出口本体の筒部の貫通孔内に摺動自在に嵌入され、起動体に押されて下方に移動するように形成された、請求項１，２，６〜８のいずれかに記載の注出口付き容器。
【請求項１０】
開封体は、密封シートを切り裂く刃部と、刃部の上部に突設された摺動軸部とを有し、  刃部及び／又は摺動軸部は、回転止め部が形成され、  注出口本体は、容器に取り付けられる取付部と、取付部の上部に突設された筒部とを有し、  取付部及び／又は筒部は、開封体の回転止め部を係合又は挿入するための開封体の回転を止めるための回転止め部が形成された、請求項１，２，６〜９のいずれかに記載の注出口付き容器。
【請求項１１】
注出口を容器の注出部に取り付ける方法であって、筒状の注出口本体と、注出口本体の筒内に収納された開封体と、開封体を移動させる起動体とを備える注出口を製造するとき、  開封体を注出口本体の筒内に挿入し、注出口本体より開封体が外に出ない状態にして、注出口本体における、収容部に臨む内開口部を覆う密封シートを、注出口本体の容器の収容部に臨む領域にある内開口部の周辺に接着して、注出口を形成し、  前記注出口の取付部の周囲に、容器を構成する第１容器シートと第２容器シートとを溶着する、注出口付き容器の製造方法。
【発明の詳細な説明】
【技術分野】
【０００１】  本発明は、注出口付き容器及びその製造方法に関し、特に、例えば、水素水を入れる、積層フィルム等で形成したパウチに注出口を取り付けた注出口付きパウチに関するものである。  さらに詳しくは、水素水を収納して密封し、水素が容器から流出しにくい注出口付きパウチに関するものである。
【背景技術】
【０００２】  従来より、水素水を入れるために、積層フィルムからなる種々のパウチが広く使用されており、また、そのパウチに注出口を取り付けたものも知られている。  この注出口付きパウチは、まず、フィルムを重ね合わせ、３辺の周縁部をヒートシールし、１辺の開口部を有するパウチを作成し、次いで、その開口部に注出口を差し込み、次いで、その開口の両側に位置するフィルムの外側から、フィルム同士と、フィルムと注出口をヒートシールして製造されるものが知られている。  このフィルムからなる注出口付きパウチに、水素水、ジュース、スープ、シチュー、ゼリー等の食品等の液体の内容物が収納され、使用者が注出口より内容物を取り出すことができる。  基本的なパウチの材質構成としては、基材層、ガスバリヤー性や遮光性を有するフィルム等からなる中間層、及び、シーラント層を接着剤、アンカーコート剤、熱接着性樹脂などからなる接着層を介して順次積層するものが知られている。  また、注出口の材質構成としては、ポリエチレン樹脂、ポリプロピレン樹脂からなるものが広く使用されている。  （例えば、特許文献１参照。）。
【先行技術文献】
【特許文献】
【０００３】
【特許文献１】特開２００４−３１５０６７号公報
【特許文献２】特開２００７−１６１２５４号公報
【発明の概要】
【発明が解決しようとする課題】
【０００４】  しかしながら、通常使用されているポリエチレン樹脂からなる注出口では、水素水を収容した容器から水素が抜け出るという欠点がある。  それゆえに、この発明の主たる目的は、密封性に優れた注出口付き容器を提供することである。
【課題を解決するための手段】
【０００５】  この発明の請求項１にかかる注出口付き容器は、水素水を入れる容器と、容器に取り付けられた注出口本体における収容部に臨む内開口部を覆う密封シートとを備える、注出口付き容器であって、密封シートのアルミニウム領域と容器の収容部の内面のアルミニウム領域とが密接して、水素水中の水素が容器及び注出口本体から抜け出にくい、注水口付き容器である。  この発明の請求項２にかかる注出口付き容器は、注出口本体と、注出口本体の筒内に収納された開封体と、開封体を移動させる起動体と、注出口本体における、収容部に臨む内開口部を覆う密封シートとを備え、前記開封体は、注出口本体から抜け出ない様に形成され且つ密封シートに向けて移動するように形成され、その中央に注出貫通孔が形成され、前記起動体は、注出口本体の外開口部側に取り付けられ、密封シート側にある開封体を密封シートに向けて移動させるように形成され、前記密封シートは、アルミニウムを備えており、開封体により、少なくともその一部が切り裂かれて、容器の収容部と注出口本体の外開口部が開封体の注出貫通孔を介して外部と連通するように形成され、容器の収容部内の収容物が外開口部より外部に注ぎ出すように形成された、請求項１に記載の注出口付き容器である。  この発明の請求項３にかかる注出口付き容器は、水素水を収容するための収容部を含む容器と、収容部に臨み容器の端縁に取り付けられた注出口とを備える注出口付き容器であって、注出口は、軸方向の貫通孔が形成された注出口本体と、注出口本体の軸方向の一方の端部に螺合された起動体と、注出口本体の貫通孔に挿入された開封体とを含み、注出口本体の貫通孔、起動体および開封体は、それぞれ、略円筒状に形成され、互いに平面視同心にされ、容器の収容部と注出口本体の貫通孔とを遮蔽するように注出口本体の他方の端部に位置する底面に固着されることにより、容器の収容部を密封する密封シートをさらに備え、注出口本体は、軸方向の一方の端部近傍の外面に形成され、起動体が、容器の収容部と注出口本体の貫通孔とを連通するための周方向に沿った連通回転方向に回されることにより緩められ、軸方向上の密封シートから離れる第１の方向に移動するための、ネジの雄部を構成する第１の雄ネジ部と、軸方向の他方の端部における貫通孔の内壁に形成され、開封体が、連通回転方向に回されることにより螺送され、軸方向上の密封シートに近づく第２の方向に移動するための、ネジの雌部を構成する第２の雌ネジ部とを有し、起動体は、注出口本体の軸方向の一方の端部に取り外し可能に螺合できるように、且つ開封体を注出口本体の貫通孔の内部を第２の方向に移動させるように形成され、頂部と、頂部の端縁から垂下され側壁を形成する垂下部とを有し、頂部の内面には、垂下部と同じ方向に垂下する作動部が突設され、垂下部の内面には、第１の雄ネジ部と螺合するネジの雌部を構成する第１の雌ネジ部が形成され、開封体は、注出口本体から抜け出ないように、注出口本体の貫通孔の内部を第２の方向に移動するように形成され、軸方向の他方の端部に形成された刃部と、刃部の天部の略中央に軸方向に延びるように突設された受動軸部とを有し、刃部および受動軸部には、軸方向に連通して貫通する注出貫通孔が形成され、刃部の外面には、第２の雌ネジ部と螺合するネジの雄部を構成する第２の雄ネジ部が形成され、受動軸部の外面には、起動体が連通回転方向に回されることにより、作動部に押されて回転する受動部が突設され、起動体は、連通回転方向に回されることにより、起動体の作動部が開封体の受動部を連通回転方向に押し進め、且つ注出口本体から取り外されるように緩められ、第１の方向に移動し、作動部が受動部を連通回転方向に押し進めることにより、開封体が連通回転方向に回され、開封体は、連通回転方向に回されることにより、注出口本体の貫通孔の内部を回転しながら螺送され、第２の方向に移動し、且つ刃部が回転しながら注出口本体に形成された貫通孔の底面側から突出し、刃部が回転しながら注出口本体に形成された貫通孔の底面側から突出することにより、密封シートの一部が切り裂かれ、容器の収容部と注出口本体の貫通孔とが連通することを特徴とする、請求項１に記載の注出口付き容器である。  この発明の請求項４にかかる注出口付き容器は、第１の雄ネジ部および第１の雌ネジ部は、連通回転方向に回されることにより緩められるように形成された右ネジであり、第２の雄ネジ部および第２の雌ネジ部は、連通回転方向に回されることにより螺送されるように形成された左ネジである、請求項３に記載の注出口付き容器である。  この発明の請求項４にかかる注出口付き容器は、初期状態において、起動体の頂部の内面が注出口本体の上端部と接触またはほぼ接触するように起動体が注出口本体に螺合され、開封体がその軸方向の他方の端部が注出口本体の他方の端部と同じ高さに位置するよう注出口本体の貫通孔に挿入され、初期状態から起動体が連通回転方向に３６０°未満の角度回されることにより、開封体が注出口本体の貫通孔の内部を３６０°未満の角度回転しながら第２の方向に移動し、刃部が３６０°未満の角度回転しながら貫通孔の軸方向の他方の端部側から突出し、刃部が３６０°未満の角度回転しながら貫通孔の軸方向の他方の端部側から突出することにより、密封シートの一部がその他の部分と繋がった状態で切り裂かれ、容器の収容部と注出口本体の貫通孔とが連通することを特徴とする、請求項３または４に記載の注出口付き容器である。  この発明の請求項６にかかる注出口付き容器は、開封体は、密封シートを切り裂く刃部と刃部の上部に突設された摺動軸部とを有し、刃部及び刃部の上部に連設された摺動軸部は、円柱状及び／又は柱状であり、刃部と摺動軸部は、注出貫通孔が貫設されており、注出貫通孔は、注出口本体の外開口部に臨む出口と容器の収容部に臨む入口とを有し、摺動軸部は、注出口本体の筒部の貫通孔内に摺動自在に嵌入され、起動体に押されて下方に移動するように形成された、請求項１ないし請求項５のいずれかに記載の注出口付き容器である。  この発明の請求項７にかかる注出口付き容器は、開封体は、密封シートを切り裂く刃部と、刃部の上部に突設された摺動軸部とを有し、刃部及び／又は摺動軸部は、回転止め部が形成され、注出口本体は、容器に取り付けられる取付部と、取付部の上部に突設された筒部とを有し、取付部及び／又は筒部は、開封体の回転止め部を係合又は挿入するための開封体の回転を止めるため��回転止め部が形成された、請求項１ないし請求項６のいずれかに記載の注出口付き容器である。  この発明の請求項８にかかる注出口付き容器の製造方法は、注出口を容器の注出部に取り付ける方法であって、筒状の注出口本体と、注出口本体の筒内に収納された開封体と、開封体を移動させる起動体とを備える注出口を製造するとき、開封体を注出口本体の筒内に挿入し、注出口本体より開封体が外に出ない状態にして、注出口本体における、収容部に臨む内開口部を覆う密封シートを、注出口本体の容器の収容部に臨む領域にある内開口部の周辺に接着して、注出口を形成し、前記注出口の取付部の周囲に、容器を構成する第１容器シートと第２容器シートとを溶着する、注出口付き容器の製造方法である。
【発明の効果】
【０００６】  本発明によれば、水素水を入れる容器と、容器に取り付けられた注出口本体における収容部に臨む内開口部を覆う密封シートとを備える、注出口付き容器であって、  密封シートのアルミニウム領域と容器の収容部の内面のアルミニウム領域とが密接して、水素水中の水素が容器及び注出口本体から抜け出にくいので、密封性に優れた注出口付き容器を提供することができる。  請求項２の発明によれば、注出口本体と、注出口本体の筒内に収納された開封体と、開封体を移動させる起動体と、注出口本体における、収容部に臨む内開口部を覆う密封シートとを備え、前記開封体は、注出口本体から抜け出ない様に形成され且つ密封シートに向けて移動するように形成され、その中央に注出貫通孔が形成され、前記起動体は、注出口本体の外開口部側に取り付けられ、密封シート側にある開封体を密封シートに向けて移動させるように形成され、前記密封シートは、アルミニウムを備えており、開封体により、少なくともその一部が切り裂かれて、容器の収容部と注出口本体の外開口部が開封体の注出貫通孔を介して外部と連通するように形成され、容器の収容部内の収容物が外開口部より外部に注ぎ出すように形成されているので、使用前には密封性に優れ、使用するときは密封シートに穴をあけて、吸い口から内容物を出せる注出口付き容器を提供することができる。  請求項３の発明によれば、水素水を収容するための収容部を含む容器と、収容部に臨み容器の端縁に取り付けられた注出口とを備える注出口付き容器であって、注出口は、軸方向の貫通孔が形成された注出口本体と、注出口本体の軸方向の一方の端部に螺合された起動体と、注出口本体の貫通孔に挿入された開封体とを含み、注出口本体の貫通孔、起動体および開封体は、それぞれ、略円筒状に形成され、互いに平面視同心にされ、容器の収容部と注出口本体の貫通孔とを遮蔽するように注出口本体の他方の端部に位置する底面に固着されることにより、容器の収容部を密封する密封シートをさらに備え、注出口本体は、軸方向の一方の端部近傍の外面に形成され、起動体が、容器の収容部と注出口本体の貫通孔とを連通するための周方向に沿った連通回転方向に回されることにより緩められ、軸方向上の密封シートから離れる第１の方向に移動するための、ネジの雄部を構成する第１の雄ネジ部と、軸方向の他方の端部における貫通孔の内壁に形成され、開封体が、連通回転方向に回されることにより螺送され、軸方向上の密封シートに近づく第２の方向に移動するための、ネジの雌部を構成する第２の雌ネジ部とを有し、起動体は、注出口本体の軸方向の一方の端部に取り外し可能に螺合できるように、且つ開封体を注出口本体の貫通孔の内部を第２の方向に移動させるように形成され、頂部と、頂部の端縁から垂下され側壁を形成する垂下部とを有し、頂部の内面には、垂下部と同じ方向に垂下する作動部が突設され、垂下部の内面には、第１の雄ネジ部と螺合するネジの雌部を構成する第１の雌ネジ部が形成され、開封体は、注出口本体から抜け出ないように、注出口本体の貫通孔の内部を第２の方向に移動するように形成され、軸方向の他方の端部に形成された刃部と、刃部の天部の略中央に軸方向に延びるように突設された受動軸部と���有し、刃部および受動軸部には、軸方向に連通して貫通する注出貫通孔が形成され、刃部の外面には、第２の雌ネジ部と螺合するネジの雄部を構成する第２の雄ネジ部が形成され、受動軸部の外面には、起動体が連通回転方向に回されることにより、作動部に押されて回転する受動部が突設され、起動体は、連通回転方向に回されることにより、起動体の作動部が開封体の受動部を連通回転方向に押し進め、且つ注出口本体から取り外されるように緩められ、第１の方向に移動し、作動部が受動部を連通回転方向に押し進めることにより、開封体が連通回転方向に回され、開封体は、連通回転方向に回されることにより、注出口本体の貫通孔の内部を回転しながら螺送され、第２の方向に移動し、且つ刃部が回転しながら注出口本体に形成された貫通孔の底面側から突出し、刃部が回転しながら注出口本体に形成された貫通孔の底面側から突出することにより、密封シートの一部が切り裂かれ、容器の収容部と注出口本体の貫通孔とが連通することを特徴とする、注出口付き容器を提供することができる。  請求項４の発明によれば、第１の雄ネジ部および第１の雌ネジ部は、連通回転方向に回されることにより緩められるように形成された右ネジであり、第２の雄ネジ部および第２の雌ネジ部は、連通回転方向に回されることにより螺送されるように形成された左ネジであるため、使い勝手の良好な注出口付き容器を提供することができる。  請求項５の発明によれば、初期状態において、起動体の頂部の内面が注出口本体の上端部と接触またはほぼ接触するように起動体が注出口本体に螺合され、開封体がその軸方向の他方の端部が注出口本体の他方の端部と同じ高さに位置するよう注出口本体の貫通孔に挿入され、初期状態から起動体が連通回転方向に３６０°未満の角度回されることにより、開封体が注出口本体の貫通孔の内部を３６０°未満の角度回転しながら第２の方向に移動し、刃部が３６０°未満の角度回転しながら貫通孔の軸方向の他方の端部側から突出し、刃部が３６０°未満の角度回転しながら貫通孔の軸方向の他方の端部側から突出することにより、密封シートの一部がその他の部分と繋がった状態で切り裂かれ、容器の収容部と注出口本体の貫通孔とが連通することを特徴とする、注出口容器を提供することができる。  請求項６の発明によれば、注出口本体は、容器を構成する容器シートに取り付けられる舟形の取付部と、取付部の上部に連設された筒部とを備え、取付部及び筒部は、貫通孔を貫設され、貫通孔は、取付部の上部に外開口部を有し、且つ取付部の下部に内開口部を有し、外開口部は、容器の外に開口し、内開口部は容器の収容部に向けて開口しているので、使用前には密封性に優れ、使用時には容易に内容物を取り出せる。  請求項７の発明によれば、注出口本体は、筒部の外周面に雄螺子部が周設され、且つ、雄螺子部の下方において、起動体を停止させるための起動体停止部が、筒部の外周面に周設され、起動体は、注出口本体の筒部に螺動自在に取り付けられるキャップと、キャップの下方に取り外し自在に連結されたストッパとを備え、ストッパを取り外したときに形成される移動空隙部の高さの範囲内において、起動体のキャップが下方に移動し、所定位置で停止するように、移動規制部が形成されているので、容易に且つ確実に開封できる。  請求項８の発明によれば、開封体は、密封シートを切り裂く刃部と刃部の上部に突設された摺動軸部とを有し、刃部及び刃部の上部に連設された摺動軸部は、円柱状及び／又は柱状であり、刃部と摺動軸部は、注出貫通孔が貫設されており、注出貫通孔は、注出口本体の外開口部に臨む出口と容器の収容部に臨む入口とを有し、摺動軸部は、注出口本体の筒部の貫通孔内に摺動自在に嵌入され、起動体に押されて下方に移動するように形成されているので、容易に且つ確実に開封できる。  請求項９の発明によれば、開封体は、密封シートを切り裂く刃部と、刃部の上部に突設された摺動軸部とを有し、刃部及び／又は摺動軸部は、回転止め部が形成され、注出口本体は、容器に取り付けられる取付部と、取付部の上部に突設された筒部とを有し、取付部及び／又は筒部は、開封体の回転止め部を係合又は挿入するための開封体の回転を止めるための回転止め部が形成されているので、容易に且つ確実に開封できる。  請求項１０の発明によれば、注出口を容器の注出部に取り付ける方法であって、筒状の注出口本体と、注出口本体の筒内に収納された開封体と、開封体を移動させる起動体とを備える注出口を製造するとき、開封体を注出口本体の筒内に挿入し、注出口本体より開封体が外に出ない状態にして、注出口本体における、収容部に臨む内開口部を覆う密封シートを、注出口本体の容器の収容部に臨む領域にある内開口部の周辺に接着して、注出口を形成し、前記注出口の取付部の周囲に、容器を構成する第１容器シートと第２容器シートとを溶着するので、密封性に優れた抽出口付き容器を提供することができる。
【図面の簡単な説明】
【０００７】
【図１】本発明の第１の実施の形態に係る注出口付き容器を示す概略斜視図である。
【図２】本発明の第１の実施の形態に係る注出口の概略斜視図解図である。
【図３】本発明の第１の実施の形態に係る注出口の概略斜視図解図である。
【図４Ａ】キャップの図解図であり、（ａ）は平面図解図、（ｂ）は側面図解図、（ｃ）は側面図解図である。
【図４Ｂ】キャップの図解図であり、（ａ）は縦断面図解図であり、（ｂ）は頂部付近の端面図であり、（ｃ）は底面図である。
【図５Ａ】注出口本体の図解図であり、（ａ）は平面図解図、（ｂ）は正面図解図、（ｃ）は側面図解図である。
【図５Ｂ】注出口本体の図解図であり、（ａ）は縦断面図解図であり、（ｂ）は底面図解図である。
【図６Ａ】開封体の図解図であり、（ａ）は平面図解図、（ｂ）は正面図解図、（ｃ）は側面図解図である。
【図６Ｂ】開封体の図解図であり、（ａ）は縦断面図解図であり、（ｂ）は底面図である。
【図７Ａ】本発明の第１の実施の形態に係る注出口の組み立て方を示す斜視図解図である。
【図７Ｂ】本発明の第１の実施の形態に係る注出口の組み立て方を示す縦断面図解図である。
【図８】本発明の第１の実施の形態に係る容器に注出口を装着した後の図解図であり、（ａ）は正面図解図、（ｂ）は拡大側面図解図である。
【図９】本発明の第１の実施の形態に係る容器に注出口を装着後の拡大断面図であり（ａ）は側面図解図、（ｂ）は（ａ）のＨ部の拡大断面図解図、（ｃ）は（ａ）のＩ部拡大断面図解図である。
【図１０Ａ】本発明の第１の実施の形態に係る注出口付き容器の使用方法を示す一部を拡大した断面図解図であり、（ａ）はストッパをとる図解図であり、（ｂ）はキャップを締める状態を表す図解図であり、（ｃ）は密封シートの切り裂かれた状態を示す図解図である。
【図１０Ｂ】（ａ）は密封シートの底面図解図であり、（ｂ）は密封シートの切り裂かれた状態を示す底面図解図であり、（ｃ）はストッパ及び注出口本体の横断面図解図である。
【図１１Ａ】本発明の第１の実施の形態に係る注出口付き容器の製造方法を示す図解図であり、（１）は第１ステップ、（２）は第２ステップ、（３）は第３ステップを示す図解図である。
【図１１Ｂ】本発明の第１の実施の形態に係る注出口付き容器の製造方法を示す図解図であり、（４）は第４ステップ、（５）は第５ステップを示す図解図である。
【図１１Ｃ】本発明の第１の実施の形態に係る注出口付き容器の製造方法を示す図解図であり、（６）は第６ステップ、（７）は第７ステップを示す図解図である。
【図１２】この発明の第２の実施の形態に係る注出口付き容器を示す正面図である。
【図１３】この発明の第２の実施の形態に係る注出口付き容器が備える注出口を示すその底面が見える状態の斜視図である。
【図１４】この発明の第２の実施の形態に係る注出口付き容器が備える注出口本体を示す正面図である。
【図１５】この発明の第２の実施の形態に係る注出口付き容器が備える注出口本体を    示す図であり、（Ａ）が平面図、（Ｂ）が側面図、（Ｃ）が底面図である。
【図１６】この発明の第２の実施の形態に係る注出口付き容器が備える注出口本体を示す図１５（Ａ）のＸＶＩ−ＸＶＩ断面図である。
【図１７】この発明の第２の実施の形態に係る注出口付き容器が備える開封体を示す正面図である。
【図１８】この発明の第２の実施の形態に係る注出口付き容器が備える開封体を示す    図であり、（Ａ）が平面図、（Ｂ）が側面図、（Ｃ）が底面図である。
【図１９】この発明の第２の実施の形態に係る注出口付き容器が備える開封体を示す図１８（Ａ）のＸＩＸ−ＸＩＸ断面図である。
【図２０】この発明の第２の実施の形態に係る注出口付き容器が備える起動体を示す正面図である。
【図２１】この発明の第２の実施の形態に係る注出口付き容器が備える起動体を示す図であり、（Ａ）が平面図、（Ｂ）が底面図である。
【図２２】この発明の第２の実施の形態に係る注出口付き容器が備える起動体を示す図であり、（Ａ）が図２１（Ａ）のＸＸＩＩＡ−ＸＸＩＩＡ断面図、（Ｂ）が図２０のＸＸＩＩＢ−ＸＸＩＩＢ断面図である。
【図２３】この発明の第２の実施の形態に係る注出口付き容器が備える起動体のタンパーエビデンスを示す斜視図である。
【図２４】この発明の第２の実施の形態に係る注出口付き容器の備える注出口本体、開封体および起動体を組み立てる順に並べて底面側から見たときの斜視図である。
【図２５】この発明の第２の実施の形態に係る注出口付き容器に密封シートを固着する方向で並べて底面側から見たときの斜視図である。
【図２６】この発明の第２の実施の形態に係る注出口付き容器が備える注出口を示す高さ方向の断面図である。
【図２７】この発明の第２の実施の形態に係る注出口付き容器が備える注出口を示す図であり、（Ａ）が図２６のＸＸＶＩＩ−ＸＸＶＩＩ断面図、（Ｂ）が起動体を左回転させたときの羽根押し部と羽根部の関係を示す模式図である。
【図２８】この発明の第２の実施の形態に係る注出口付き容器が備える注出口本体の左雌ネジ部と、開封体の左雄ネジ部とが螺合する様子を示す模式展開図であり、（Ａ）が回転角度０°、（Ｂ）が回転角度１５０°、（Ｃ）が回転角度３００°を示す図である。
【図２９】この発明の第２の実施の形態に係る注出口付き容器が備える密封シートの一部が切り裂かれる様子を示す模式平面図であり、（Ａ）が回転角度０°、（Ｂ）が回転角度１５０°、（Ｃ）が回転角度３００°を示す図である。
【図３０】この発明の第２の実施の形態に係る注出口付き容器が備える密封シートの一部を切り裂いた状態を底面側から見たときの斜視図である。
【図３１】この発明の第２の実施の形態に係る注出口付き容器が備える密封シートの一部を切り裂いた状態を示す高さ方向の断面図である。
【図３２】この発明の第２の実施の形態に係る注出口本体を示す図１９のフランジ部近傍の断面図である。
【図３３】この発明の第２の実施の形態に係る注出口付き容器が備える起動体を注出口本体から取り外した後、再び取り付けるときの羽根押し部と羽根部の関係を示す模式図である。
【図３４】この発明の第３の実施の形態に係る注出口付き容器を示す正面図である。
【図３５】この発明の第３の実施の形態に係る注出口付き容器が備える注出口を示すその底面が見える状態の斜視図である。
【図３６】この発明の第３の実施の形態に係る注出口付き容器が備える注出口本体を示す正面図である。
【図３７Ａ】この発明の第３の実施の形態に係る注出口付き容器が備える注出口本体を示す平面図である。
【図３７Ｂ】この発明の第３の実施の形態に係る注出口付き容器が備える注出口本体を示す側面図である。
【図３７Ｃ】この発明の第３の実施の形態に係る注出口付き容器が備える注出口本体を示す底面図である。
【図３７Ｄ】この発明の第３の実施の形態に係る注出口付き容器が備える注出口本体と開封体とを組み合わせた状態を示す底面図である。
【図３８Ａ】この発明の第３の実施の形態に係る注出口付き容器が備える注出口本体の図３７Ａに示すＸＸＸＶＩＩＩＡ−ＸＸＸＶＩＩＩＡ断面図である。
【図３８Ｂ】この発明の第３の実施の形態に係る注出口付き容器が備える注出口本体の図３７Ａに示すＸＸＸＶＩＩＩＢ−ＸＸＸＶＩＩＩＢ断面図である。
【図３９】この発明の第３の実施の形態に係る注出口付き容器が備える注出口本体の底面が見える状態で、第１の凸部および第２の凸部を明示した斜視部分拡大図である。
【図４０】この発明の第３の実施の形態に係る注出口付き容器が備える注出口本体の底面図で、第１の凸部および第２の凸部を明示した部分拡大図である。
【図４１】この発明の第３の実施の形態に係る注出口付き容器が備える注出口本体の高さ方向に沿った断面図であり、第１の凸部およびその近傍の拡大図である。
【図４２】この発明の第３の実施の形態に係る注出口付き容器が備える開封体を示すその底面が見える状態の斜視図である。
【図４３】この発明の第３の実施の形態に係る注出口付き容器が備える開封体を示すその天面が見える状態の斜視図である。
【図４４】この発明の第３の実施の形態に係る注出口付き容器が備える開封体を示す正面図である。
【図４５Ａ】この発明の第３の実施の形態に係る注出口付き容器が備える開封体を示す平面図である。
【図４５Ｂ】この発明の第３の実施の形態に係る注出口付き容器が備える開封体を示す側面図である。
【図４５Ｃ】この発明の第３の実施の形態に係る注出口付き容器が備える開封体を示す底面図である。
【図４６】この発明の第３の実施の形態に係る注出口付き容器が備える開封体を示す図４５ＡのＸＬＶＩ−ＸＬＶＩ断面図である。
【図４７】この発明の第３の実施の形態に係る注出口付き容器が備える起動体を示す正面図である。
【図４８】この発明の第３の実施の形態に係る注出口付き容器が備える起動体を示す図であり、（Ａ）が平面図、（Ｂ）が底面図である。
【図４９】この発明の第３の実施の形態に係る注出口付き容器が備える起動体を示す図であり、（Ａ）が図４８（Ａ）のＸＬＩＸＡ−ＸＬＶＩＸＡ断面図、（Ｂ）が図４７のＸＬＩＸＢ−ＸＬＩＸＢ断面図である。
【図５０】この発明の第３の実施の形態に係る注出口付き容器が備える起動体のタンパーエビデンスを示す斜視図である。
【図５１】この発明の第３の実施の形態に係る注出口付き容器の備える注出口本体、開封体および起動体を組み立てる順に並べて底面側から見たときの斜視図である。
【図５２】この発明の第３の実施の形態に係る注出口付き容器に密封シートを固着する方向で並べて底面側から見たときの斜視図である。
【図５３】この発明の第３の実施の形態に係る注出口付き容器が備える注出口を示す高さ方向に沿った断面図である。
【図５４】この発明の第３の実施の形態に係る注出口付き容器が備える注出口を示す図であり、（Ａ）が図５３のＬＩＶＡ−ＬＩＶＡ端面図、（Ｂ）が起動体を左回転させたときの羽根押し部と羽根部の関係を示す模式図である。
【図５５】この発明の第３の実施の形態に係る注出口付き容器が備える注出口本体の左雌ネジ部と、開封体の左雄ネジ部とが螺合する様子を示す模式展開図であり、（Ａ）が開封体の回転角０°、（Ｂ）が開封体の回転角１５０°、（Ｃ）が開封体の回転角３００°を示す図である。
【図５６】この発明の第３の実施の形態に係る注出口付き容器が備える注出口本体の回転停止雄部１３１２の高さでの幅方向に沿った断面図（図５３のＬＶＩ−ＬＶＩ断面図）であり、（Ａ）が開封体の回転角０°、（Ｂ）が開封体の回転角１５０°、（Ｃ）が開封体の回転角３００°を示す図である。
【図５７】この発明の第３の実施の形態に係る注出口付き容器が備える密封シートの一部が切り裂かれる様子を示す模式平面図であり、（Ａ）が開封体の回転角０°、（Ｂ）が開封体の回転角１５０°、（Ｃ）が開封体の回転角３００°を示す図である。
【図５８】この発明の第３の実施の形態に係る注出口付き容器が備える密封シートの一部が切り裂かれる様子を示す図であり、開封体の回転角１５０°のときの高さ方向に沿った断面図である。
【図５９】この発明の第３の実施の形態に係る注出口付き容器が備える密封シートの一部を切り裂いた状態を示す図であり、開封体の回転角３００°のときの高さ方向に沿った断面図である。
【図６０】この発明の第３の実施の形態に係る注出口本体を示す図５９のフランジ部近傍の断面図である。
【図６１】この発明の第３の実施の形態に係る注出口付き容器が備える密封シートの一部を切り裂いた状態を底面側から見たときの斜視図である。
【図６２】この発明の第３の実施の形態に係る注出口付き容器が備える起動体を注出口本体から取り外した後、再び取り付けたときを示す図であり、（Ａ）が羽根押し部と羽根部の関係を示す模式図、（Ｂ）が高さ方向に沿った断面図である。
【図６３】この発明の第３の実施の形態に係る容器に注出口を装着後の拡大断面図である。
【図６４】この発明の第４の実施の形態に係る注出口付き容器が備える開封体を示す斜視図である。
【図６５】この発明の第４の実施の形態に係る注出口付き容器が備える開封体を示す正面図である。
【図６６】この発明の第４の実施の形態に係る注出口付き容器が備える開封体を示す図であり、（Ａ）が平面図、（Ｂ）が側面図、（Ｃ）が底面図である。
【図６７】この発明の第４の実施の形態に係る注出口付き容器が備える開封体を示す図であり、（Ａ）が図６６（Ｃ）のＬＸＶＩＩＡ−ＬＸＶＩＩＡ断面図、（Ｂ）が図６６（Ｃ）のＬＸＶＩＩＢ−ＬＸＶＩＩＢ断面図である。
【図６８】この発明の第５の実施の形態に係る注出口付き容器が備える開封体を示す斜視図である。
【図６９】この発明の第５の実施の形態に係る注出口付き容器が備える開封体を示す正面図である。
【図７０】この発明の第５の実施の形態に係る注出口付き容器が備える開封体を示す図であり、（Ａ）が平面図、（Ｂ）が（Ｃ）のＬＸＸＢ−ＬＸＸＢ断面図、（Ｃ）が底面図である。
【図７１】この発明の第５の実施の形態に係る注出口付き容器が備える注出口の底面が見える状態の斜視図である。
【図７２】この発明の第６の実施の形態に係る注出口付き容器が備える起動体および開封体を示す正面図である。
【図７３】この発明の第６の実施の形態に係る注出口付き容器が備える起動体および開封体を示す底面図である。
【図７４】この発明の第６の実施の形態に係る注出口付き容器が備える注出口の起動体を上方に移動させる前の状態を示す図であり、（Ａ）が底面の見える状態の斜視図、（Ｂ）が軸方向に沿った断面図である。
【図７５】この発明の第６の実施の形態に係る注出口付き容器が備える注出口の起動体を上方に移動させた後の状態を示す図であり、（Ａ）が底面の見える状態の斜視図、（Ｂ）が軸方向に沿った断面図である。
【図７６】この発明の第６の実施の形態に係る注出口付き容器が備える注出口を示す底面図である。
【図７７】この発明の第６の実施の形態に係る注出口付き容器が備える注出口の変形例を示す底面図であり、（Ａ）が底面視略円形状の密封シート固着部、（Ｂ）が底面視略四角形状の密封シート固着部を備える注出口付き容器の変形例を示す底面図である。
【図７８】本発明に係る注出口付き容器の斜視図解図である。
【図７９】本発明に係る注出口付き容器の説明図である。
【発明を実施するための形態】
【０００８】  本発明の第１の実施の形態である、スタンディングパウチ型の注出口付き容器について、図等を参照して更に詳細に説明する。  本発明者等は、鋭意検討した結果、容器の収容部内に挿入した注出口の内開口部の周辺領域を覆う密封シートのアルミニウム領域と収容部の内部のアルミニウム領域とが密接するように工夫することによって、上記目的が達成されることを発見し、本発明を完成した。
【０００９】  注出口付き容器１０は、水に水素を混入した水素水を入れるものであり、水素水を入れる容器１０と、容器１０に取り付けられた注出口１２とを備え、注出口１２の注出口本体２０における収容部２００に臨む内開口部３０を覆う密封シート１４とを備える。  密封シート１４のアルミニウム領域と容器１０の収容部２００の内面のアルミニウム領域とは、密接して、水素水中の水素が容器１０及び注出口本体２０から抜け出にくい。
【００１０】  注出口１２は、筒状の注出口本体２０と、  注出口本体２０の筒内に収納された開封体５０と、  開封体５０を移動させる起動体８０と、  注出口本体２０における、収容部２００に臨む内開口部３０を覆う密封シート１４とを備える。
【００１１】  前記開封体５０は、注出口本体２０から抜け出ない様に形成され且つ密封シート１４に向けて移動するように形成され、その中央に注出貫通孔５６が形成されている。  前記起動体８０は、注出口本体２０の外開口部２８側に取り付けられ、密封シート１４側にある開封体５０を密封シート１４に向けて移動させるように形成されている。
【００１２】  前記密封シート１４は、開封体５０により、その一部が切り裂かれて、容器１０の収容部２００と注出口本体２０の外開口部２８が開封体５０の注出貫通孔５６を介して外部と連通するように形成され、容器１０の収容部２００内の収容物が外開口部２８より外部に注ぎ出すように形成されている。
【００１３】  筒状の注出口本体２０は、  外部と連通する貫通孔２６を有する筒部２４と、  容器１０を構成する第１容器シート２１０の端縁と第２容器シート２２０の端縁との間に挟持される取付部２２と、  筒部２４の貫通孔２６内に移動自在に配設された開封体５０を移動させる移動体を、螺動自在に取り付けるための雄螺子部３２とを備える。  前記筒部２４の容器１０の収容部２００側に設けられた取付部２２は、開封体５０の注出貫通孔５６と連通する入口５８を有している。
【００１４】  起動体８０は、キャップ８２とストッパ８４とを有し、ストッパ８４をキャップ８２から分離して取り外すことにより移動空隙部１００を形成し、開封体５０を密封シート１４に向けて移動させるために開封体５０を押すように形成されている。  起動体８０は、注出口本体２０の筒部２４の吸い口に、時計回り（閉栓方向）に回転させて、螺合させて取り付けられる。
【００１５】  起動体８０は、キャップ８２の内側に開封体５０を押すための押圧部８６が突設され、且つキャップ８２の内側に雌ネジ部８８が設けられ、キャップ８２の下端に間欠的に設けられた連結部９６によってストッパ８４が連結されている。  起動体８０は、周方向にキャップ８２を開封方向（反時計回り）に回してキャップ８２からストッパ８４を取り外して移動空隙部１００を形成され、注出口本体２０の筒部２４の周方向に開けられた移動空隙部１００に向けてキャップ８２を移動させて、押圧部８６が開封体５０を押すように形成されている。
【００１６】  開封体５０は、密封シート１４側に密封シート１４を切り裂くための刃部５２を有し、且つその刃部５２に、注出貫通孔５６を有している。
【００１７】  開封体５０は、筒状の摺動軸部５４と密封シート１４を切り裂くための刃部５２とを有している。  刃部５２は、摺動軸部５４の端において鍔状に張り出すように摺動軸部５４に連設されている。  刃部５２は、注出口本体２０の貫通孔２６の周囲に設けられた段差部３４又は係合部と接し合い、開封体５０が貫通孔２６側に移動しないように形成されている。
【００１８】  密封シート１４は、取付部２２の開口部を覆うように取付部２２の容器１０の収容部２００側面に貼り付けられ、容器１０の収容部２００と密接し、且つ、開封体５０により切り裂けられて、注出口本体２０の貫通孔２６と容器１０の収容部２００とが連通するように形成されている。
【００１９】  注出口本体２０は、  容器１０を構成する容器シートに取り付けられる舟形の取付部２２と、取付部２２の上部に連設された筒部２４とを備える。  取付部２２及び筒部２４は、貫通孔２６を貫設されている。  貫通孔２６は、取付部２２の上部に外開口部２８を有し、且つ取付部２２の下部に内開口部３０を有している。  外開口部２８は、容器１０の外に開口している。内開口部３０は、容器１０の収容部２００に向けて開口している。
【００２０】  注出口本体２０は、筒部２４の外周面に雄螺子部３２が周設され、且つ、雄螺子部３２の下方において、起動体８０を停止させるための起動体停止部３６が、筒部２４の外周面に周設されている。
【００２１】  注出口本体２０の起動体停止部３６は、起動体８０のキャップ８２及びストッパ８４が注出口本体２０の取付部２２の吸い口に取り付けられるとき、閉栓方向（時計回り）に回転させると、螺動して下降した起動体８０のストッパ８４の下端と係合して停止させるために突き出た、起動体８０のキャップ８２より若干長い径を有する、円周のつば状である。
【００２２】  起動体８０は、注出口本体２０の筒部２４に螺動自在に取り付けられるキャップ８２と、キャップ８２の下方に取り外し自在に連結されたストッパ８４とを備える。  起動体８０は、注出口本体２０の外開口部２８側に被せ、閉栓方向に回転させ螺動させて下降させたとき、ストッパ８４の下端が起動体停止部３６の上面に突き当り停止する。
【００２３】  注出口本体２０は、ストッパ８４を取り外したときに形成される移動空隙部１００の高さの範囲において、起動体８０のキャップ８２が下方に移動し、所定位置で停止するように、移動規制部１０２が形成されている。
【００２４】  キャップ８２は、平面視円形状の頂部９０と、頂部９０の周縁から垂下されて側壁を形成する垂下部９２とを備える。  キャップ８２は、頂部９０の内側面より、垂下部９２との間に間隔をおいて、垂下部９２と平行に垂れ下がった押圧部８６を備える。  垂下部９２の内周面には、注出口本体２０の筒部２４の外周面に形成された螺子部３２と螺合する雌ネジ部８８が形成されている。  押圧部８６は、ストッパ８４を取り外して形成される移動空隙部１００の高さよりも短い長さを有しており、移動空隙部１００の高さよりも短い長さ分開封体５０の摺動軸部５４を押し下げ、その移動を停止するように形成されている。
【００２５】  キャップ８２は、ストッパ８４を取り外して密封シート１４を切り裂くために押し下げるとき、頂部９０の内面（下面）が注出口本体２０の筒部２４の上部に突き当たり、起動体８０を密封シート１４を切り裂くために最適な位置で停止させるように形成されている、移動規制部１０２を構成している。  移動規制部１０２は、起動体８０の押圧部８６及び頂部９０によって構成され、キャップ８２の押圧部８６の長さ分、開封体５０を押し下げ、キャップ８２の頂部９０の下面（内面）が、注出口本体２０の筒部２４の上部（外開口部２８の側）に当接して、開封体５０の移動量を規制するように構成されている。
【００２６】  ストッパ８４は、キャップ８２の螺動下降幅を規制するためのもので、除去することによりキャップ８２を所定位置まで螺動下降させることができる。  図示例に於いて、ストッパ８４はキャップ８２の周壁の下面に易切断性の連結部９６を介して上端を連結し、円環帯状をなしている。  キャップ８２は、筒部２４の外周にストッパ８４により螺動下降幅を規制して螺着させている。図示例では、垂下部９２の上端縁より頂部９０を延設した下端開口の有頂筒状をなし、垂下部９２の内周に周設した雌ネジ部８８を前記螺子部３２に螺合するように構成している。また、頂部９０の内面の周辺からは開封体５０を密封シート１４に向けて移動させるための押圧部８６を垂設している。
【００２７】  ストッパ８４の上下方向（幅方向）の長さ（高さ）は、押圧部８６の上下方向（長手方向）の長さ（高さ）と略々同じかそれよりも若干長い。  ストッパ８４の上下方向（幅方向）の長さ（高さ）は、開封体５０の刃部５２により密封シート１４を切り裂くために下降するときの刃部５２の移動間隔と略々同じかそれよりも若干長い。  押圧部８６の上下方向（長手方向）の長さ（高さ）は、開封体５０の刃部５２により密封シート１４を切り裂くために下降するときの刃部５２の移動間隔と略々同じかそれよりも若干長い。
【００２８】  開封体５０は、密封シート１４を切り裂く刃部５２と、刃部５２の上部に突設された摺動軸部５４とを有している。  刃部５２及び刃部５２の上部に連設された摺動軸部５４は、円柱状である。  刃部５２と摺動軸部５４は、注出貫通孔５６が貫設されている。  注出貫通孔５６は、注出口本体２０の外開口部２８に臨む出口６０と容器１０の収容部２００に臨む入口５８とを有している。  摺動軸部５４は、注出口本体２０の筒部２４の貫通孔２６内に摺動自在に嵌入され、起動体８０に押されて下方に移動するように形成されている。  開封体５０の摺動軸部５４は、注出口本体２０の筒部２４と円心円の二重円筒状に重なっており、上下に摺動するように摺動自在に、筒部２４の筒内に配設されている。  起動体８０のキャップ８２の垂下部９２は、注出口本体２０の筒部２４と円心円の二重円筒状に配設されており、上下に螺動するように、螺動自在に筒部２４の筒外に配設される。
【００２９】  刃部５２は、円柱状の基礎部６２と、基礎部６２より下方に向けて突出された切刃部６４と、切刃部６４の間に設けられた流動口６６と基礎部６２の周囲に設けられた回転止め部６８とを備える。
【００３０】  刃部５２は、基礎部６２との高さと切刃部６４の高さとの和が注出口本体２０の段差部３４と内開口部３０との間の長さと同じかそれよりも若干短い長さを有している。  切刃部６４は、前後に分かれており、前の第１切刃部７０と、後の第２切刃部７２とを備えている。  第１切刃部７０は、底面視円弧状であり、又、第２切刃部７２は、底面視円弧状であり、第１切刃部７０と第２切刃部７２とは対向している。  第１切刃部７０及び第２切刃部７２は、密封シート１４を切るときに最も最初に密封シート１４に接する中央部より左右の刃の一部が、密封シート１４を切るように左右に行くに従って徐々にその高さが低くなるように形成されている。  而して、第１切刃部７０で切られた領域と、第２切刃部７２で切られた領域とが繋がって切られた密封シート１４に穴があく。  しかしながら、第１切刃部７０で切られた領域と、第２切刃部７２で切られた領域との間には、切られていない残存物が残り、刃部５２で切られた密封シート１４は、切られた周辺が可動領域となり、内容物が流動するように、構成してもよい。
【００３１】  注出口本体２０の筒部２４は、起動体停止部３６の上方において、起動体８０のキャップ８２及びストッパ８４の移動を規制し、保護するための突条４０が周設されている。  注出口本体２０の筒部２４は、起動体停止部３６の若干上方において、起動体８０のキャップ８２とストッパ８４とを連結する連結部９６を切り離すときに、キャップ８２のみを回転をさせてストッパ８４の回転を停止させるための回転停止部４２が突設されている。  回転停止部４２は、キャップ８２をしめるために閉栓方向（時計回り）に回転させるときに、突き当たり、ストッパ８４の回転を停止させるように構成している。
【００３２】  起動体８０のストッパ８４は、円筒状であり、その内周面に、起動体８０のキャップ８２とストッパ８４とを連結する連結部９６を切り離すときに、キャップ８２のみを回転をさせてストッパ８４の回転を停止させるための回転停止部９８が突設されている。  起動体８０の回転停止部９８は、キャップ８２を緩めるために開封方向（反時計回り）に回転させるときに、注出口本体２０の回転停止部４２突き当たり、ストッパ８４の回転を停止させるように構成している。
【００３３】  注出口本体２０の取付部２２は、横断面舟型状の柱状体であり、その中央に、開封体５０の刃部５２を収容するための開封体収容部４４を穿設されている。  開封体収容部４４は、内開口部３０及び貫通孔２６と同心円の円筒状穴である。開封体収容部４４は、その上方の筒部２４との境界部分の近傍において段差部３４が形成されている。  開封体収容部４４は、開封体５０の刃部５２の全体を入れる容積を備えており、その深さが基礎部６２の高さと切刃部６４の高さの和と同じかそれよりも若干長い長さを備える。  開封体収容部４４は、開封体５０の刃部５２が上下動自在に配設される。
【００３４】  取付部２２及び／又は筒部２４は、開封体５０の回転止め部６８を係合又は挿入して開封体５０の回転を止める回転止め部挿入孔３８が形成されている。  注出口本体２０の回転止め部挿入孔３８は、開封体５０の回転を止める回転止め部６８を構成しており、取付部２２の開封体収容部４４に連設されたスリット状の長溝である。  注出口本体２０の回転止め部挿入孔３８には、開封体５０が注出口本体２０に嵌挿され且つ注出口本体２０の開封体収容部４４に開封体５０の刃部５２が嵌挿されたとき、開封体５０の回転止め部６８が挿入される。
【００３５】  回転停止部４２は、図１０Ｂ（Ｃ）に示されるように、キャップ８２を開封するときの回転方向（反時計回り）に関し、回転停止部４２の前側にガイド面４２ａが形成され、回転停止部４２の後側にストッパ面４２ｂが形成されている。ガイド面４２ａは、キャップ８２を閉栓方向に回転させるときに、後述する回転停止部９８がガイド面４２ａを滑りながら、キャップ８２が閉栓方向に移動することができるように、傾斜した形状である。
【００３６】  回転停止部４２のストッパ面４２ｂは、注出口１２の筒部２４の径方向に立ち上がる形状である。ストッパ面４２ｂは、キャップ８２を開封方向に回転させるときに、後述する回転停止部９８の先端がストッパ面４２ｂに突き当たるようになっている。
【００３７】  ストッパ８４は、外力が加わったときに、ある程度撓むことが可能な可撓性を有している。  キャップ８２とストッパ８４は、例えばポリエチレンあるいはポリプロピレン等の合成樹脂によって一体に成形されている。  ストッパ８４は、ブリッジ状の連結部９６を介して、キャップ８２の下端とつながっている。  ストッパ８４は、開栓するときに破断させる、幅の狭い破断予定部を介して円環状つながっている。
【００３８】  後述するように、キャップ８２を開封する前には破断予定部が破断していない。キャップ８２が開封されるときに、破断予定部が破断する。  ストッパ８４は、キャップ８２の周方向に分割可能な複数のバンド要素によって構成されていればよいから、例えば３以上のバンド要素によって構成されていてもよい。
【００３９】  図１０Ｂ（Ｃ）に示すように、ストッパ８４の内面には、周方向に１８０°対向する部位に、それぞれ一対の回転停止部９８が形成されている。これらの回転停止部９８は、キャップ８２を閉栓方向に回転させるときに、前記回転停止部４２の外面を滑りながら閉栓方向に移動することができる。  逆に、キャップ８２を開封方向に回転させるときには、回転停止部９８の先端が回転停止部４２のストッパ面４２ｂに突き当たることができるように、斜めに立ち上がる形状をなしている。
【００４０】  図４に示すように、ストッパ８４に引掛部９４が形成されている。引掛部９４の周囲は、キャップ８２の閉栓時には破断せず、開封時に破断するような機能を有している。引掛部９４の周辺は、破断予定部を構成している。
【００４１】  容器１０の収容部２００に収容物を収容し、キャップ８２を注出口１２の筒部２４の雄螺子部３２にねじ込むことにより、注出口１２の開口端（注出口本体２０の外開口部２８及び開封体５０の出口６０）が閉栓される。  キャップ８２を閉栓方向に回転させるとき、ストッパ８４の回転停止部９８が注出口本体２０の回転停止部４２のガイド面４２ａを滑りつつ、回転停止部４２を乗り越えるため、キャップ８２が閉栓方向に回転することが許容される。  このために、閉栓時には、破断予定部は破断せず、キャップ８２とストッパ８４とが一体となって、キャップ８２を所定の閉栓位置までねじ込むことができる。
【００４２】  キャップ８２をストッパ８４から取り外すには、キャップ８２を開封方向に回転させる。図１０Ｂ（Ｃ）に示すように、キャップ８２を開封方向（反時計回り方向）に回転させると、回転停止部９８の先端が回転停止部４２のストッパ面４２ｂに突き当たることにより、ストッパ８４の回り止めがなされる。
【００４３】  この状態で、ストッパ８４をさらに開封方向に回転させると、停止しているストッパ８４に対して、キャップ８２が開封方向に相対的に回転する。  回転停止部９８の先端がストッパ面４２ｂに突き当たったまま、キャップ８２が開封方向に回転すると、連結部９６が切り離される。  次に、引掛部９４に、指（爪）をかけて、引掛部９４の周辺の破断予定部を破断させると、円環状の引掛部９４が分離して、注出口本体２０の筒部２４から取り外される。
【００４４】  開封体５０は、は薄肉破断線を押圧破断した後、破断した密封シート１４を取付部２２の内開口部３０の周辺に固着しているため、切り裂いた密封シート１４がぶらぶらして収納物の吸引等の邪魔になる不都合を防止でき、また、改めて密封シート１４を廃棄する手間を省くことができる。取り除き可能なストッパ８４により螺動下降幅を規制してキャップ８２を螺着させているため、ストッパ８４を外さない限り開封することが出来ず、不用意な開封を確実に防止できる。
【００４５】  次に、注出口の組み立て方について、主として図７に基づいて説明する。  開封体５０は、注出口本体２０の取付部２２の回転止め部挿入孔３８に回転止め部６８を合わせて、取付部２２の内開口部３０側より、取付部２２及び筒部２４の貫通孔２６の内部に挿入する。  注出口本体２０の貫通孔２６の内部に挿入された開封体５０は、その最下部である切刃部６４が取付部２２の内開口部３０より外に出ない状態とする。  そして、密封シート１４を、取付部２２の内開口部３０の周囲に接着する。  次に、起動体８０のキャップ８２を時計回りに回転させて注出口本体２０の筒部２４の吸い口に螺動して取り付ける。  起動体８０のストッパ８４は、起動体停止部３６に突き当たり、起動体８０が、注出口本体２０の所定位置において停止する。
【００４６】  引き続き、注出口１２を容器１０に取り付ける方法について、主として図１１に基づいて説明する。  容器１０を構成する第１容器シート２１０と、第２容器シート２２０と、第１容器シート２１０と第２容器シート２２０との間に連設された底部シート２３０とを有する原丹（シート状物）を準備する。  原丹（シート状物）は、ロール状に巻き重ねられている。  かかるロール状原丹（シート状物）を引き出し、底部シート２３０をスタンディングパウチの底部２０４となるように折り曲げ、成形して、第１容器シート２１０と第２容器シート２２０とを対向させる。  次に、対向する第１容器シート２１０の左側縁２１２と第２容器シート２２０の左側縁２２２とを熱溶着して左側部２０６を形成する。  第１容器シート２１０及び第２容器シート２２０は、その一方の側部（左側部２０６）と底部２０４とを接続されている。  底部２０４とは反対側である上部の第１容器シート２１０の上側縁２１６と第２容器シート２２０の上側縁２２６との間に、注出口１２の取付部２２を挿入する。  次に、第１容器シート２１０の上側縁２１６の内側面と第２容器シート２２０の上側縁２２６の内側面との間に取付部２２を挟み込む。  そして、第１容器シート２１０の上側縁２１６の内側面と第２容器シート２２０の上側縁２２６の内側面とは、その周辺領域で溶着するとともに、第１容器シート２１０の上側縁２１６の内側面と第２容器シート２２０の上側縁２２６の内側面との間に挟み込まれた取付部２２の外周面にも溶着する。  次に、溶着された一方の側部（容器１０の左側部２０６）を下にし、溶着されていない方の側部（容器１０の右側部２０８）を構成する第１容器シート２１０の右側縁２１４と第２容器シート２２０の右側縁２２４とを上にして、第１容器シート２１０と第２容器シート２２０の間に収容物（水素水）を注入する注入機のノズルを挿入して、収容物（水素水）を容器１０の注出部２０２に充填する。  次に、第１容器シート２１０の他方側部を構成する右側縁２１４の内側面と第２容器シート２２０の他方側部を構成する右側縁２２４の内側面とを、周辺において溶着して、右側部２０８を形成する。  上部である注出部２０２、左側部２０６，右側部２０８及び底部２０４で囲繞された収容部２００に水素水が封入される。  而して、収容物は、容器１０に充填されて、密閉される。
【００４７】  複数の容器１０が並列されて製造された容器１０の連結体は、上方の容器１０の左側部２０６と隣接する下方の容器１０の右側部２０８が繋がっている。  それらの並列された各容器１０を分離するときは、上方の容器１０の左側部２０６と下方の容器１０の右側部２０８との間において、適宜切断して、個別の容器１０を製造する。
【００４８】  本発明の注出口１２を構成する材料としては、容器１０を構成するプラスチックフイルムとヒートシール性を有する熱可塑性樹脂が使用される。  このような熱可塑性樹脂としては、例えばポリプロピレン、プロピレン−エチレン共重合体、結晶性ポリブテン−１、結晶性ポリ４−メチルペンテン−１、低−、中−、或いは高密度ポリエチレン、線状低密度ポリエチレン、エチレン−酢酸ビニル共重合体（ＥＶＡ）、エチレン−アクリル酸共重合体（ＥＡＡ）、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリブチレンテレフタレート、ポリテトラメチレンテレフタレート、ポリ−１，４−シクロヘキサンジメチレンテレフタレート、ポリエチレンナフタレート等のポリエステル類；各種ポリカーボネート；ポリオキシメチレン等のポリアセタール類等の熱可塑性樹脂を挙げることができる。  特に好ましい材料としては、例えば低密度ポリエチレン、線状低密度ポリエチレン、中密度ポリエチレン、高密度ポリエチレン、ポリプロピレン、プロピレン−エチレン共重合体等のポリオレフィン樹脂が挙げられる。  注出口本体２０、開封体５０及び起動体８０は、例えば射出成形、圧縮成形等の公知の方法によって成形することができる。  注出口本体２０、開封体５０及び起動体８０内に形成するガスバリヤー層は、ポリ塩化ビニリデン樹脂、ＥＶＡケン化物、ナイロン又は環状オレフィンコポリマー等のガスバリヤー性樹脂層、アルミニウムや酸化珪素などの金属酸化物蒸着膜を有する樹脂層、粘土鉱物を含有する樹脂層、アルミニウム等の金属箔等によって構成される。  ガスバリヤー層は、例えば共射出成形、多層圧縮成形、多色成形、蒸着等、公知の方法により形成することができる。
【００４９】  注出口１２を固着する容器１０を構成するプラスチックフイルムとしては、ヒートシール性を有する熱可塑性樹脂からなる単層フイルム、これらのヒートシール性を有する熱可塑性樹脂フイルムを袋の内層とし、他のフイルムを積層した２層以上の層構成を有する積層フイルムを使用することができる。  ヒートシール性を有する熱可塑性樹脂フイルムとしては、例えばポリプロピレン、プロピレン−エチレン共重合体、結晶性ポリブテン−１、結晶性ポリ４−メチルペンテン−１、低−、中−、或いは高密度ポリエチレン、線状低密度ポリエチレン、エチレン−酢酸ビニル共重合体（ＥＶＡ）、エチレン−アクリル酸共重合体（ＥＡＡ）、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリブチレンテレフタレート、ポリテトラメチレンテレフタレート、ポリ−１，４−シクロヘキサンジメチレンテレフタレート、ポリエチレンナフタレート等のポリエステル類；各種ポリカーボネート；ポリオキシメチレン等のポリアセタール類等の熱可塑性樹脂を挙げることができる。  特に好ましい材料としては、例えば低密度ポリエチレン、線状低密度ポリエチレン、中密度ポリエチレン、高密度ポリエチレン、ポリプロピレン、プロピレン−エチレン共重合体、エチレン−酢酸ビニル共重合体、エチレン系不飽和カルボン酸乃至その無水物でグラフト変性されたオレフィン樹脂等のオレフィン系樹脂、アイオノマー樹脂、比較的低融点乃至低軟化点のポリアミド乃至コポリアミド樹脂、ポリエステル乃至コポリエステル樹脂等が使用される。  容器１０を構成するプラスチックフイルムとして積層フイルムを使用する場合には、上記のヒートシール性を有する熱可塑性樹脂フイルムを容器１０の内層とし、必要に応じて接着剤層を介して、他のフイルムを積層した積層フイルムを使用する。  接着剤層を形成する材料としては、ポリエチレンイミン樹脂、アルキルチタネート樹脂、ポリエステル−イソシアネート系樹脂、ウレタン樹脂、エポキシ樹脂、ポリエーテル系樹脂、極性基を導入したオレフィン系樹脂等から選ばれた接着性樹脂を使用する。  ヒートシール性樹脂と積層するフイルムとしては、特に制限はなく、通常包装袋に用いられるものはいずれも使用可能である。このようなフイルムに適した材料としては、    上記のヒートシール性樹脂として使用される材料はいずれも使用することができるが、内層に用いる樹脂よりも融点の高い樹脂を選択するのが好ましい。  また、容器１０の収容部２００の領域を構成するフイルムとして、アルミニウム等の金属箔と上記のプラスチックフイルムの１種又は２種以上を貼合せたものを使用する。特に、水素水の場合には、アルミニウム等の金属箔を含む積層フイルムを使用することが好ましい。その他、ポリ塩化ビニリデン樹脂、ＥＶＡケン化物、ナイロン又は環状オレフィンコポリマー等の樹脂層、アルミニウムや酸化珪素などの金属酸化物蒸着膜を有する樹脂層、粘土鉱物を含有する樹脂層も可能である。
【００５０】  以下、この発明の第２の実施の形態に係る注出口付き容器１０について、図１２〜３２を参照して説明する。図１２は、この発明の第２の実施の形態に係る注出口付き容器を示す正面図である。図１３は、この発明の第２の実施の形態に係る注出口付き容器が備える注出口を示すその底面が見える状態の斜視図である。
【００５１】  この実施の形態に係る注出口付き容器１０は、水素水を入れる容器１０と、容器１０に取り付けられた注出口本体１０２０とを備え、注出口本体１０２０における収容部２００に臨む内開口部１０３０を覆う密封シート１０１４をさらに備える。密封シート１４のアルミニウム領域と容器１０の収容部２００の内面のアルミニウム領域とは、密接して、水素水中の水素が容器１０及び注出口本体２０から抜け出にくい。この実施の形態に係る注出口付き容器１０は、容器１０に収容された水素水を外部に注出するための注出口１０１２を備える。注出口１０１２は、注出口本体１０２０と、開封体１０５０と、起動体１０８０とを含む。注出口本体１０２０の底面には、密封シート１０１４が固着される。開封体１０５０は、注出口本体１０２０に形成された貫通孔１０２６に挿入され、上下方向（軸方向）に移動するように構成され、密封シート１０１４の一部を切り裂くように形成されている。起動体１０８０は、注出口本体１０２０に形成された貫通孔１０２６の外開口部１０２８に螺着されて容器１０を密閉するとともに、注出するときに開封され、且つ開封体１０５０を上下方向に移動させるように構成されている。
【００５２】  この実施の形態に係る注出口付き容器１０の備える注出口本体について、図１４〜１６に基づいて説明する。図１４は、この発明の第２の実施の形態に係る注出口付き容器が備える注出口本体を示す正面図である。図１５は、この発明の第２の実施の形態に係る注出口付き容器が備える注出口本体を示す図であり、（Ａ）が平面図、（Ｂ）が側面図、（Ｃ）が底面図である。図１６は、この発明の第２の実施の形態に係る注出口付き容器が備える注出口本体を示す図１５（Ａ）のＸＶＩ−ＸＶＩ断面図である。
【００５３】  注出口本体１０２０は、容器１０に取り付けられる取付け部１０２２と、取付け部１０２２の天部上面の略中央において上方に向けて突設され、水素水を注出するときの吸口に開封体１０５０を挿入する部位となる筒部１０２４とを有する。  取付け部１０２２、および筒部１０２４は、例えば、合成樹脂などの材料で一体成形される。注出口本体１０２０には、その略中央を上下方向に亘って貫通する、平面視略円形状の貫通孔１０２６が形成される。すなわち、貫通孔１０２６は、取付け部１０２２の底面から筒部１０２４の上面までに亘って貫通する。  貫通孔１０２６は、取付け部１０２２の底面に形成された内開口部１０３０と、筒部１０２４の上面に形成された外開口部１０２８とを有する。
【００５４】  取付け部１０２２は、容器１０を構成する第１容器シート１２１０の端縁と、第２容器シート１２２０の端縁との間に挟持されるように容器１０に取り付けられる。取付け部１０２２は、平面視略ひし形状の底部と、底部の端縁から立ち上がる側部と、底部とほぼ同様の形状を有する天部とを有する。取付け部１０２２の一方側の側部には、３つの横リブ部１３３０ａ，１３３０ｂ，および１３３０ｃと、３つの縦リブ部１３４０ａ，１３４０ｂ，および１３４０ｃとが突設される。３つの横リブ部１３３０ａ，１３３０ｂ，および１３３０ｃは、左右方向（横方向）に直線状に延びる。また、３つの横リブ部１３３０ａ，１３３０ｂ，および１３３０ｃは、互いに平行であり、上下方向に等間隔に設けられる。横リブ部１３３０ｂの略中央には、幅方向に向けて、上記した貫通孔１０２６まで貫通する平面視略円形状の試験用の孔１３３２が形成される。
【００５５】  ４つの縦リブ部１３４０ａ，１３４０ｂ，１３４０ｃ，および１３４０ｄは、上下方向（縦方向）に直線状に延びる。４つの縦リブ部１３４０ａと、１３４０ｂと、１３４０ｃと、１３４０ｄとは、互いに平行であり、左右方向に等間隔に設けられる。なお、取付け部１０２２の他方側の側部は、試験用の孔１３３２が形成されないことを除いて、一方側の側部と同様の構成であるため、ここでは同様となる説明を繰り返さない。
【００５６】  試験用の孔１３３２は、注出口１０１２を組み立てたあと、専用のノズルを突き刺して空気を注入して気圧の変化を測定することにより、密封シート１０１４によって開封体１０５０に形成された注出貫通孔１０５６の入口１０５８（注出口本体１０２０に形成された貫通孔１０２６の内開口部１０３０）が確実に密閉されているか、および起動体１０８０によって注出貫通孔１０５６の出口１０６０（貫通孔１０２６の外開口部１０２８）が確実に密閉されているかを確認することができる。
【００５７】  取付け部１０２２の略中央には、上記したように、平面視略円形状の貫通孔１０２４が形成される。取付け部１０２２に形成された貫通孔１０２４は、開封体１０５０の刃部１０５２を収容するための空間となる。この空間を開封体収容部１０４４とする。開封体収容部１０４４の内壁（すなわち、貫通孔１０２６の側壁下部）には、平面視左回転（反時計回り）にねじを巻いたとき（旋回したとき）進行するネジ（以下、「左ネジ」という）の雌部を構成する左雌ネジ部１３１０（第２の雌ネジ部）が形成される。左雌ネジ部１３１０の下端部（すなわち、左雌ネジ部１３１０の終端部）は、貫通孔１０２６の内開口部１０３０よりもやや上方に位置する。そして、この終端部の近傍には、開封体１０５０の平面視の回転運動（平面視左回転および右回転）を停止させ、開封体１０５０が螺動して上下動することを停止させるための側面視略四角形状の回転停止雄部１３１２が下方（第２の方向）に向けて突設される。回転停止雄部１３１２は、側面視略四角形状である。
【００５８】  筒部１０２４は、吸口となる径および起動体１０８０を螺嵌できる長さの略円筒形状である。筒部１０２４の外面には、右雄ネジ部１０３２（第１の雄ネジ部）と、突条１０４０と、回転停止部１０４２とが突設される。
【００５９】  右雄ネジ部１０３２は、筒部１０２４の外面上部に形成され、平面視右回転（時計回り）でねじを巻いたとき（旋回したとき）進行するネジ（以下、「右ネジ」という）の雄部を構成する。突条１０４０は、右雄ネジ部１０３２の下部において、筒部１０２４の外面全周に亘って設けられる。突条１０４０は、その径方向の寸法が、上端から下端に向かって大きくなる形状である。すなわち、突条１０４０は、上端から下端に向かって傾斜した形状を有する。回転停止部１０４２は、突条１０４０の下部において、周方向に関して等間隔に４つ設けられる。
【００６０】  回転停止部１０４２それぞれは、ガイド面１０４２ａと、ストッパ面１０４２ｂとを有する。筒部１０２４を平面視右回り（時計回り）で見たとき、ガイド面１０４２ａが先に現れる面となり、ストッパ面１０４２ｂが後に現れる面となる。ガイド面１０４２ａは、平面視右回転（時計回り）で見て、先に現れる端縁から後に現れる端縁に向かって径方向の寸法が大きくなるように傾斜している。一方、ストッパ面１０４２ｂは、筒部１０２４の径方向に延びる形状である。すなわち、回転停止部１０４２それぞれは、平面視略直角三角形状である。
【００６１】  この実施の形態に係る注出口付き容器１０の備える開封体について、図１７〜１９に基づいて説明する。図１７は、この発明の第２の実施の形態に係る注出口付き容器が備える開封体を示す正面図である。図１８は、この発明の第２の実施の形態に係る注出口付き容器が備える開封体を示す図であり、（Ａ）が平面図、（Ｂ）が側面図、（Ｃ）が底面図である。図１９は、この発明の第２の実施の形態に係る注出口付き容器が備える開封体を示す図１８（Ａ）のＸＩＸ−ＸＩＸ断面図である。
【００６２】  開封体１０５０は、注出口本体１０２０から抜け出ないように、注出口本体１０２０の貫通孔１０２６の内部を下方に移動するように形成される。開封体１０５０は、刃部１０５２と、刃部１０５２の天部上面の略中央に突設された受動軸部１０５４とを有する。刃部１０５２と、受動軸部１０５４とは、例えば、合成樹脂などの材料で一体成形される。開封体１０５０の上下方向の寸法（すなわち、刃部１０５２と受動軸部１０５４との上下方向の寸法の和）は、注出口本体１０２０のそれよりもやや小さい。開封体１０５０には、その略中央を上下方向に亘って貫通する、すなわち、刃部１０５２の底面から受動軸部１０５４の上面までに亘って貫通する、平面視略円形状の注出貫通孔１０５６が形成される。注出貫通孔１０５６は、刃部１０５２の底面に形成された入口１０５８と、受動軸部１０５４の上面に形成された出口１０６０とを有する。
【００６３】  刃部１０５２は、略円筒形状である。刃部１０５２は、その外径が、注出口本体１０２０に形成された開封体収容部１０４４の内径とほぼ等しいかやや小さい。また、刃部１０５２は、その上下方向の寸法が、注出口本体１０２０に形成された開封体収容部１０４４のそれとほぼ同じかやや小さい。  刃部１０５２は、下端部から上方に向かうほどにその径方向の寸法が大きくなるように形成されている。刃部１０５２は、上端部から下端部近傍まで形成された基礎部１０６２と、下端部に形成された切刃部１０６４とを有する。基礎部１０６２の外面には、左ネジの雄部を構成する左雄ネジ部１３６０（第２の雄ネジ部）が形成される。この左雄ネジ部１３６０は、上記した注出口本体１０２０の内面に形成された左雌ネジ部１３１０に螺合する。左雄ねじ部１３１０の始端部の近傍には、側面視略四角形状に凹むように回転停止雌部１３６２が形成される。この回転停止雌部１３６２は、上記した左雌ネジ部１３１０の終端部に形成された回転停止雄部１３１２と協働して作用する。この協働態様の詳細については後述する。基礎部１０６２における左雄ネジ部１３１０の下部には、径方向の寸法の小さくなる段差としてフランジ部１３７０が全周に亘って形成される。切刃部１０６４は、その上端部から下端部に向けて径方向の寸法が小さくなるように形成される。切刃部１０６４には、その下端部から上端部まで延びる側面視略四角形状の切欠き部１３８０が形成される。切欠き部１３８０は、平面視したとき、上記した左雄ねじ部１３１０の始端部の近傍に形成された回転停止雌部１３６２と約３００°ずれた位置に形成される。なお、切欠き部１３８０は、下底の長さ寸法が上底のそれよりもやや大きく、且つ上底の両端の内角が互いに等しい台形状に形成されることが好ましい。
【００６４】  受動軸部１０５４は、その上下方向の寸法が、注出口本体１０２０の筒部１０２４のそれよりもやや小さい略円筒形状である。受動軸部１０５４の外面には、その上端部から下端部まで上下方向に延びる受動部としての３つの羽根部１３９０が突設される。羽根部１３９０は、それぞれ、互いに同様の形状を有し、受動軸部１０５４の周方向に等間隔に形成される。受動軸部１０５４は、平面視で見て、３つの羽根部１３９０の先端を結んだときに描かれる円の直径（すなわち、受動軸部１０５４の羽根部１３９０を含む外径）が、注出口本体１０２０の筒部１０２４の内径にほぼ等しいかやや小さい。羽根部１３９０は、起動体１０８０が左回転（反時計回り）するのに連動して開封体１０５０も左回転するための構成を有する。羽根部１３９０は、それぞれ、平面視したとき、左回転（反時計回り）で見て先に現れる面が突出する方向と受動軸部１０５４の外面の接線方向とのなす角度が、左回転で見て後に現れる面が突出する方向と受動軸部１０５４の外面の接線方向とのなす角度よりも小さくなるように形成される。すなわち、羽根部１３９０それぞれは、平面視したとき、左回転で見ると、その根元（すなわち、受動軸部１０５４の外面との接続部）からその先端に向けて後退するように傾斜している。なお、受動軸部１０５４の外面は、その上端部から下端部に向けて径方向の寸法がやや小さくなるように形成されることが好ましい。
【００６５】  この実施の形態に係る注出口付き容器１０の備える起動体について、図２０〜２３に基づいて説明する。図２０は、この発明の第２の実施の形態に係る注出口付き容器が備える起動体を示す正面図である。図２１は、この発明の第２の実施の形態に係る注出口付き容器が備える起動体を示す図であり、（Ａ）が平面図、（Ｂ）が底面図である。図２２は、この発明の第２の実施の形態に係る注出口付き容器が備える起動体を示す図であり、（Ａ）が図２１（Ａ）のＸＸＩＩＡ−ＸＸＩＩＡ断面図、（Ｂ）が図２０のＸＸＩＩＢ−ＸＸＩＩＢ断面図である。図２３は、この発明の第２の実施の形態に係る注出口付き容器が備える起動体のタンパーエビデンスを示す斜視図である。
【００６６】  起動体１０８０は、注出口本体１０２０の軸方向の一方の端部に取り外し可能に螺合できるように、且つ開封体１０５０を注出口本体１０２０の貫通孔１０２６の内部を下方に移動させるように形成される。起動体１０８０は、キャップ１０８２と、初期状態のキャップ１０８２に手を加えられたことを明確とするためのタンパーエビデンス１０８４とを含む。
【００６７】  キャップ１０８２は、平面視略円形状の頂部１０９０と、頂部１０９０の端縁から垂下された側壁である垂下部１０９２とを含む。すなわち、キャップ１０８２は、その底面に開口を有する略円柱形状である。頂部１０９０と垂下部１０９２とは、合成樹脂で一体成形される。キャップ１０８２の内径は、注出口本体の１０２０の筒部１０２４の外径とほぼ等しいかやや大きい。また、キャップ１０８２は、その上下方向の寸法が、注出口本体１０２０の上端部から突条１０４０までの寸法とほぼ等しい。頂部１０９０の内面には、垂下部１０９２と同じ方向に垂れ下がる３つの作動部としての羽根押し部１０８６が配設される。垂下部１０９２の内面には、右ネジの雌部を構成する右雌ネジ部１０８８（第１の雌ネジ部）が形成される。３つの羽根押し部１０８８は、それぞれ、同様の形状を有する。また、３つの羽根押し部１０８８は、それぞれ、平面視したとき、略円弧状に形成される。また、３つの羽根押し部１０８８は、それぞれ、平面視したとき、互いに結んだとき一つの円を描くように配設される。また、３つの羽根押し部１０８８は、それぞれ、平面視左回転で見たとき、後に現れる端部の径方向の寸法が先に現れる端部のそれよりもやや大きく形成されることが好ましい。この右雌ネジ部１０８８は、上記した注出口本体１０２０の外面に形成された右雄ネジ部１０３２に螺合する。
【００６８】  タンパーエビデンス１０８４は、その内径および外径が、キャップ１０８２のそれらとほぼ同じ円環状に形成される。また、タンパーエビデンス１０８４は、その高さ方向の寸法が、注出口本体１０２０の回転停止部１０４２のそれとほぼ同じである。タンパーエビデンス１０８４は、その上面に２つの連結部１４１０および４つの上面仮連結部１４１２が突設され、その側壁の外面に４つの側面仮連結部１４１４が突設され、その側壁の内面に回転停止部１０９８が突設される。起動体１０８０は、出荷時の初期状態（すなわち、注出口本体１０２０、開封体１０５０および起動体１０８０が組み立てられてなる注出口１０１２の底面に密封シート１０１４を固着した状態で、注出口１０１２をその収容部２００に水素水を収容した容器１０の端縁に取り付けて密封した状態）において、そのキャップ１０８２の下端部と、そのタンパーエビデンス１０８４の２つの連結部１４１０それぞれの先端部および４つの上面仮連結部１４１２それぞれの先端部とが連結されている。また、タンパーエビデンス１０８４は、初期状態において、４つの側面仮連結部１４１４により、その全周に亘って連結されている。２つの連結部１４１０は、側面視略Ｌ字状である。また、４つの上面仮連結部１４１２および４つの側面仮連結部１４１４の連結は、容易に破断するように構成されている。この回転停止部１０９８は、上記した回転停止部１０４２と協働して作用する。この協働態様の詳細については後述する。
【００６９】  つづいて、注出口１０１２を組み立てる手順の一例について、図２４〜２６に基づいて説明する。図２４は、この発明の第２の実施の形態に係る注出口付き容器の備える注出口本体、開封体および起動体を組み立てる順に並べて底面側から見たときの斜視図である。図２５は、この発明の第２の実施の形態に係る注出口付き容器に密封シートを固着する方向で並べて底面側から見たときの斜視図である。図２６は、この発明の第２の実施の形態に係る注出口付き容器が備える注出口を示す高さ方向の断面図である。
【００７０】  まず、平面視したとき、起動体１０８０の中心と注出口本体１０２０の筒部１０２４の中心とが同心となるように、起動体１０８０を注出口本体１０２０の上面側（筒部１０２４の上面側）から嵌め込んでいく。
【００７１】  そうすると、起動体１０８０の内面に形成された右雌ネジ部１０８８の下端部（すなわち、右雌ネジ部１０８８の始端部）に、注出口本体１０２０の上部（筒部１０２４）の外面に形成された右雄ネジ部１０３２の上端部（すなわち、右雄ネジ部１０３２の終端部）が突き当たる。
【００７２】  ここから、起動体１０８０を平面視右回転（時計回り）させることにより、右雌ネジ部１０８８と右雄ネジ部１０３２とを螺合させる。このようにして、起動体１０８０は、注出口本体１０２０の下方へと進行する。
【００７３】  右雌ネジ部１０８８と右雄ネジ部１０３２とを螺合させていき、起動体１０８０を下方へと進行させていくと、タンパーエビデンス１０８４の側壁の内面に突設された回転停止部１０９８が、注出口本体１０２０の外面に突設された回転停止部１０４２のガイド面１０４２ａに当接する。ここで、上記したように、ガイド面１０４２ａは、注出口本体１０２０を平面視右回転（時計回り）で見たとき、先に現れる端縁から後に現れる端縁に向かって径方向の寸法が大きくなるように傾斜している。注出口本体１０２０の回転停止部１０４２がこのような形状を有することにより、タンパーエビデンス１０８４の回転停止部１０９８は、注出口本体１０２０の回転停止部１０４２のガイド面１０４２を容易に乗り越える。したがって、タンパーエビデンス１０８４（起動体１０８０）が右回転（時計回り）しつづけることができる。
【００７４】  起動体１０８０の頂部１０９０の内面と、注出口本体１０２０の上端とが当接またはほぼ当接するまで、起動体１０８０を右回転（時計回り）させ、下方に進行させる。起動体１０８０を最後まで螺合すると、キャップ１０８２の下端部が注出口本体１０２０の突条１０４０の上部近傍に位置し、タンパーエビデンス１０８４が注出口本体１０２０の回転停止部１０４２とほぼ同じ高さに位置する。すなわち、キャップ１０８２の垂下部１０９２の内面が注出口本体１０２０の突条１０４０よりも上部の外面に対向し、且つタンパーエビデンス１０８４の内面が注出口本体１０２０の回転停止部１０４２の外面に対向するようになる。このようにして、起動体１０８０を注出口本体１０２０の上部に螺合させる。
【００７５】  次に、平面視したとき、注出口本体１０２０の開封体収容部１０４４の中心と開封体１０５０の中心とが同心となるように、注出口本体１０２０の貫通孔１０２６の内開口部１０３０側（すなわち、注出口本体１０２０の底面側）から、開封体１０５０を挿し込む。このとき、開封体１０５０をその受動軸部１０５４の上端部から貫通孔１０５０に挿し込む。
【００７６】  このとき、注出口本体１０２０に形成された回転停止雄部１３１２が、平面視したとき、開封体１０５０に形成された回転停止雌部１３６２と約３００°ずれた位置になるように、注出口本体１０２０の貫通孔１０２６に開封体１０５０を挿し込む。このとき、注出口本体１０２０に形成された回転停止雄部１３１２は、開封体１０５０に形成された切欠き部１３６０とほぼ同じ位置になる。
【００７７】  注出口本体１０２０の回転停止雄部１３１２の先端部に開封体１０５０に形成された左右方向延在部１３６０ａが突き当たるまで、注出口本体１０２０の貫通孔１０５０に開封体１０５０を挿し込むと、開封体１０５０の刃部１０５２が注出口本体１０２０の開封体収容部１０４４に完全に収容される。このとき、刃部１０５２の上面と開封体収容部１０４４の上壁とが接するか互いに近傍に位置し、且つ刃部１０５２の底面（すなわち、開封体１０５０の底面）と、開封体収容部１０４４の底面（すなわち、注出口本体１０２０の底面）とがほぼ同じ高さになる。また、このとき、開封体１０５０は、その受動軸部１０５４が、注出口本体１０２０の筒部１０２４の内部（すなわち、貫通孔１０２６の開封体収容部１０４４よりも上部）を延びる。なお、平面視したとき、開封体１０５０の受動軸部１０５４の中心と、注出口本体１０２０の筒部１０２４の中心とは同心である。さらに、このとき、開封体１０５０の受動軸部１０５４の外面に突設された３つの羽根部１３９０の平面視左回転（反時計回り）で見て先に現れる面が、起動体１０８０の頂部１０９０から下方に延びるように形成された３つの羽根押し部１０８６それぞれの平面視左回転（反時計回り）で見て先に現れる端部に対向する。
【００７８】  上記のようにして、注出口本体１０２０の上部に起動体１０８０を螺合し、注出口本体１０２０の貫通孔１０２６に開封体１０５０を挿し込むことにより、注出口１０１２を組み立てる。そして、注出口１０１２の底面（すなわち、注出口本体１０２０の底面）に密封シート１０１４を固着する。このとき、貫通孔１０２６の内開口部１０３０を密閉するように、密封シート１０１４を固着する。なお、密封シート１０１４の構成については、上記した実施の形態と同様であるため、ここでは同様となる説明を繰り返さない。そして、その底面に密封シート１０１４が固着された注出口１０１２を容器１０に取り付ける。このようにして得られた注出口付き容器１０は、密封シート１０１４により、容器１０の収容部２００と、注出口１０１２に形成された貫通孔１０２６とが遮蔽されている。したがって、容器１０の収容部２００に収容された水素が、取付け部１０２２および注出口１０１２の貫通孔１０２６から漏れ出ることを防止することができる。
【００７９】  つづいて、密封シート１０１４の一部を切り裂くことにより、容器１０の収容部２００と、注出口１０１２に形成された貫通孔１０２６とを連通し、水素水を飲むことができる状態とする態様の一例について、図２７〜３２に基づいて説明する。図２７は、この発明の第２の実施の形態に係る注出口付き容器が備える注出口を示す図であり、（Ａ）が図２６のＸＸＶＩＩ−ＸＸＶＩＩ断面図、（Ｂ）が起動体を左回転させたときの羽根押し部と羽根部の関係を示す模式図である。図２８は、この発明の第２の実施の形態に係る注出口付き容器が備える注出口本体の左雌ネジ部と、開封体の左雄ネジ部とが螺合する様子を示す模式展開図であり、（Ａ）が回転角度０°、（Ｂ）が回転角度１５０°、（Ｃ）が回転角度３００°を示す図である。図２９は、この発明の第２の実施の形態に係る注出口付き容器が備える密封シートの一部が切り裂かれる様子を示す模式平面図であり、（Ａ）が回転角度０°、（Ｂ）が回転角度１５０°、（Ｃ）が回転角度３００°を示す図である。図３０は、この発明の第２の実施の形態に係る注出口付き容器が備える密封シートの一部を切り裂いた状態を底面側から見たときの斜視図である。図３１は、この発明の第２の実施の形態に係る注出口付き容器が備える密封シートの一部を切り裂いた状態を示す高さ方向の断面図である。図３２は、この発明の第２の実施の形態に係る注出口付き容器を示す図１９のフランジ部近傍の断面図である。
【００８０】  起動体１０８０をその垂下部１０９２を把持して平面視左回転（反時計回り）させ、（連通回転方向に回転させ、）起動体１０８０を上方（第１の方向）に移動させる。これにより、タンパーエビデンス１０８４の４つの上面仮連結部１４１２とキャップ１０８２の下端部との連結が破断する。また、これと同時に、タンパーエビデンス１０８４の側壁の内面に突設された回転停止部１０９８が、注出口本体１０２０の外面に突設された回転停止部１０４２のストッパ面１０４２ｂに当接し、これを乗り越えようとする。このとき、タンパーエビデンス１０８４の内径が注出口本体１０２０の回転停止部１０４２により押し広げられるため、タンパーエビデンス１０８４を周方向に仮連結する４つの側面仮連結部１４１４も破断する。なお、タンパーエビデンス１０８４の平面視略Ｌ字形状の２つの連結部１４１０は、タンパーエビデンス１０８４の内径が広がる方向に撓み、キャップ１０８２の下端部と連結された状態を保つ。
【００８１】  タンパーエビデンス１０８４の上面仮連結部１４１２および側面仮連結部１４１４の連結が破断すると、密閉されたキャップ１０８２に手を加えられたことが明確となる。これにより、安全性を確保することができる。さらに、タンパーエビデンス１０８４は、上面仮連結部１４１２および側面仮連結部１４１４の連結が破断しても、連結部１４１０がキャップ１０８２の下端部と連結された状態を保つ。すなわち、キャップ１０８２とタンパーエビデンス１０８４とが連結部１４１０により常に連結された状態であるため、注出口１０１２を開け閉めする際の使い勝手が良好となる。
【００８２】  上記したように、起動体１０８０を平面視左回転（反時計回り）させ、上方（第１の方向）に移動させることにより、タンパーエビデンス１０８４の上面仮連結部１４１２および側面仮連結部１４１４の連結が破断する。これと同時に、起動体１０８０の頂部１０９０から下方に延びるように形成された３つの羽根押し部１０８６それぞれの平面視左回転（反時計回り）で見て先に現れる端部が、開封体１０５０の受動軸部１０５４の外面に突設された３つの羽根部１３９０の左回転（反時計回り）で見て先に現れる面に当接し、これを摺動しながら押し進める。これにより、注出口本体１０２０に挿入された開封体１０５０も平面視左回転（反時計回り）させる。
【００８３】  開封体１０５０は、平面視左回転（反時計回り）すると、その外面下部に形成された左雄ネジ部１３６０が、注出口本体１０２０の内壁に形成された左雌ネジ部１３１０にガイドされて螺送され、下方（第２の方向）へと進行する。すなわち、開封体１０５０は、起動体１０８０が移動する上方向（第１の方向）とは反対の下方向（第２の方向）に移動する。
【００８４】  開封体１０５０は、初期状態において、その底面の高さが、注出口本体１０２０の底面の高さ（すなわち、貫通孔１０２６の内開口部１０３０の高さ）と同じである。開封体１０５０が、この初期状態から、平面視左回転（反時計回り）させられることにより下方に移動していくと、その下端に形成された刃部１０５２が注出口本体１０２０の底面から突き出てくる。このとき、刃部１０５２の下端部に形成された切欠き部１３８０が、回転しながら円を描くように、注出口本体１０２０の底面に固着された密封シート１０１４を切り裂いていく。
【００８５】  このときの作動態様の模式図を図２８および図２９に示す。
【００８６】  開封体１０５０は、初期状態から３００°左回転（反時計回り）すると、開封体１０５０が下方へ移動することで羽根押し部１０８６と羽根部１３９０が接しなくなり、開封体１０５０の回転が止まるとともに、その左雄ネジ部１３６０の終端部近傍に形成された回転停止雌部１３６２に、注出口本体１０２０の左雌ネジ部１３１０の始端部近傍に形成された回転停止雄部１３１２が嵌合する。これにより、開封体１０５０は、初期状態から３００°左回転（反時計回り）した状態でその回転が規制され、上下方向へも移動できなくなる。このように、開封体１０５０を３００°左回転（反時計回り）させることにより、密封シート１０１４の一部が切り裂かれ、容器１０の収容部２００と、開封体１０５０の注出貫通孔１０５６（および注出口本体１０２０の貫通孔１０２６）とが連通する。なお、密封シート１０１４は、上記したように３００°しか切り裂かれない。すなわち、密封シート１０１４の残りの６０°の部分が、その他の部分に繋がったままであるため、円状の切り屑が密封シート１０１４のその他の部分に垂れ下がった状態となる。したがって、切り屑が容器１０の収容部２００に落下しないため、切り屑を誤飲してしまうことを防止することができる。なお、上記では、開封体１０５０が３００°左回転させられるとして説明したが、この場合に限られず、３６０°未満のその他の角度回転させられることにより、密封シート１０１４の切り裂かれた部分と、その他の部分とが繋がった状態となるようにしてもよい。
【００８７】  刃部１０５２は、下端部から上方に向かうほどにその径方向の寸法が大きくなるように形成されている。したがって、密封シート１０１４は、その円状に切り裂かれた部分の径方向の寸法が、開封体１０５０が下方に進むほどに、刃部１０５２の外面に押し広げられ、徐々に大きくなっていく。そして、開封体１０５０が３００°左回転（反時計回り）したあと、開封体１０５０のフランジ部１３７０の底面が密封シート１０１４の上面（内面）の円状に切り裂かれた部分の外縁部に載置された状態になる。これにより、開封体１０５０が容器１０の収容部２００に落下してしまうこと防止できる。
【００８８】  上記したように、起動体１０８０を平面視左回転（反時計回り）させることにより、起動体１０８０が上方に移動する。これにより、タンパーエビデンス１０８４の仮連結が破断し、密閉されたキャップ１０８２に手を加えられたことが明確となる。また、これと同時に、開封体１０８０が平面視左回転（反時計回り）しながら下方に移動する。これにより、密封シート１０１４の一部が切り裂かれ、容器１０の収容部２００と注出口本体１０２０の貫通孔１０２６（開封体１０５０の注出貫通孔１０５６）とが連通する。このとき、起動体１０８０を約３００°左回転（反時計回り）させた状態である。ここからさらに起動体１０８０を平面視左回転（反時計回り）させることにより、起動体１０８０を上方に移動させ、起動体１０８０の内面に形成された右雌ネジ部１０８８と、注出口本体１０２０の外面に形成された右雄ネジ部１０３２との螺合状態を開放し、起動体１０８０を注出口本体１０２０から取り外す。このようにして、開封体１０５０に形成された注出貫通孔１０５６の出口（および注出口本体１０２０に形成された外開口部１０２８）が開放される。
【００８９】  なお、起動体１０８０を注出口本体１０２０から取り外した後、再び取り付けることにより、注出口本体１０２０に形成された貫通孔１０２６の外開口部１０２８（受動軸部１０５４に形成された注出貫通孔１０５６の出口１０６０）を塞ぎ、水素水が容器１０の収容部２００から外部に漏れ出すことを防止することができる。起動体１０８０を、注出口本体１０２０に取り付けるため、注出口本体１０２０の上端部に被せ、平面視右回転させることにより螺合させていくと、起動体１０８０に形成された３つの羽根部１３９０の下端部が、貫通孔１０２６に挿入された受動軸部１０５４の羽根押し部１０８６の上端部に突き当たる。
【００９０】  図３３は、この発明の第２の実施の形態に係る注出口付き容器が備える起動体を注出口本体から取り外した後、再び取り付けるときの羽根押し部と羽根部の関係を示す模式図である。ここで、上記したように、起動体１０８０に形成された３つの羽根部１３９０は、それぞれ、平面視したとき、左回転（反時計回り）で見て先に現れる面が突出する方向と受動軸部１０５４の外面の接線方向とのなす角度が、左回転で見て後に現れる面が突出する方向と受動軸部１０５４の外面の接線方向とのなす角度よりも小さくなるように形成される。また、上記したように、起動体１０８０に形成された３つの羽根押し部１０８８は、それぞれ、平面視左回転で見たとき、後に現れる端部の径方向の寸法が先に現れる端部のそれよりもやや大きく形成される。羽根部１３９０および羽根押し部１０８６は、このような形状を有することにより、起動体１０８０を取り付け終わる間際に干渉し合う際、互いに変形して力を逃がすことができる。
【００９１】  この実施の形態に係る注出口付き容器１０は、上記したように、初期状態から起動体１０８０を平面視左回転（反時計回り）させて注出口本体１０２０から取り外すだけで、密閉されたキャップ１０８２に手を加えられたことが明確となり、且つ容器１０の収容部２００と注出口本体１０２０の貫通孔１０２６（開封体１０５０の注出貫通孔１０５６）とが連通し、水素水を飲むことができる状態となる。したがって、密封シート１０１４を切り裂くための特段の手順を必要としないため、使い勝手の良好な注出口付き容器１０を提供することができる。
【００９２】  なお、上記した実施の形態では、第１の雄ネジ部および第１の雌ネジ部が右ネジ（右雄ネジ部１０３２、右雌ネジ部１０８８）であり、第２の雄ネジ部および第２の雌ネジ部が左ネジ（左雄ネジ部１３６０、左雌ネジ部１３１０）である場合について説明した。しかしながら、この場合に限られず、第１の雄ネジ部および第１の雌ネジ部が左ネジであり、第２の雄ネジ部および第２の雌ネジ部が右ネジであってもよい。
【００９３】（第３の実施の形態に係る注出口付き容器１０）  以下、この発明の第３の実施の形態に係る注出口付き容器１０について、図３４〜６３を参照して説明する。図３４は、この発明の第３の実施の形態に係る注出口付き容器を示す正面図である。図３５は、この発明の第３の実施の形態に係る注出口付き容器が備える注出口を示すその底面が見える状態の斜視図である。
【００９４】  この実施の形態に係る注出口付き容器１０は、水素水を入れる容器１０と、容器１０に取り付けられた注出口本体１０２０とを備え、注出口本体１０２０における収容部２００に臨む内開口部１０３０を覆う密封シート１０１４をさらに備える。  密封シート１０１４を構成するアルミシートは、注出口本体１０２０の底面とほぼ同じ大きさである。  密封シート１０１４のアルミニウム領域と容器１０の収容部２００の内面のアルミニウム領域とは、密接して、水素水中の水素が容器１０及び注出口本体１０２０から抜け出にくい。  この実施の形態に係る注出口付き容器１０は、容器１０に収容された水素水を外部に注出するための注出口１０１２を備える。  なお、注出口付き容器１０が収容することのできる水素水の容量は、１５０ｍｌ、３００ｍｌまたは５００ｍｌなどにすることができるが、特に限定されない。
【００９５】（注出口１０１２）  注出口１０１２は、注出口本体１０２０と、開封体１０５０と、起動体１０８０とを含む。注出口本体１０２０の底面には、密封シート１０１４が固着される。開封体１０５０は、注出口本体１０２０に形成された貫通孔１０２６に挿入され、上下方向（軸方向）に移動するように構成され、密封シート１０１４の一部を切り裂くように形成されている。  起動体１０８０は、注出口本体１０２０に形成された貫通孔１０２６の外開口部１０２８に螺着されて容器１０を密閉するとともに、注出するときに開封され、且つ開封体１０５０を密封シート１０１４の方向に移動させるように構成されている。
【００９６】（注出口本体１０２０）  この実施の形態に係る注出口付き容器１０が備える注出口本体について、図３６〜４１に基づいて説明する。図３６は、この発明の第３の実施の形態に係る注出口付き容器が備える注出口本体を示す正面図である。図３７Ａは、この発明の第３の実施の形態に係る注出口付き容器が備える注出口本体を示す平面図である。図３７Ｂは、この発明の第３の実施の形態に係る注出口付き容器が備える注出口本体を示す側面図である。図３７Ｃは、この発明の第３の実施の形態に係る注出口付き容器が備える注出口本体を示す底面図である。図３７Ｄは、この発明の第３の実施の形態に係る注出口付き容器が備える注出口本体と開封体とを組み合わせた状態を示す底面図である。図３８Ａは、この発明の第３の実施の形態に係る注出口付き容器が備える注出口本体の図３７Ａに示すＸＸＸＶＩＩＩＡ−ＸＸＸＶＩＩＩＡ断面図である。図３８Ｂは、この発明の第３の実施の形態に係る注出口付き容器が備える注出口本体の図３７Ａに示すＸＸＸＶＩＩＩＢ−ＸＸＸＶＩＩＩＢ断面図である。図３９は、この発明の第３の実施の形態に係る注出口付き容器が備える注出口本体の底面が見える状態で、第１の凸部および第２の凸部を明示した斜視部分拡大図である。図４０は、この発明の第３の実施の形態に係る注出口付き容器が備える注出口本体の底面図で、第１の凸部および第２の凸部を明示した部分拡大図である。図４１は、この発明の第３の実施の形態に係る注出口付き容器が備える注出口本体の高さ方向に沿った断面図であり、第１の凸部およびその近傍の拡大図である。
【００９７】  注出口本体１０２０は、容器１０に取り付けられる取付け部１０２２と、取付け部１０２２の天部上面の略中央において上方に向けて突設され、水素水を注出するときの吸口に開封体１０５０を挿入する部位となる筒部１０２４とを有する。  取付け部１０２２及び筒部１０２４は、例えば、合成樹脂などの材料で一体成形される。注出口本体１０２０には、その略中央を上下方向に亘って貫通する、平面視略円形状の貫通孔１０２６が形成される。すなわち、貫通孔１０２６は、取付け部１０２０の底面から筒部１０２４の上面までに亘って貫通する。貫通孔１０２６は、取付け部１０２２の底面に形成された内開口部１０３０と、筒部１０２４の上面に形成された外開口部１０２８とを有する。
【００９８】  取付け部１０２２は、容器１０を構成する第１容器シート１２１０の端縁と、第２容器シート１２２０の端縁との間に挟持されるように容器１０に取り付けられる。取付け部１０２２は、平面視略ひし形状の底部と、底部の端縁から立ち上がる側部と、底部とほぼ同様の形状を有する天部とを有する。  取付け部１０２２の一方側の側部には、３つの横リブ部１３３０ａ，横リブ部１３３０ｂ及び横リブ部１３３０ｃと、４つの縦リブ部１３４０ａ，縦リブ部１３４０ｂ，縦リブ部１３４０ｃ及び縦リブ部１３４０ｄが突設される。  ３つの横リブ部１３３０ａ，横リブ部１３３０ｂ及び横リブ部１３３０ｃは、左右方向（横方向）に直線状に延びる。また、３つの横リブ部１３３０ａと横リブ部１３３０ｂと横リブ部１３３０ｃとは、互いに平行であり、上下方向に等間隔に設けられる。  横リブ部１３３０ｂの略中央には、幅方向に向けて、上記した貫通孔１０２６まで貫通する平面視略円形状の試験用の孔１３３２が形成される。
【００９９】  ４つの縦リブ部１３４０ａ，１３４０ｂ，１３４０ｃ及び１３４０ｄは、上下方向（縦方向）に直線状に延びる。４つの縦リブ部１３４０ａと縦リブ部１３４０ｂと縦リブ部１３４０ｃと縦リブ部１３４０ｄは、互いに平行であり、左右方向に等間隔に設けられる。  なお、取付け部１０２２の他方側の側部は、試験用の孔１３３２は、それが形成されないことを除いて、一方側の側部と同様の構成であるため、ここでは同様となる説明を繰り返さない。
【０１００】  試験用の孔１３３２は、注出口１０１２を組み立てたあと、注出口付き容器の密封状態を確認するために設けられる。試験用の孔１３３２から専用のノズルを突き刺して空気を注入し、注出口本体１０２０内部の気圧変化を測定するように形成されている。  これにより、密封シート１０１４によって開封体１０５０に形成された注出貫通孔１０５６の入口１０５８（注出口本体１０２０に形成された貫通孔１０２６の内開口部１０３０）が確実に密閉されているか、および起動体１０８０によって注出貫通孔１０５６の出口１０６０（貫通孔１０２６の外開口部１０２８）が確実に密閉されているかを確認することができる。
【０１０１】  取付け部１０２２の略中央には、上記したように、平面視略円形状の貫通孔１０２６が形成される。取付け部１０２２に形成された貫通孔１０２６は、開封体１０５０の刃部１０５２を収容するための空間となる開封体収容部１０４４が形成される。  開封体収容部１０４４は、径及び高さが開封体１０５０の刃部１０５２の径及び高さとほぼ同じまたはやや大きい。  開封体収容部１０４４の内壁（すなわち、貫通孔１０２６の側壁下部）には、らせん状の斜面に形成された案内斜面１３１０ｄが形成される。案内斜面１３１０ｄの下端部（すなわち、案内斜面１３１０ｄの終端部）は、貫通孔１０２６の内開口部１０３０よりもやや上方に位置する。  そして、この終端部の近傍には、側面視略四角形状の回転停止雄部１３１２が下方（第２の方向）に向けて突設される。回転停止雄部１３１２は、注出口本体の回転規制係合部を構成し、開封体１０５０の平面視の回転運動（平面視左回転および右回転）を停止させ、開封体１０５０が回転しながら上下動することを停止させるために形成される。回転停止雄部１３１２は、側面視略四角形状である。
【０１０２】  この実施の形態に係る注出口本体１０２０の取り付け部１０２２の底面には、密封シート１０１４を確実に固着するために、第１の凸部１０３６と、第２の凸部１０３８とが突設される。図３９および図４０において、第１の凸部１０３６および第２の凸部１０３８が点描画法で示されている。図４１の断面図に示すように、第１の凸部１０３６は、下方に向けて広がる断面半円弧状で低い丘陵状の突部である。また、第２の凸部１０３８も、第１の凸部１０３６と同様の形状の突部である。  第１の凸部１０３６は、貫通孔１０２６の外縁に沿って突設され、底面視略円形の筋状である。なお、第１の凸部１０３６は、貫通孔１０２６の外縁と所定の距離だけ離間して形成される。  第２の凸部１０３８は、注出口本体１０１４の底面の外縁に沿って突設された直線筋状であり、底面視略ひし形状である。なお、第２の凸部１０３８は、注出口本体１０１４の底面の外縁と所定の距離だけ離間して形成される。  第２の凸部１０３８の前端部分は、第１の凸部１０３６の前端部分と、接線状に互いに重なり合う。第２の凸部１０３８の前述した重なり合う部分の底面視形状は、第１の凸部１０３６の底面視形状と同様である。すなわち、第２の凸部１０３８の前端部分の底面視形状は、前方に向けて湾曲した形状となる。なお、第１の凸部１０３６の後端部分および第２の凸部１０３８の後端部分についても同様である。
【０１０３】  筒部１０２４は、吸口となる径および起動体１０８０を螺嵌できる長さの略円筒形状である。筒部１０２４の外面には、右雄ネジ部１０３２（第１の雄ネジ部）と、突条１０４０と、回転停止部１０４２とが突設される。
【０１０４】  右雄ネジ部１０３２は、筒部１０２４の外面上部に形成され、平面視右回転（時計回り）でねじを巻いたとき（旋回したとき）進行するネジ（以下、「右ネジ」という）の雄部を構成する。突条１０４０は、右雄ネジ部１０３２の下部において、筒部１０２４の外面全周に亘って設けられる。突条１０４０は、その径方向の寸法が、上端から下端に向かって大きくなる形状である。すなわち、突条１０４０は、上端から下端に向かって傾斜した形状を有する。回転停止部１０４２は、突条１０４０の下部において、周方向に関して等間隔に４つ設けられる。
【０１０５】  回転停止部１０４２それぞれは、ガイド面１０４２ａと、ストッパ面１０４２ｂとを有する。筒部１０２４を平面視右回り（時計回り）で見たとき、ガイド面１０４２ａが先に現れる面となり、ストッパ面１０４２ｂが後に現れる面となる。  ガイド面１０４２ａは、平面視右回転（時計回り）で見て、先に現れる端縁から後に現れる端縁に向かって径方向の寸法が大きくなるように傾斜している。  一方、ストッパ面１０４２ｂは、筒部１０２４の径方向に延びる形状である。すなわち、回転停止部１０４２それぞれは、平面視略直角三角形状である。
【０１０６】（開封体１０５０）  この実施の形態に係る注出口付き容器１０の備える開封体について、図４２〜４６に基づいて説明する。図４２は、この発明の第３の実施の形態に係る注出口付き容器が備える開封体を示すその底面が見える状態の斜視図である。図４３は、この発明の第３の実施の形態に係る注出口付き容器が備える開封体を示すその天面が見える状態の斜視図である。図４４は、この発明の第３の実施の形態に係る注出口付き容器が備える開封体を示す正面図である。図４５Ａは、この発明の第３の実施の形態に係る注出口付き容器が備える開封体を示す平面図である。図４５Ｂは、この発明の第３の実施の形態に係る注出口付き容器が備える開封体を示す側面図である。図４５Ｃは、この発明の第３の実施の形態に係る注出口付き容器が備える開封体を示す底面図である。図４６は、この発明の第３の実施の形態に係る注出口付き容器が備える開封体を示す図４５ＡのＸＬＶＩ−ＸＬＶＩ断面図である。
【０１０７】  開封体１０５０は、注出口本体１０２０から抜け出ないように、注出口本体１０２０の貫通孔１０２６の内部を下方に移動するように形成される。開封体１０５０は、軸方向に延びる受動軸部１０５４と、受動軸部１０５４の下端部の外壁を覆うように形成された刃部１０５２とを有する。刃部１０５２と、受動軸部１０５４とは、例えば、合成樹脂などの材料で一体成形される。開封体１０５０の上下方向の寸法（受動軸部１０５４の上下方向の寸法）は、注出口本体１０２０のそれよりもやや小さい。開封体１０５０には、その略中央を上下方向に亘って貫通する、すなわち、刃部１０５２の底面から受動軸部１０５４の上面までに亘って貫通する、平面視略円形状の注出貫通孔１０５６が形成される。注出貫通孔１０５６は、刃部１０５２の底面に形成された入口１０５８と、受動軸部１０５４の上面に形成された出口１０６０とを有する。
【０１０８】  刃部１０５２は、その外径が、注出口本体１０２０に形成された開封体収容部１０４４の内径とほぼ等しいかやや小さい。また、刃部１０５２は、その上下方向の寸法が、注出口本体１０２０に形成された開封体収容部１０４４のそれとほぼ同じかやや小さい。刃部１０５２は、その上端部から下端部近傍までの基礎部１０６２と、その下端部の切刃部１０６４とを有する。基礎部１０６２の外面には、左ネジの雄部を構成する被案内斜面１３６０ｃが形成される。この被案内斜面１３６０ｃは、上記した注出口本体１０２０の内面に形成された案内斜面１３１０ｄに対応したらせん状の斜面を有する。  開封体１０５０の被案内斜面１３６０ｃは、初期状態から左に向かうに従って上昇する上向きの小道であり、注出口本体１０２０の案内斜面１３１０ｄは、初期状態から左に向かうに従って上昇する下向きの小道である（図４４及び図４５参照）。  開封体１０５０の被案内斜面１３６０ｃは、注出口本体１０２０の案内斜面１３１０ｄの下方に位置し、被案内斜面１３６０ｃの下部領域が注出口本体１０２０の回転停止雄部１３１２の近傍に位置している。開封体１０５０の被案内斜面１３６０ｃは、注出口本体１０２０の案内斜面１３１０ｄに対向している。  開封体１０５０は、連通回転方向（平面視左回転）に回されることにより、その被案内斜面１３６０ｃが注出口本体１０２０の案内斜面１３１０ｄに接触して下方（第２の方向）に案内される。  被案内斜面１３６０ｃの始端部の近傍には、側面視略四角形状に凹むように回転停止雌部１３６２（開封体の回転規制係合部）が形成される。  この回転停止雌部１３６２は、上記した案内斜面１３１０ｄの終端部に形成された回転停止雄部１３１２と協働して作用する。この協働する態様の詳細については後述する。  基礎部１０６２における被案内斜面１３６０ｃの下部には、径方向の寸法の小さくなる段差としてフランジ部１３７０が全周に亘って形成される。
【０１０９】  切刃部１０６４は、その上端部（基礎部１０６２との接続部）から軸方向に沿って延びる略円筒形状の切刃根元部１０６６と、切刃根元部１０６６の下端部から徐々に径方向の寸法が小さくなる切刃底部１０６８とを有する。  切刃底部１０６８は、その底面に、刃先端部１０７０を有する。  刃先端部１０７０は、底面視したとき、略真円状の外形を有した略円環状である。
【０１１０】  この実施の形態に係る切刃部１０６４の刃先端部１０７０は、左回転の始点である切裂き部１４２０から平面視左回転（反時計回り）の方向にいくほど、次第に上方、すなわち受動軸部１０５４側に向かうように緩やかに傾斜している。そして、刃先端部１０７０は、前述した平面視左回転の始点である切裂き部１４２０と、切裂き部１４２０より連続する刃傾斜部１４２２と刃傾斜部１４２２の平面視左回点の終点である刃終端部１４２４とを備える。切裂き部１４２０は、刃先端部１０７０における最も下方に位置し、刃傾斜部１４２２は、切裂き部１４２０の位置から前述した平面視左回転の方向にいくほど次第に上方に向かうように緩やかに傾斜し、刃終端部１４２４は、最も上方に位置する。切裂き部１４２２と終端部１４２４との間には、刃上下延在部１４２６が形成されている。刃上下延在部１４２６は、互いに接続するように略上下方向に延びる鉛直状である。
【０１１１】  切裂き部１４２０は、平面視したとき、上記した被案内斜面１３６０ｃの始端部の近傍に形成された回転停止雌部１３６２と中心角約３００°ずれた位置に形成される。
【０１１２】  受動軸部１０５４は、その上下方向の寸法が、注出口本体１０２０の筒部１０２４のそれよりもやや小さい略円筒形状である。  受動軸部１０５４の外面には、その上端部から下端部まで上下方向に延びる受動部としての３つの羽根部１３９０が突設される。  羽根部１３９０は、それぞれ、互いに同様の形状を有し、受動軸部１０５４の周方向に等間隔に形成される。受動軸部１０５４は、平面視で見て、３つの羽根部１３９０の先端を結んだときに描かれる円の直径（すなわち、受動軸部１０５４の羽根部１３９０を含む外径）が、注出口本体１０２０の筒部１０２４の内径にほぼ等しいかやや小さい。羽根部１３９０は、起動体１０８０が左回転（反時計回り）するのに連動して開封体１０５０も左回転するための構成を有する。羽根部１３９０は、それぞれ、平面視したとき、左回転（反時計回り）で見て先に現れる面が突出する方向と受動軸部１０５４の外面の接線方向とのなす角度が、左回転で見て後に現れる面が突出する方向と受動軸部１０５４の外面の接線方向とのなす角度よりも小さくなるように形成される。すなわち、羽根部１３９０それぞれは、平面視したとき、左回転で見ると、その根元（すなわち、受動軸部１０５４の外面との接続部）からその先端に向けて後退するように傾斜している。  なお、受動軸部１０５４の外面は、その上端部から下端部に向けて径方向の寸法がやや小さくなるように形成されることが好ましい。
【０１１３】（起動体１０８０）  この実施の形態に係る注出口付き容器１０の備える起動体について、図４７〜５０に基づいて説明する。図４７は、この発明の第３の実施の形態に係る注出口付き容器が備える起動体を示す正面図である。図４８は、この発明の第３の実施の形態に係る注出口付き容器が備える起動体を示す図であり、（Ａ）が平面図、（Ｂ）が底面図である。図４９は、この発明の第３の実施の形態に係る注出口付き容器が備える起動体を示す図であり、（Ａ）が図４８（Ａ）のＸＬＩＸＡ−ＸＬＶＩＸＡ断面図、（Ｂ）が図４７のＸＬＩＸＢ−ＸＬＩＸＢ断面図である。図５０は、この発明の第３の実施の形態に係る注出口付き容器が備える起動体のタンパーエビデンスを示す斜視図である。
【０１１４】  起動体１０８０は、注出口本体１０２０の軸方向の一方の端部に取り外し可能に螺合できるように、且つ開封体１０５０を注出口本体１０２０の貫通孔１０２６の内部を下方に移動させるように形成される。  起動体１０８０は、キャップ１０８２と、初期状態のキャップ１０８２に手を加えられたことを明確とするためのタンパーエビデンス１０８４とを含む。
【０１１５】  キャップ１０８２は、平面視略円形状の頂部１０９０と、頂部１０９０の端縁から垂下された側壁である垂下部１０９２とを含む。すなわち、キャップ１０８２は、その底面に開口を有する略円柱形状である。  頂部１０９０と垂下部１０９２とは、合成樹脂で一体成形される。キャップ１０８２の内径は、注出口本体の１０２０の筒部１０２４の外径とほぼ等しいかやや大きい。  また、キャップ１０８２は、その上下方向の寸法が、注出口本体１０２０の上端部から突条１０４０までの寸法とほぼ等しい。  頂部１０９０の内面には、垂下部１０９２と同じ方向に垂れ下がる３つの作動部としての羽根押し部１０８６が配設される。  垂下部１０９２の内面には、右ネジの雌部を構成する右雌ネジ部１０８８（第１の雌ネジ部）が形成される。  ３つの羽根押し部１０８６は、それぞれ、同様の形状を有する。  また、３つの羽根押し部１０８６は、それぞれ、平面視したとき、略円弧状に形成される。  また、３つの羽根押し部１０８６は、それぞれ、平面視したとき、互いに結んだとき一つの円を描くように配設される。また、３つの羽根押し部１０８６は、それぞれ、平面視左回転で見たとき、後に現れる端部の径方向の寸法が先に現れる端部のそれよりもやや大きく形成されることが好ましい。この右雌ネジ部１０８８は、上記した注出口本体１０２０の外面に形成された右雄ネジ部１０３２に螺合する。
【０１１６】  タンパーエビデンス１０８４は、その内径および外径が、キャップ１０８２のそれらとほぼ同じ円環状に形成される。また、タンパーエビデンス１０８４は、その高さ方向の寸法が、注出口本体１０２０の回転停止部１０４２のそれとほぼ同じである。  タンパーエビデンス１０８４は、その上面に２つの連結部１４１０および４つの上面仮連結部１４１２が突設され、その側壁の外面に４つの側面仮連結部１４１４が突設され、その側壁の内面に回転停止部１０９８が突設される。  起動体１０８０は、出荷時の初期状態（すなわち、注出口本体１０２０、開封体１０５０および起動体１０８０が組み立てられてなる注出口１０１２の底面に密封シート１０１４を固着した状態で、注出口１０１２をその収容部２００に水素水を収容した容器１０の端縁に取り付けて密封した状態）において、そのキャップ１０８２の下端部と、そのタンパーエビデンス１０８４の２つの連結部１４１０それぞれの先端部および４つの上面仮連結部１４１２それぞれの先端部とが連結されている。  また、タンパーエビデンス１０８４は、初期状態において、４つの側面仮連結部１４１４により、その全周に亘って連結されている。２つの連結部１４１０は、側面視略Ｌ字状である。  また、４つの上面仮連結部１４１２および４つの側面仮連結部１４１４の連結は、容易に破断するように構成されている。  この回転停止部１０９８は、上記した回転停止部１０４２と協働して作用する。この協働態様の詳細については後述する。
【０１１７】（注出口１０１２の組立て手順）  つづいて、注出口１０１２を組み立てる手順の一例について、図５１〜５３に基づいて説明する。  図５１は、この発明の第３の実施の形態に係る注出口付き容器の備える注出口本体、開封体および起動体を組み立てる順に並べて底面側から見たときの斜視図である。図５２は、この発明の第３の実施の形態に係る注出口付き容器に密封シートを固着する方向で並べて底面側から見たときの斜視図である。図５３は、この発明の第３の実施の形態に係る注出口付き容器が備える注出口を示す高さ方向に沿った断面図である。
【０１１８】  まず、平面視したとき、起動体１０８０の中心と注出口本体１０２０の筒部１０２４の中心とが同心となるように、起動体１０８０を注出口本体１０２０の上面側（筒部１０２４の上面側）から嵌め込んでいく。
【０１１９】  そうすると、起動体１０８０の内面に形成された右雌ネジ部１０８８の下端部（すなわち、右雌ネジ部１０８８の始端部）に、注出口本体１０２０の上部（筒部１０２４）の外面に形成された右雄ネジ部１０３２の上端部（すなわち、右雄ネジ部１０３２の終端部）が突き当たる。
【０１２０】  ここから、起動体１０８０を平面視右回転（時計回り）させることにより、右雌ネジ部１０８８と右雄ネジ部１０３２とを螺合させる。このようにして、起動体１０８０は、注出口本体１０２０の下方へと進行する。
【０１２１】  右雌ネジ部１０８８と右雄ネジ部１０３２とを螺合させていき、起動体１０８０を下方へと進行させていくと、タンパーエビデンス１０８４の側壁の内面に突設された回転停止部１０９８が、注出口本体１０２０の外面に突設された回転停止部１０４２のガイド面１０４２ａに当接する。  ここで、上記したように、ガイド面１０４２ａは、注出口本体１０２０を平面視右回転（時計回り）で見たとき、先に現れる端縁から後に現れる端縁に向かって径方向の寸法が大きくなるように傾斜している。注出口本体１０２０の回転停止部１０４２がこのような形状を有することにより、タンパーエビデンス１０８４の回転停止部１０９８は、注出口本体１０２０の回転停止部１０４２のガイド面１０４２ａを容易に乗り越える。したがって、タンパーエビデンス１０８４（起動体１０８０）が右回転（時計回り）しつづけることができる。
【０１２２】  起動体１０８０の頂部１０９０の内面と、注出口本体１０２０の上端とが当接またはほぼ当接するまで、起動体１０８０を右回転（時計回り）させ、下方に進行させる。起動体１０８０を最後まで螺合すると、キャップ１０８２の下端部が注出口本体１０２０の突条１０４０の上部近傍に位置し、タンパーエビデンス１０８４が注出口本体１０２０の回転停止部１０４２とほぼ同じ高さに位置する。すなわち、キャップ１０８２の垂下部１０９２の内面が注出口本体１０２０の突条１０４０よりも上部の外面に対向し、且つタンパーエビデンス１０８４の内面が注出口本体１０２０の回転停止部１０４２の外面に対向するようになる。このようにして、起動体１０８０を注出口本体１０２０の上部に螺合させる。
【０１２３】  次に、平面視したとき、注出口本体１０２０の開封体収容部１０４４の中心と開封体１０５０の中心とが同心となるように、注出口本体１０２０の貫通孔１０２６の内開口部１０３０側（すなわち、注出口本体１０２０の底面側）から、開封体１０５０を挿し込む。このとき、開封体１０５０をその受動軸部１０５４の上端部から貫通孔１０２６に挿し込む。
【０１２４】  このとき、注出口本体１０２０に形成された回転停止雄部１３１２が、平面視したとき、開封体１０５０に形成された回転停止雌部１３６２と中心角約３００°ずれた位置になるように、注出口本体１０２０の貫通孔１０２６に開封体１０５０を挿し込む。
【０１２５】  注出口本体１０２０の回転停止雄部１３１２の先端部に開封体１０５０に形成された案左右方向延在部１３６０ａが突き当たるまで、注出口本体１０２０の貫通孔１０２６に開封体１０５０を挿し込むと、開封体１０５０の刃部１０５２が注出口本体１０２０の開封体収容部１０４４に完全に収容される。このとき、刃部１０５２の上面と開封体収容部１０４４の上壁とが接するか互いに近傍に位置し、且つ刃部１０５２の底面（すなわち、開封体１０５０の底面）と、開封体収容部１０４４の底面（すなわち、注出口本体１０２０の底面）とがほぼ同じ高さになる。また、このとき、開封体１０５０は、その受動軸部１０５４が、注出口本体１０２０の筒部１０２４の内部（すなわち、貫通孔１０２６の開封体収容部１０４４よりも上部）を延びる。なお、平面視したとき、開封体１０５０の受動軸部１０５４の中心と、注出口本体１０２０の筒部１０２４の中心とは同心である。さらに、このとき、開封体１０５０の受動軸部１０５４の外面に突設された３つの羽根部１３９０の平面視左回転（反時計回り）で見て先に現れる面が、起動体１０８０の頂部１０９０から下方に延びるように形成された３つの羽根押し部１０８６それぞれの平面視左回転（反時計回り）で見て先に現れる端部に対向する（図５４参照）。
【０１２６】  上記のようにして、注出口本体１０２０の上部に起動体１０８０を螺合し、注出口本体１０２０の貫通孔１０２６に開封体１０５０を挿し込むことにより、注出口１０１２を組み立てる。
【０１２７】  そして、注出口１０１２の底面（すなわち、注出口本体１０２０の底面）に、貫通孔１０２６の内開口部１０３０を密閉するように、密封シート１０１４を固着する。密封シート１０１４は、例えば、熱板を用いた熱溶着によって、注出口本体１０２０の底面に固着される。  このとき、密封シート１０１４は、注出口本体１０２０の底面に突設された第１の凸部１０３６および第２の凸部１０３８に固着される。  これにより、注出口本体１０２０の底面に形成され得る意図しない僅かな凹凸に影響されずに、注出口本体１０２０の底面に密封シート１０１４を固着することができる。したがって、注出口本体１０２０の底面に密封シート１０１４を確実に固着することが可能となる。
【０１２８】  なお、上記した通り、第１の凸部１０３６は、貫通孔１０２６の外縁と所定の距離だけ離間して突設される。これにより、例えば、密封シート１０１４が熱溶着の際に変形して貫通孔１０２６の内部へと入り込んでしまうことを防止できる。したがって、密封シート１０１４に妨げられることなく、開封体１０５０を注出口本体１０２０の貫通孔１０２６へと適切に挿入することができ、且つスムーズに下方へと移動させることができる。  同様に、第２の凸部１０３８は、注出口本体１０１４の底面の外縁と所定の距離だけ離間して突設されるため、注出口本体１０２０の底面から側面へと捲れ上がってしまうことなどを抑制することができる。
【０１２９】  なお、密封シート１０１４の構成については、上記した実施の形態と同様であるため、ここでは同様となる説明を繰り返さない。そして、その底面に密封シート１０１４が固着された注出口１０１２を容器１０に取り付ける。この取り付けについても、上記した実施の形態と同様であるため、ここでは同様となる説明を繰り返さない。このようにして得られた注出口付き容器１０は、密封シート１０１４により、容器１０の収容部２００と、注出口１０１２に形成された貫通孔１０２６とが遮蔽されている。したがって、容器１０の収容部２００に収容された水素が、取付け部１０２２および注出口１０１２の貫通孔１０２６から漏れ出ることを防止することができる。上記のように組み立てられたキャップ１０８２、注出口本体１０２０および開封体１０５０は、図５３に示すように、軸方向に沿って延びる中心軸Ｃが共通である。すなわち、キャップ１０８２、注出口本体１０２０の貫通孔１０２６および開封体１０５０は、互いに同心の略円筒状である。
【０１３０】  上記のように組み立てられた注出口１０１２の初期状態（組み立てた直後の注出口本体１０２０、開封体１０５０、起動体１０８０および密封シート１０１４の位置関係）は、次の通りである。  注出口本体１０２０の略円筒状の筒部１０２４及び貫通孔１０２６、開封体１０５０の略円筒状の受動軸部１０５４及び刃部１０５２並びに起動体１０８０の頂部１０９０及び略円筒状の垂下部１０９２は、それぞれ、中心軸Ｃが同心となるように配設されている。
【０１３１】  注出口本体１０２０の上端部（一方の端部）に螺合された起動体１０８０は、その頂部１０９０の内面が、注出口本体１０２０の筒部１０２４の上端部に接触する。  注出口本体１０２０の上端部（一方の端部）に螺合された起動体１０８０は、その垂下部１０９２の内面が、注出口本体１０２０の筒部１０２４の外面に沿って、注出口本体１０２０の筒部１０２４の上端部か垂下部１０９２の内面に形成された右雌ネジ部１０８８が、注出口本体１０２０の筒部１０２４の外面に形成された右雄ネジ部１０３２に螺合されることにより、注出口本体１０２０の上端部（一方の端部）に螺合される。  さらに、起動体１０８０の下端部に形成された略円環状のタンパーエビデンス１０８４が、軸方向において、注出口本体１０２０の筒部１０２４の外面の突条１０４０の下部に形成された回転停止部１０９８と同じ位置になる。そして、タンパーエビデンス１０８４の内面と、回転停止部１０９８の外面とが対向する。  注出口本体１０２０の貫通孔１０２６に挿入された開封体１０５０は、注出口本体１０２０の貫通孔１０２６の上端部の近傍から下端部まで軸方向に延びる。  開封体１０５０の上端部（すなわち、その受動軸部１０５４の上端部）は、注出口本体１０２０の上端部（すなわち、その筒部１０２４の上端部）よりもやや下方に位置する。  一方、開封体１０５０の下端部（すなわち、その刃部１０５２の下端部）は、注出口本体１０２０の下端部（すなわち、その取付け部１０２２の底面）とほぼ同じ高さに位置する。  刃部１０５２の上端部（すなわち、受動軸部１０５４の外面から径方向に突出する上端面）は、注出口本体１０２０の貫通孔１０２６の内壁に形成された段差部１０３４の下面に接触する。  注出口本体１０２０の底面に固着された密封シート１０１４は、その上面（注出口本体１０２０の底面に固着される側の面）の略中央に、開封体１０５０の下端部（すなわち、その刃部１０５２の下端部）が接触する。
【０１３２】  起動体１０８０の頂部１０９０から垂下される羽根押し部１０８６は、それぞれ、平面視したとき、左回転（反時計回り）で見て先端側に位置する端部が、開封体１０５０の羽根部１３９０の左回転（反時計回り）で見て後に現れる面の径方向でいう先端側に接触する。  また、受動軸部１０５４の外面から突設された羽根部１３９０は、それぞれ、平面視したとき、左回転（反時計回り）で見て後に現れる面の径方向でいう先端側が、起動体１０８０の頂部１０９０から垂下される羽根押し部１０８６の左回転（反時計回り）で見て先端側に位置する端部に接触する。  注出口本体１０２０の内壁に形成された回転停止雄部１３１２と、開封体１０５０の外壁に形成された回転停止雌部１３６２とは、平面視したとき、左回転（反時計回り）で見て、互いに周方向において回転角３００°だけ離間している。  開封体１０５０の被案内斜面１３６０ｃは、初期状態から左に向かうに従って上昇する上向きの小道であり、注出口本体１０２０の案内斜面１３１０ｄは、初期状態から左に向かうに従って上昇する下向きの小道である（図４４及び図４５参照）。  開封体１０５０の被案内斜面１３６０ｃは、注出口本体１０２０の案内斜面１３１０ｄの下方に位置し、被案内斜面１３６０ｃの下部領域が注出口本体１０２０の回転停止雄部１３１２の近傍に位置している。開封体１０５０の被案内斜面１３６０ｃは、注出口本体１０２０の案内斜面１３１０ｄに対向している。  開封体１０５０の回転停止雌部１３６２は、注出口本体１０２０の案内斜面１３１０ｄの上方領域と略々同じ高さ位置において、僅かに左方に離間した位置に配設されている。
【０１３３】開封体１０５０は、初期状態において、段差１３６０の左右方向延在部１３６０ａが底面視において正面側に位置し、上下方向延在部１３６０ｅが底面視において略々正面側に位置し、立上り部１３６０ｂが底面視において左側に位置している。開封体１０５０は、初期状態において、回転停止雌部１３６２が底面視において右側に位置している。開封体１０５０は、初期状態において、刃部１０５２の切裂き部１４２０が底面視において正面側に位置している。
【０１３４】（密封シート１０１４の一部を切り裂くための手順）  つづいて、密封シート１０１４の一部を切り裂くことにより、容器１０の収容部２００と、注出口１０１２に形成された貫通孔１０２６とを連通し、水素水を飲むことができる状態とする態様の一例について、図５４〜６１に基づいて説明する。図５４は、この発明の第３の実施の形態に係る注出口付き容器が備える注出口を示す図であり、（Ａ）が図５３のＬＩＶＡ−ＬＩＶＡ端面図、（Ｂ）が起動体を左回転させたときの羽根押し部と羽根部の関係を示す模式図である。図５５は、この発明の第３の実施の形態に係る注出口付き容器が備える注出口本体の左雌ネジ部と、開封体の左雄ネジ部とが螺合する様子を示す模式展開図であり、（Ａ）が開封体の回転角０°、（Ｂ）が開封体の回転角１５０°、（Ｃ）が開封体の回転角３００°を示す図である。図５６は、この発明の第３の実施の形態に係る注出口付き容器が備える注出口本体の回転停止雄部１３１２の高さでの幅方向に沿った断面図（図５３のＬＶＩ−ＬＶＩ断面図）であり、（Ａ）が開封体の回転角０°、（Ｂ）が開封体の回転角１５０°、（Ｃ）が開封体の回転角３００°を示す図である。図５７は、この発明の第３の実施の形態に係る注出口付き容器が備える密封シートの一部が切り裂かれる様子を示す模式平面図であり、（Ａ）が開封体の回転角０°、（Ｂ）が開封体の回転角１５０°、（Ｃ）が開封体の回転角３００°を示す図である。図５８は、この発明の第３の実施の形態に係る注出口付き容器が備える密封シートの一部が切り裂かれる様子を示す図であり、開封体の回転角１５０°のときの高さ方向に沿った断面図である。図５９は、この発明の第３の実施の形態に係る注出口付き容器が備える密封シートの一部を切り裂いた状態を示す図であり、開封体の回転角３００°のときの高さ方向に沿った断面図である。図６０は、この発明の第３の実施の形態に係る注出口本体を示す図５９のフランジ部近傍の断面図である。図６１は、この発明の第３の実施の形態に係る注出口付き容器が備える密封シートの一部を切り裂いた状態を底面側から見たときの斜視図である。
【０１３５】  起動体１０８０をその垂下部１０９２を把持して平面視左回転（反時計回り）させ、（連通回転方向に回転させ、）起動体１０８０を上方（第１の方向）に移動させる。これにより、タンパーエビデンス１０８４の４つの上面仮連結部１４１２とキャップ１０８２の下端部との連結が破断する。また、これと同時に、タンパーエビデンス１０８４の側壁の内面に突設された回転停止部１０９８が、注出口本体１０２０の外面に突設された回転停止部１０４２のストッパ面１０４２ｂに当接し、これを乗り越えようとする。このとき、タンパーエビデンス１０８４の内径が注出口本体１０２０の回転停止部１０４２により押し広げられるため、タンパーエビデンス１０８４を周方向に仮連結する４つの側面仮連結部１４１４も破断する。なお、タンパーエビデンス１０８４の平面視略Ｌ字形状の２つの連結部１４１０は、タンパーエビデンス１０８４の内径が広がる方向に撓み、キャップ１０８２の下端部と連結された状態を保つ。
【０１３６】  タンパーエビデンス１０８４の上面仮連結部１４１２および側面仮連結部１４１４の連結が破断すると、密閉されたキャップ１０８２に手を加えられたことが明確となる。これにより、安全性を確保することができる。さらに、タンパーエビデンス１０８４は、上面仮連結部１４１２および側面仮連結部１４１４の連結が破断しても、連結部１４１０がキャップ１０８２の下端部と連結された状態を保つ。すなわち、キャップ１０８２とタンパーエビデンス１０８４とが転結部１４１０により常に連結された状態であるため、注出口１０１２を開け閉めする際の使い勝手が良好となる。
【０１３７】  上記したように、起動体１０８０を平面視左回転（反時計回り）させ、上方（第１の方向）に移動させることにより、タンパーエビデンス１０８４の上面仮連結部１４１２および側面仮連結部１４１４の連結が破断する。これと同時に、起動体１０８０の頂部１０９０から下方に延びるように形成された３つの羽根押し部１０８６それぞれの平面視左回転（反時計回り）で見て先に現れる端部が、開封体１０５０の受動軸部１０５４の外面に突設された３つの羽根部１３９０の左回転（反時計回り）で見て先に現れる面に当接し、これを摺動しながら押し進める。これにより、注出口本体１０２０に挿入された開封体１０５０も平面視左回転（反時計回り）させる。
【０１３８】  開封体１０５０は、平面視左回転（反時計回り）すると、その外面下部に形成された被案内斜面１３６０ｃが、注出口本体１０２０の内壁に形成された案内斜面１３１０ｄにガイドされて案内され、下方（第２の方向）へと進行する。すなわち、開封体１０５０は、起動体１０８０が移動する上方向（第１の方向）とは反対の下方向（第２の方向）に移動する。
【０１３９】  開封体１０５０は、初期状態において、その底面の高さが、注出口本体１０２０の底面の高さ（すなわち、貫通孔１０２６の内開口部１０３０の高さ）と同じまたはほぼ同じである。開封体１０５０は、この初期状態から、平面視左回転（反時計回り）させられることにより下方に移動していくと、その下端に形成された刃部１０５２が注出口本体１０２０の底面から回転しながら突き出てくる。このとき、刃部１０５２の下端縁に形成された切裂き部１０７０が、回転しながら円を描くように、注出口本体１０２０の底面に固着された密封シート１０１４を切り裂いていく。すなわち、図５７（Ｂ）（開封体１０５０が中心角１５０°左回転した状態の図）に示すように、密封シート１０１４を切裂き始端部１０１７から円弧を描くように切裂いていく。
【０１４０】  開封体１０５０は、平面視において、中心角３００°左回転（反時計回り）することにより、図５７（Ｃ）に示すように、密封シート１０１４を切裂き始端部１０１７から切裂き終端部１０１８まで円弧を描くように切り裂く。このようにして、中心角３００°の円弧状の切裂き端縁１０１９を有する垂下り部１０１６が形成される。開封体１０５０は、初期状態から中心角３００°左回転すると、開封体１０５０が下方へ移動することで羽根押し部１０８６と羽根部１３９０が接しなくなり、開封体１０５０の回転が止まるとともに、その被案内斜面１３６０ｃの終端部近傍に形成された回転停止雌部１３６２に、注出口本体１０２０の案内斜面１３１０ｄの始端部近傍に形成された回転停止雄部１３１２が嵌合する。これにより、開封体１０５０は、初期状態から中心角３００°左回転（反時計回り）した状態でその回転が規制され、上下方向へも移動できなくなる。
【０１４１】  起動体１０８０は、キャップ１０８２を手で摘み平面視左回転（反時計回り）させることにより、注出口本体１０２０の外壁に沿って上方（第１の方向、すなわち、密封シート１０１４から離間する方向）へと移動する。そして、起動体１０８０は、中心軸Ｃを中心として回転角３００°左回転（反時計回り）したとき、その垂下部１０９２の内面に形成された右雌ネジ部１０８８の下端部から５／６巻き分（中心角３００°巻き分）だけ上方へと移動する。  開封体１０５０は、起動体１０８０の回転によって羽根部１３９０により押されて、中心軸Ｃを中心として平面視左回転（反時計回り）することにより、注出口本体１０２０の貫通孔１０２６の内部を下方（第２の方向、すなわち、密封シート１０１４の側）へと移動する。そして、開封体１０５０は、初期状態から、中心軸Ｃを中心として回転角３００°左回転（反時計回り）したとき、開封体１０５０の被案内斜面１３６０ｃが注出口本体１０２０の案内斜面１３１０ｄを摺動して、その下端部（すなわち、刃部１０５２の下端部）からフランジ部１３７０までの距離だけ下方に移動する。すなわち、開封体１０５０は、初期状態から中心軸Ｃを中心として回転角３００°左回転（反時計回り）したとき、その下端部からフランジ部１３７０までの部分が、密封シート１０１４から突き出た状態になる。  このとき、フランジ部１３７０の下端面が、わん曲した密封シート１０１４の上面に載置された状態になる。  また、起動体１０８０の頂部１０９０から垂下される羽根押し部１０８６の下端部と、開封体１０５０の上端部（すなわち、その受動軸部１０５４の上端部）とが、軸方向において、ほぼ同じ位置になる。  そして、注出口本体１０２０の内壁に形成された回転停止雄部１３１２と、開封体１０５０の外壁に形成された回転停止雌部１３６２とが互いに係合する。  起動体１０８０および開封体１０５０は、それぞれ、平面視左回転（反時計回り）しながら軸方向に沿って移動する。したがって、注出口本体１０２０の筒部１０２４、開封体１０５０および起動体１０８０は、起動体１０８０および開封体１０５０が回転角３００°左回転（反時計回り）した状態においても、それぞれ、中心軸Ｃが同心の略円筒状である。
【０１４２】  注出口本体１０２０の筒部１０２４、開封体１０５０および起動体１０８０は、それぞれ、中心軸Ｃが同心の略円筒状である。したがって、注出口本体１０２０の筒部１０２４、開封体１０５０および起動体１０８０は、平面視したとき、それぞれ、中心軸Ｃ（中心点）が同心の略真円状である。  注出口１０１２は、中心軸Ｃが、筒部１０２４及び貫通孔１０２６を平面視したときの、筒部１０２４及び貫通孔１０２６の中心、並びに筒部１０２４及び貫通孔１０２６を正面視したときの、注出口１０１２の及び貫通孔１０２６幅方向の中央を軸方向に沿って直線状に延びる。  また、注出口１０１２は、中心軸Ｃが、平面視したとき、（それぞれが平面視略真円状である）注出口本体１０２０の筒部１０２４、開封体１０５０および起動体１０８０の中心点となる。
【０１４３】  起動体１０８０は、略円筒状であるため、頂部９０及び垂下部９２を平面視したとき、それらが略真円状である。そして、起動体１０８０は、その外面を把持され、頂部９０及び垂下部９２の中心並びに垂下部９２の幅方向の中央を軸方向に沿ってのびる中心軸Ｃを仮想回転軸として、平面視左回転（反時計回り）させられることにより、軸方向に沿って上方（第１の方向）へと移動する。  開封体１０５０は、略円筒状であるため、摺動軸部５４及び刃部５２を平面視したとき、それらが略真円状である。そして、開封体１０５０は、起動体１０８０の羽根押し部１０８６にその羽根部１３９０が押され、刃部５２及び摺動軸部５４の中心並びに刃部５２及び摺動軸部５４へ幅方向の中央に沿ってのびる中心軸Ｃを仮想回転軸として、平面視左回転（反時計回り）させられることにより、軸方向に沿って下方（第２の方向）へと移動する。  起動体１０８０が初期状態から中心軸Ｃを仮想回転軸として平面視左回転（反時計回り）させられると、起動体１０８０の羽根押し部１０８６が開封体１０５０の羽根部１３９０を押し進め、開封体１０５０も初期状態から中心軸Ｃを仮想回転軸として平面視左回転（反時計回り）させられる。  開封体１０５０は、初期状態から中心軸Ｃを仮想回転軸として平面視で回転角３００°左回転（反時計回り）させられると、その回転停止雌部１３６２に注出口本体１０２０の回転停止雄部１３１２が係合し、中心軸Ｃを仮想回転軸とした左回転（および右回転）を停止させられる。
【０１４４】  開封体１０５０の刃部１０５２の基礎部１０６２は、径方向の寸法がフランジ部１３７０のそれと同じでフランジ部１３７０の上方にのびる大径部１３５２と、径方向の寸法がフランジ部１３７０のそれよりもやや小さい小径部１３５４と、大径部１３５２と小径部１３５４の接続部に形成された段差１３６０とを有する。  前記段差１３６０は、フランジ部１３７０の近傍において、フランジ部１３７０と平行に（すなわち、周方向に沿って側面視左右方向に）延びる左右方向延在部１３６０ａと、左右方向延在部１３６０ａの一方の端部から上方にやや立ち上がる立上り部１３６０ｂと、立上り部１３６０ｂの上端部から側面視左肩上がりに傾斜し、周方向に沿って側面視左右方向に延びて基礎部１０６２の上端まで至る被案内斜面１３６０ｃと、左右方向延在部１３６０ａの他方の端部からやや右肩上がりに傾斜して上方へと延び、基礎部１０６２の上端まで至る上下方向延在部１３６０ｅとを有する。  被案内斜面１３６０ｃの上端部と、上下方向延在部１３６０ｅの上端部とは、周方向において離間している。すなわち、基礎部１０６２の上端部の一部は、大径部１３５２の上端部により構成される。大径部１３５２の上端部の周方向の一方の端部が被案内斜面１３６０ｃの上端部であり、他方の端部が上下方向延在部１３６０ｅの上端部である。回転停止雌部１３６２は、（基礎部１０６２の上端部の一部を構成する）大径部１３５２の上端部の周方向における略中央部に形成された側面視略四角形状の凹部である。  回転停止雌部１３６２は、左右方向延在部１３６０ａの（平面視）右側の近傍に形成されている。  切裂き部１４２０は、左右方向延在部１３６０ａの下方であって、回転停止雌部１３６２の（平面視）左側の近傍に形成されている。
【０１４５】  注出口本体１０２０の貫通孔１０２６の下部を構成する開封体収容部１０４４は、上記した開封体１０５０の大径部に対応した径方向の寸法を有する開封体収容大径部１３０２と、上記した開封体１０５０の小径部に対応した径方向の寸法を有する開封体収容小径部１３０４と、開封体大径部１３０２と開封体小径部１３０４の接続部に形成された段差１３１０とを有する。  開封体収容大径部１３０２は、内開口部１０３０の上方にのび、開封体収容小径部１３０４は、開封体収容大径部１３０２の上方にのびる。  すなわち、開封体収容大径部１３０２の側壁は、開封体収容小径部１３０４の側壁よりも貫通孔１０２６の外径側に位置することになる。  前記段差は、貫通孔１０２６の壁面の周方向に沿って側面視左右方向に延びる左右方向延在部１３１０ａと、左右方向延在部１３１０ａの周方向における一方の端部（左端部）から貫通孔１０２６の壁面に沿って下方へと延びる上下方向延在部１３１０ｂと、上下方向延在部１３１０ｂの下端部から貫通孔１０２６の壁面の周方向に沿って側面視左方へと延びる下端部１３１０ｃと、下端部１３１０ｃの左端部から側面視左肩上がりに傾斜して貫通孔１０２６の壁面の周方向に延びる案内斜面１３１０ｄとを有する。  回転停止雄部１３１２は、前記段差１３１０の下端部の周方向における略中央部に形成された側面視四角形状の凸部である。回転停止雄部１３１２は、段差１３１０を構成する下端部１３１０ｃにおいて、下向きに突設された凸部である。
【０１４６】  注出口本体１０２０の貫通孔１０２６に形成された回転停止雄部１３１２は、初期状態において、開封体１０５０の刃部１０５２に形成された段差１３６０の左右方向延在部１３６０ａに接触またはほぼ接触する。そして、注出口本体１０２０の回転停止雄部１３１２は、開封体１０５０が平面視左回転（反時計回り）させられると、開封体１０５０に対して相対的に回転し、開封体１０５０の刃部１０５２に形成された段差１３６０の左右方向延在部１３６０ａ、立上り部１３６０ｂ、案内斜面１３６０ｃおよび上端部１３６０ｄを経て、回転停止雌部１３６２に係合する。
【０１４７】  開封体１０５０は、初期状態から平面視左回転（反時計回り）させられることにより、下方（第２の方向）へと移動する。このとき、開封体１０５０は、底面側から見ると、右回転（時計回り）している。  すなわち、注出口１０１２の初期状態を底面視したとき、開封体１０５０の回転停止雌部１３６２は、注出口本体１０２０の回転停止雄部１３１２よりも右回転で見て中心軸Ｃを中心として中心角３００°後退した位置（開封体収容大径部１３０２と開封体収容小径部１３０４の接続部に形成された段差１３１０の左右方向延在部１３１０ａに対向する位置）にあり、そこから中心軸Ｃを中心として底面視中心角３００°右回転（平面視中心軸Ｃを中心として中心角３００°左回転）させられることにより、開封体収容部１０４４に形成された段差１３１０を構成する案内斜面１３１０ｄ、下端部１３１０ｃを経て、回転停止雄部１３１２に係合する。
【０１４８】  上記したように、開封体１０５０を中心角３００°左回転（反時計回り）させることにより、密封シート１０１４の一部が切り裂かれ、容器１０の収容部２００と、開封体１０５０の注出貫通孔１０５６（および注出口本体１０２０の貫通孔１０２６）とが連通する。なお、密封シート１０１４は、上記したような切裂き部１４２０により、中心角３００°しか切り裂かれない。すなわち、密封シート１０１４の残りの６０°の部分が、その他の部分に繋がったままであるため、円弧状の垂下り部１０１６が密封シート１０１４のその他の部分に垂れ下がった状態となる。したがって、密封シート１０１４を切り裂くことにより切り屑が発生しない。その結果、容器１０の収容部２００に落下しないため、切り屑を誤飲してしまうことを防止することができる。なお、上記では、開封体１０５０が中心角３００°左回転させられるとして説明したが、この場合に限られず、中心角３６０°未満のその他の角度回転させられることにより、密封シート１０１４の切り裂かれた部分と、その他の部分とが繋がった状態となるようにしてもよい。
【０１４９】  刃部１０５２は、下端部から上方に向かうほどにその径方向の寸法が大きくなるように形成されている。したがって、密封シート１０１４は、その円状に切り裂かれた部分の径方向の寸法が、開封体１０５０が下方に進むほどに、刃部１０５２の外面に押し広げられ、徐々に大きくなっていく。そして、開封体１０５０が中心角３００°左回転（反時計回り）したあと、開封体１０５０のフランジ部１３７０の底面が密封シート１０１４の上面（内面）の円状に切り裂かれた部分の外縁部に載置された状態になる。密封シート１０１４は、十分な張りを有する。したがって、刃部１０５２に切り裂かれると垂下り部１０１６はその他の部分から垂れ下がるが、垂下り部１０１６を除くその他の部分（特に、切裂き端縁１０１９の近傍）は、いわゆるピンと張った状態を維持する。開封体１０５０は、このような密封シート１０１４の垂下り部１０１６を除くその他の部分にそのフランジ部１３７０が当接するため、密封シート１０１４の一部を切裂いたあとに容器１０の収容部２００に落下してしまうことを防止できる。
【０１５０】  さらに、この実施の形態に係る開封体１０５０の刃先端部１０７０は、上記したように、切裂き部１４２０から平面視左回転（反時計回り）の方向にいくほど、次第に上方に向かうように緩やかに傾斜している。これにより、開封体１０５０は、初期状態から回転を開始して切刃部１０６４により密封シート１０１４を切裂き、さらに左回転（反時計回り）しながら下方へと移動する際、密封シート１０１４に引っ掛ることなくスムーズに密封シート１０１４を切裂いていくことができる。
【０１５１】  上記したように、起動体１０８０を平面視左回転（反時計回り）させることにより、起動体１０８０が上方に移動する。これにより、タンパーエビデンス１０８４の仮連結が破断し、密閉されたキャップ１０８２に手を加えられたことが明確となる。また、これと同時に、開封体１０５０が平面視左回転（反時計回り）しながら下方に移動する。これにより、密封シート１０１４の一部が切り裂かれ、容器１０の収容部２００と注出口本体１０２０の貫通孔１０２６（開封体１０５０の注出貫通孔１０５６）とが連通する。このとき、起動体１０８０を中心角約３００°左回転（反時計回り）させた状態である。ここからさらに起動体１０８０を平面視左回転（反時計回り）させることにより、起動体１０８０を上方に移動させ、起動体１０８０の内面に形成された右雌ネジ部１０８８と、注出口本体１０２０の外面に形成された右雄ネジ部１０３２との螺合状態を開放し、起動体１０８０を注出口本体１０２０から取り外す。このようにして、開封体１０５０に形成された注出貫通孔１０５６の出口１０６０（および注出口本体１０２０に形成された外開口部１０２８）が開放される。
【０１５２】（起動体１０８０を注出口本体１０２０に再び取り付けるときの態様について）  なお、起動体１０８０を注出口本体１０２０から取り外した後、再び取り付けることにより、注出口本体１０２０に形成された貫通孔１０２６の外開口部１０２８（受動軸部１０５４に形成された注出貫通孔１０５６の出口１０６０）を塞ぎ、水素水が容器１０の収容部２００から外部に漏れ出すことを防止することができる。起動体１０８０を、注出口本体１０２０に取り付けるため、注出口本体１０２０の上端部に被せ、平面視右回転させることにより螺合させていくと、起動体１０８０に形成された３つの羽根部１３９０の下端部が、貫通孔１０２６に挿入された受動軸部１０５４の羽根押し部１０８６の上端部に突き当たりそうになる。
【０１５３】  図６２は、この発明の第３の実施の形態に係る注出口付き容器が備える起動体を注出口本体から取り外した後、再び取り付けたときを示す図であり、（Ａ）が羽根押し部と羽根部の関係を示す模式図、（Ｂ）が高さ方向に沿った断面図である。ここで、羽根押部１０８６の下端部（先端部）は、その上端部（根元部）よりも幅寸法が小さく形成されている。したがって、起動体１０８０を初期状態から取り外して再び取り付けたとき、その羽根押し部１０８６が開封体１５０の羽根部１３９０に接触しにくくなる。なお、上記したように、起動体１０８０に形成された３つの羽根部１３９０は、それぞれ、平面視したとき、左回転（反時計回り）で見て先に現れる面が突出する方向と受動軸部１０５４の外面の接線方向とのなす角度が、左回転で見て後に現れる面が突出する方向と受動軸部１０５４の外面の接線方向とのなす角度よりも小さくなるように形成される。また、上記したように、起動体１０８０に形成された３つの羽根押し部１０８６は、それぞれ、平面視左回転で見たとき、後に現れる端部の径方向の寸法が先に現れる端部のそれよりもやや大きく形成される。羽根部１３９０および羽根押し部１０８６は、このような形状を有することにより、起動体１０８０を取り付け終わる間際に仮に干渉し合ったとしても、互いに変形して力を逃がすことができる。
【０１５４】（効果）  この実施の形態に係る注出口付き容器１０は、上記したように、初期状態から起動体１０８０を平面視左回転（反時計回り）させて注出口本体１０２０から取り外すだけで、密閉されたキャップ１０８２に手を加えられたことが明確となり、且つ容器１０の収容部２００と注出口本体１０２０の貫通孔１０２６（開封体１０５０の注出貫通孔１０５６）とが連通し、水素水を飲むことができる状態となる。したがって、密封シート１０１４を切り裂くための特段の手順を必要としないため、使い勝手の良好な注出口付き容器１０を提供することができる。
【実施例】
【０１５５】  この発明に係る実施例について説明する。図９は、本発明の第１の実施の形態に係る容器に注出口を溶着後の拡大断面図である。注出口付き容器は、容器１０に注出口１２を取り付けた、吸い口の付いたスタンディングパウチである。  容器１０は、平面視略長方形の第１容器シート２１０と平面視略長方形の第２容器シート２２０とを、舟形状の底シートと周縁で溶着するとともに、底部２０４と直交する左側部２０６で溶着したものに、底部２０４と反対側の吸い口側の上縁である第１容器シート２１０の上側縁２１６と第２容器シート２２０の上側縁２２６との間に注出口１２を取り付け、上縁を溶着したものを準備する。  次に、容器１０は、底部２０４と直交する第１容器シート２１０の右側縁２１４と第２容器シート２２０の右側縁２２４との間、すなわち第１容器シート２１０と第２容器シート２２０とが分離した間より、水素水（水に水素を混入させたもの）をその収容部２００に流し込んだ後、第１容器シート２１０の右側縁２１４と第２容器シート２２０の右側縁２２４を溶着され、収容部２００内に水素水を封入した。  第１容器シート２１０と第２容器シート２２０とは、同一の層構造を備えたものであり、外側の第１層が、ポリエチレンテレフタレート（ＰＥＴ）、その内側の第２層が、ナイロン（ＮＹ）、その内側の第３層が、アルミニウムホイル（ＡＬ）、その内側の第４層がリニア低密度ポリエチレン（ＬＬＤＰＥ）である、４層構造である。  最も内側の第４層のリニア低密層ポリエチレン（ＬＬＤＰＥ）が収容部２００内の水素水と接する。  密封シート１４（厚み０．０００６ｍｍ以上０．２ｍｍ以下）は、第１層側で注出口１２の注出口本体２０に熱溶着されており、密封シート１４の第１層と第１容器シート２１０及び第２容器シート２２０とが溶着されて密着する。  注出口１２は、ポリエチレンで成形されてなる。  注出口１２の注出口本体２０に接着された密封シート１４は、最も注出口本体２０側の第１層が、ポリエチレンテレフタレート（ＰＥＴ）、その上の第２層が、低密度ポリエチレン（ＰＥ）、その上の第３層が、アルミニウムホイル（ＡＬ）、その上の第４層が低密度ポリエチレン（ＰＥ）である４層構造である。  密封シート１４は、第１層が接着剤層を構成する熱溶着層を形成し、第２層が中間層で第３層のアルミニウムホイルを保護する層であり、第３層が水素水の水素などが容器１０から注出口１２を通して抜け出ることを防止する等、バリアー性を有する層であり、第４層が密封シート１４を切り裂いたときに切られた領域によって囲繞された部分が密封シート１４より切り離されて脱落しないように保持するための層である。【０１５６】  密封シート１４は、容器１０の第１容器シート２１０の第４層及び第２容器シート２２０の第４層と密接している。  最も下側の第４層が、収容部２００の水素水と接する。  容器の大きさは、高さ２１０ｍｍ、幅１２０ｍｍ、底部の厚さ４０ｍｍである。密封シート１４を構成するアルミシートは、注出口本体１０２０の底面とほぼ同じ大きさである。容器１０に収容された水素水は、３００ｍｌである。  この容器１０は、表１に示すように、アルミニウムシートが貼付されない比較例では水素濃度が低���するのに対し、長期間水素水が抜け出ることはなかった。【０１５７】
【表１】
2016199734.tif 000003
【０１５８】  この注出口付き容器は、水素水、ジュース、果汁、スープ、シチュー、ゼリー、コーヒー等の食品等の液体の内容物が収納され、使用者が注出口より内容物を取り出すことができる。  特に、ジュース、果汁等の酸化し易い物であっても、水素を加えることによって水素の還元作用により酸化しにくくなる。【０１５９】  第２の実施の形態、および第３の実施の形態に係る実施例について説明する。図６３は、第２の実施の形態、および第３の実施の形態に係る容器に注出口を装着後の拡大断面図である。  注出口付き容器は、容器１０に注出口１０１２を取り付けた、吸い口の付いたスタンディングパウチである。  容器１０は、平面視略長方形の第１容器シート２１０と平面視略長方形の第２容器シート２２０とを、舟形状の底シートと周縁で溶着するとともに、底部２０４と直交する左側部２０６で溶着したものに、底部２０４と反対側の吸い口側の上縁である第１容器シート２１０の上側縁２１６と第２容器シート２２０の上側縁２２６との間に注出口１０１２を取り付け、上縁を溶着したものを準備する。  次に、容器１０は、底部２０４と直交する第１容器シート２１０の右側縁２１４と第２容器シート２２０の右側縁２２４との間、すなわち第１容器シート２１０と第２容器シート２２０とが分離した間より、水素水（水に水素を混入させたもの）をその収容部２００に流し込んだ後、第１容器シート２１０の右側縁２１４と第２容器シート２２０の右側縁２２４を溶着され、収容部２００内に水素水を封入した。  第１容器シート２１０と第２容器シート２２０とは、同一の層構造を備えたものであり、外側の第１層が、ポリエチレンテレフタレート（ＰＥＴ）、その内側の第２層が、アルミニウム（ＡＬ）、その内側の第３層が、ナイロン（ＮＹ）、その内側の第４層がリニア低密度ポリエチレン（ＬＬＤＰＥ）である、４層構造である。  最も内側の第４層のリニア低密層ポリエチレン（ＬＬＤＰＥ）が収容部２００内の水素水と接する。  注出口１０１２の注出口本体１０２０に接着された密封シート１０１４（厚み０．０００６ｍｍ以上０．２ｍｍ以下）は、最も注出口本体１０２０側の第１層が、低密度ポリエチレン（ＰＥ）、その上の第２層が、アルミニウムホイル（ＡＬ）、その上の第３層が、低密度ポリエチレン（ＰＥ）、その上の第４層がポリエチレンテレフタレート（ＰＥＴ）である４層構造である。  密封シート１０１４は、第１層側で注出口１０１２の注出口本体１０２０に熱溶着されており、密封シート１０１４の第１層と第１容器シート２１０及び第２容器シート２２０とが溶着されて密着する。  注出口１０１２は、ポリエチレンで成形されてなる。  密封シート１０１４は、第１層が接着剤層を構成する熱溶着層を形成し、第２層が水素水の水素などが容器１０から注出口１０１２を通して抜け出ることを防止する等、バリアー性を有する層であり、第３層および第４層が密封シート１０１４を切り裂いたときに切られた領域によって囲繞された部分が密封シート１０１４より切り離されて脱落しないように保持するための層である。【０１６０】  密封シート１０１４は、容器１０の第１容器シート２１０の第４層及び第２容器シート２２０の第４層と密接している。  ��も下側の第４層が、収容部２００の水素水と接する。  容器の大きさは、高さ２１０ｍｍ、幅１２０ｍｍ、底部の厚さ４０ｍｍである。密封シート１０１４を構成するアルミシートは、注出口本体１０２０の底面とほぼ同じ大きさである。容器１０に収容された水素水は、３００ｍｌである。【０１６１】（第４の実施の形態に係る注出口付き容器１０）  次に、この発明の第４の実施の形態に係る注出口付き容器について、図６４〜６７に基づいて説明する。なお、この実施の形態に係る注出口付き容器は、開封体の刃部を除いて、上記した第２の実施の形態に係る注出口付き容器と同様の構成を有する。（すなわち、容器１０、注出口本体１０２０、キャップ１０８２および密封シート１０１４、並びに開封体１０５０の刃部１０５２より上部は、上記した第２の実施の形態のそれと同じである。）したがって、同一部分には同じ参照番号を付し、同様となる説明は繰り返さない。図６４は、この発明の第４の実施の形態に係る注出口付き容器が備える開封体を示す斜視図である。図６５は、この発明の第４の実施の形態に係る注出口付き容器が備える開封体を示す正面図である。図６６は、この発明の第４の実施の形態に係る注出口付き容器が備える開封体を示す図であり、（Ａ）が平面図、（Ｂ）が側面図、（Ｃ）が底面図である。図６７は、この発明に係る注出口付き容器が備える開封体を示す図であり、（Ａ）が図６６（Ｃ）のＬＸＶＩＩＡ−ＬＸＶＩＩＡ断面図、（Ｂ）が図６６（Ｃ）のＬＸＶＩＩＢ−ＬＸＶＩＩＢ断面図である。【０１６２】  この実施の形態に係る刃部１０５２は、その下端である刃先端部１０７０の切欠き部１３８０に隣接した位置から下方に向けて突設された側面視略四角形状の刃突部１０７２（連通回転方向における先頭部が前記密封シートに切り込むための鋭利な刃先）を有する。刃突部１０７２の右端辺は、切欠き部１３８０の左端辺と連なって上下方向に一直線状に延びるように形成される。刃突部１０７２の下端辺は、側面視したとき、刃先端部１０７０と平行である。上記した第２の実施の形態に係る刃部１０５２と同様に、開封体１０５０が下方（密封シート１０１４の側）に回転しながら移動することにより、刃突部１０７２の右端辺と下端辺とで形成される角部により、密封シート１０１４が切り裂かれる。この実施の形態に係る刃部１０５２は、このような刃突部１０７２を有することにより切れ味が良好になる。したがって、この実施の形態に係る注出口付き容器１０は、密封シート１０１４を切り裂き易くなり、且つ密封シート１０１４の垂下り部１０１６が容器１０の収容部２００に落下しにくくなる。【０１６３】（第５の実施の形態に係る注出口付き容器１０）  次に、この発明の第５の実施の形態に係る注出口付き容器について、図６８〜７１に基づいて説明する。なお、この実施の形態に係る注出口付き容器は、開封体を除いて、上記した第２の実施の形態、および第３の実施の形態に係る注出口付き容器と同様の構成を有する。（すなわち、容器１０、注出口本体１０２０、キャップ１０８２および密封シート１０１４は、上記した実施の形態のそれと同じである。）したがって、同一部分には同じ参照番号を付し、同様となる説明は繰り返さない。図６８は、この発明の第５の実施の形態に係る注出口付き容器が備える開封体を示す斜視図である。図６９は、この発明の第５の実施の形態に係る注出口付き容器が備える開封体を示す正面図である。図７０は、この発明の第５の実施の形態に係る注出口付き容器が備える開封体を示す図であり、（Ａ）が平面図、（Ｂ）が（Ｃ）のＬＸＸＢ−ＬＸＸＢ断面図、（Ｃ）が底面図である。図７１は、この発明の第５の実施の形態に係る注出口付き容器が備える注出口の底面が見える状態の斜視図である。【０１６４】  上記した第２の実施の形態、および第３の実施の形態に係る開封体１０５０の受動軸部１０５４は、軸方向に沿った形状がその上端部から下端部までほぼ同一の形状であった。すなわち、上記した第２の実施の形態、および第３の実施の形態に係る受動軸部１０５４は、軸方向のどこにおいても、軸方向に直交した平面（注出口本体１０２０の底面と平行に延在する平面）に沿った断面の形状がほぼ同じであった。一方、この実施の形態に係る受動軸部１０５４は、その下端部の形状がその他の部分の形状と異なる。具体的には、この実施の形態に係る受動軸部１０５４は、その上端部から刃部１０５２の軸方向における略中央部辺りまでが上記した第２の実施の形態、および第３の実施の形態に係る受動軸部１０５４と同じ形状であり、刃部１０５２の軸方向における略中央部辺りから下端部までが底面視略十字に形成された密封シート当接支持部１０７４である。密封シート当接支持部１０７４は、軸方向に沿って延びる平板状の第１の板状部１０７６と、軸方向に沿って延びる平板状であり、底面視したとき、第１の板状部１０７６と直交する第２の板状部１０７７とを有する。第１の板状部１０７６と第２の板状部１０７７は、互いに同じ形状である。第１の板状部１０７６および第２の板状部１０７７は、底面視したとき、互いの略中央部同士で交差し、その交差部分において互いに一体的に形成される。そして、密封シート当接支持部１０７４の下端部（すなわち、第１の板状部１０７６および第２の板状部１０７７の下端面）は、初期状態において、密封シート１０１４の上面に当接する。【０１６５】  この実施の形態に係る注出口容器１０は、上記したような密封シート当接支持部１０７４を備えることにより、初期状態において、密封シート１０１４をその上面から支持することができるため、不用意に密封シート１０１４が破れてしまうことを防止することができる。また、密封シート当接支持部１０７４が底面視略十字形状を有することにより、密封シート当接支持部１０７４の周辺（第１の板状部１０７６と第２の板状部１０７７が交差する部分の周辺など）に十分な大きさの空間が形成される。これにより、開封体１０５０の注出貫通孔１０５６を含む軸方向の貫通が確保されるため、密封シート当接支持部１０７４が、容器１０の収容部２００から水素水を注出する際に妨げとなることもない。【０１６６】（第６の実施の形態に係る注出口付き容器１０）  次に、この発明の第６の実施の形態に係る注出口付き容器について、図７２〜７６に基づいて説明する。図７２は、この発明の第６の実施の形態に係る注出口付き容器が備える起動体および開封体を示す正面図である。図７３は、この発明の第６の実施の形態に係る注出口付き容器が備える起動体および開封体を示す底面図である。図７４は、この発明の第６の実施の形態に係る注出口付き容器が備える注出口の起動体を上方に移動させる前の状態を示す図であり、（Ａ）が底面の見える状態の斜視図、（Ｂ）が軸方向に沿った断面図である。図７５は、この発明の第６の実施の形態に係る注出口付き容器が備える注出口の起動体を上方に移動させた後の状態を示す図であり、（Ａ）が底面の見える状態の斜視図、（Ｂ）が軸方向に沿った断面図である。図７６は、この発明の第６の実施の形態に係る注出口付き容器が備える注出口を示す底面図である。【０１６７】  この実施の形態に係る注出口付き容器１０は、起動体１０８０と、開封体１０５０とが一体的に形成される。具体的には、起動体１０８０の頂部１０９０の内面（底面）と、開封体１０５０の上端部（軸方向の一方の端部）が一体的に形成される。そして、開封体１０５０の下端部（軸方向の他方の端部）が、初期状態において、密封シート１０１４の上面に固着される。なお、開封体１０５０の上端部から下端部の近傍までは、略円柱形状の開封体本軸部１０７８が形成され、開封体１０５０の下端部には、底面視略十字形状の密封シート固着部１０７９が形成される。すなわち、密封シート固着部１０７９の下端面に密封シート１０１４の上面が固着される。【０１６８】  この実施の形態に係る注出口容器１０は、起動体１０８０が連通回転方向に回され、起動体１０８０および開封体１０５０が注出口本体１０２０から取り外されるように上方（第１の方向）に移動することにより、起動体１０８０にその上面が固着された密封シート１０１４の一部がねじ切れ、容器１０の収容部２００と注出口本体１０２０の貫通孔１０２６とが連通する。【０１６９】  上記した第２の実施の形態、および第３の実施の形態に係る注出口１０１２は、開封体１０５０を回転させるための構成（注出口本体１０２０の案内斜面１３１０ｄ、起動体１０８０の羽根押し部１０８６、並びに開封体１０５０の被案内斜面１３６０ｃおよび羽根部１３９０）を有していた。さらに、上記した実施の形態に係る起動体１０８０は、軸方向に貫通する注出貫通孔１０５６を有していた。一方、この実施の形態に係る注出口１０１２は、これらの構成を有しない（有する必要がない）ため、簡単な構造であり、その形成を容易に行うことができる。【０１７０】  図７７は、この発明の第６の実施の形態に係る注出口付き容器が備える注出口の変形例を示す底面図であり、（Ａ）が底面視略円形状の密封シート固着部、（Ｂ）が底面視略四角形状の密封シート固着部を備える注出口付き容器の変形例を示す底面図である。上記した第６の実施の形態に係る注出口容器１０が備える開封体１０５０の密封シート固着部１０７９は、底面視略十字に限定されない。すなわち、図７７（Ａ）に示すような底面視略円形状の密封シート固着部１０７９であってもよいし、図７７（Ｂ）に示すような底面視略四角形状の密封シート固着部１０７９であってもよい。このような形状の密封シート固着部１０７９は、密封シート１０１４に固着される面積がより大きくなるため、密封シート１０１４を綺麗に切ることができる。【０１���１】  なお、上記した実施の形態では、雄ネジ部および雌ネジ部が右ネジ（右雄ネジ部１０３２、右雌ネジ部１０８８）であり、案内斜面および被案内斜面が左巻き（案内斜面１３１０ｄおよび被案内斜面１３６０ｃ）である場合について説明した。しかしながら、この場合に限られず、雄ネジ部および雌ネジ部が左ネジであり、案内斜面および被案内斜面が右巻きであってもよい。【０１７２】  なお、上記した実施の形態では、注出口本体１０２０の回転規制係合部が雄部（回転停止雄部１３１２）であり、且つ開封体１０５０の回転規制係合部が雌部（回転停止雌部１３６２）である場合について説明した。しかしながら、この場合に限られず、注出口本体１０２０の回転規制係合部が雌部（回転停止雄部１３１２）であり、且つ開封体１０５０の回転規制係合部が雄部（回転停止雌部１３６２）であってもよい。
【符号の説明】
【０１７３】  １０  容器  ２００  収容部  ２０２  注出部  ２０４  底部  ２０６  左側部  ２０８  右側部  ２１０  第１容器シート  ２１２  左側縁  ２１４  右側縁  ２１６  上側縁  ２２０  第２容器シート  ２２２  左側縁  ２２４  右側縁  ２２６  上側縁  ２３０  底部シート  １２  注出口  １４  密封シート  ２０  注出口本体  ２２  取付部  ２４  筒部  ２６  貫通孔  ２８  外開口部  ３０  内開口部  ３２  雄螺子部  ３４  段差部  ３６  起動体停止部  ３８  回転止め部挿入孔  ４０  突条  ４２ａ  ガイド面  ４２ｂ  ストッパ面  ４２  回転停止部  ４４  開封体収容部  １０２  移動規制部  ５０  開封体  ５２  刃部  ５４  摺動軸部  ５６  注出貫通孔  ５８  入口  ６０  出口  ６２  基礎部  ６４  切刃部  ６６  流動口  ６８  回転止め部  ７０  第１切刃部  ７２  第２切刃部  ８０  起動体  ８２  キャップ  ８４  ストッパ  ８６  押圧部  ８８  雌ネジ部  ９０  頂部  ９２  垂下部  ９４  引掛部  ９６  連結部  ９８  回転停止部  １００  移動空隙部  １０１２  注出口  １０１４  密封シート  １０１６  垂下り部  １０１７  切裂き始端部  １０１８  切裂き終端部  １０１９  切裂き端縁  １０２０  注出口本体  １０２２  取付け部  １０２４  筒部  １０２６  貫通孔  １０２８  外開口部  １０３０  内開口部  １０３２  右雄ネジ部  １０３４  段差部  １０３６  第１の凸部  １０３８  第２の凸部  １０４０  突条  １０４２  回転停止部  １０４２ａ  ガイド面  １０４２ｂ  ストッパ面  １０４４  開封体収容部  １０５０  開封体  １０５２  刃部  １０５４  受動軸部  １０５６  注出貫通孔  １０５８  入口  １０６０  出口  １０６２  基礎部  １０６４  切刃部  １０６６  切刃根元部  １０６８  切刃底部  １０７０  刃先端部  １０７２  刃突部  １０７４  密封シート当接支持部  １０７６  第１の板状部  １０７７  第２の板状部  １０７８  開封体本軸部  １０７９  密封シート固着部  １０８０  起動体  １０８２  キャップ  １０８４  タンパーエビデンス  １０８６  羽根押し部  １０８８  右雌ネジ部  １０９０  頂部  １０９２  垂下部  １０９８  回転停止部  １３０２  開封体収容大径部  １３０４  開封体収容小径部  １３１０  段差  １３１０ａ  左右方向延在部  １３１０ｂ  上下方向延在部  １３１０ｃ  下端部  １３１０ｄ  案内斜面  １３１２  回転停止雄部  １３３０  横リブ部  １３３２  試験用の孔  １３４０  縦リブ部  １３５２  大径部  １３５４  小径部  １３６０  段差  １３６０ａ  左右方向延在部  １３６０ｂ  立上り部  １３６０ｃ  被案内斜面  １３６０ｄ  上端部  １３６０ｅ  上下方向延在部  １３６２  回転停止雌部  １３７０  フランジ部  １３８０  切欠き部  １３９０  羽根部  １４１０  連結部  １４１２  上面仮連結部  １４１４  側面仮連結部  １４２０  切裂き部  １４２２  刃傾斜部  １４２４  刃終端部  １４２６  刃上下延在部  Ｃ  中心軸
【図１】
2016199734.tif 000004
【図２】
2016199734.tif 000005
【図３】
2016199734.tif 000006
【図４Ａ】
2016199734.tif 000007
【図４Ｂ】
2016199734.tif 000008
【図５Ａ】
2016199734.tif 000009
【図５Ｂ】
2016199734.tif 000010
【図６Ａ】
2016199734.tif 000011
【図６Ｂ】
2016199734.tif 000012
【図７Ａ】
2016199734.tif 000013
【図７Ｂ】
2016199734.tif 000014
【図８】
2016199734.tif 000015
【図９】
2016199734.tif 000016
【図１０Ａ】
2016199734.tif 000017
【図１０Ｂ】
2016199734.tif 000018
【図１１Ａ】
2016199734.tif 000019
【図１１Ｂ】
2016199734.tif 000020
【図１１Ｃ】
2016199734.tif 000021
【図１２】
2016199734.tif 000022
【図１３】
2016199734.tif 000023
【図１４】
2016199734.tif 000024
【図１５】
2016199734.tif 000025
【図１６】
2016199734.tif 000026
【図１７】
2016199734.tif 000027
【図１８】
2016199734.tif 000028
【図１９】
2016199734.tif 000029
【図２０】
2016199734.tif 000030
【図２１】
2016199734.tif 000031
【図２２】
2016199734.tif 000032
【図２３】
2016199734.tif 000033
【図２４】
2016199734.tif 000034
【図２５】
2016199734.tif 000035
【図２６】
2016199734.tif 000036
【図２７】
2016199734.tif 000037
【図２８】
2016199734.tif 000038
【図２９】
2016199734.tif 000039
【図３０】
2016199734.tif 000040
【図３１】
2016199734.tif 000041
【図３２】
2016199734.tif 000042
【図３３】
2016199734.tif 000043
【図３４】
2016199734.tif 000044
【図３５】
2016199734.tif 000045
【図３６】
2016199734.tif 000046
【図３７Ａ】
2016199734.tif 000047
【図３７Ｂ】
2016199734.tif 000048
【図３７Ｃ】
2016199734.tif 000049
【図３７Ｄ】
2016199734.tif 000050
【図３８Ａ】
2016199734.tif 000051
【図３８Ｂ】
2016199734.tif 000052
【図３９】
2016199734.tif 000053
【図４０】
2016199734.tif 000054
【図４１】
2016199734.tif 000055
【図４２】
2016199734.tif 000056
【図４３】
2016199734.tif 000057
【図４４】
2016199734.tif 000058
【図４５Ａ】
2016199734.tif 000059
【図４５Ｂ】
2016199734.tif 000060
【図４５Ｃ】
2016199734.tif 000061
【図４６】
2016199734.tif 000062
【図４７】
2016199734.tif 000063
【図４８】
2016199734.tif 000064
【図４９】
2016199734.tif 000065
【図５０】
2016199734.tif 000066
【図５１】
2016199734.tif 000067
【図５２】
2016199734.tif 000068
【図５３】
2016199734.tif 000069
【図５４】
2016199734.tif 000070
【図５５】
2016199734.tif 000071
【図５６】
2016199734.tif 000072
【図５７】
2016199734.tif 000073
【図５８】
2016199734.tif 000074
【図５９】
2016199734.tif 000075
【図６０】
2016199734.tif 000076
【図６１】
2016199734.tif 000077
【図６２】
2016199734.tif 000078
【図６３】
2016199734.tif 000079
【図６４】
2016199734.tif 000080
【図６５】
2016199734.tif 000081
【図６６】
2016199734.tif 000082
【図６７】
2016199734.tif 000083
【図６８】
2016199734.tif 000084
【図６９】
2016199734.tif 000085
【図７０】
2016199734.tif 000086
【図７１】
2016199734.tif 000087
【図７２】
2016199734.tif 000088
【図７３】
2016199734.tif 000089
【図７４】
2016199734.tif 000090
【図７５】
2016199734.tif 000091
【図７６】
2016199734.tif 000092
【図７７】
2016199734.tif 000093
【図７８】
2016199734.tif 000094
【図７９】
2016199734.tif 000095
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
水素水を入れる容器と、容器に取り付けられた注出口本体における収容部に臨む内開口部を覆う密封シートとを備える、注出口付き容器であって、
注出口本体の底面は、底面の外縁に沿って突設された筋状の凸部に、密封シートが固着され
密封シートは、収容部に臨む内開口部を密閉するとともに注出口本体の底面に確実に固着され、且つ、密封シートのアルミニウム領域と容器の収容部の内面のアルミニウム領域とが密接して、水素水中の水素が容器及び注出口本体から抜け出にくい、注水口付き容器。
【請求項２】
注出口本体と、
注出口本体の筒内に収納された開封体と、
開封体を移動させる起動体と、
注出口本体における、収容部に臨む内開口部を覆う密封シートとを備え、
前記注出口本体の底面は、収容部に臨む内開口部の周囲に沿って突設された筋状の凸部を備え、
前記開封体は、注出口本体から抜け出ない様に形成され且つ密封シートに向けて移動するように形成され、その中央に注出貫通孔が形成され、
前記起動体は、注出口本体の外開口部側に取り付けられ、密封シート側にある開封体を密封シートに向けて移動させるように形成され、
前記密封シートは、
アルミニウムを備えており、開封体により、少なくともその一部が切り裂かれて、容器の収容部と注出口本体の外開口部が開封体の注出貫通孔を介して外部と連通するように形成され、容器の収容部内の収容物が外開口部より外部に注ぎ出すように形成され、内開口部の周囲に沿って突設された筋状の凸部に固着された、請求項１に記載の注出口付き容器。
【請求項３】
水素水を収容するための収容部を含む容器と、前記収容部に臨み前記容器の端縁に取り付けられた注出口とを備える注出口付き容器であって、
前記注出口は、軸方向の貫通孔が形成された注出口本体と、前記注出口本体の軸方向の一方の端部に螺合された起動体と、前記注出口本体の前記貫通孔に挿入された開封体とを含み、前記注出口本体の貫通孔、前記起動体および前記開封体は、それぞれ、略円筒状に形成され、互いに平面視同心にされ、
前記容器の収容部と前記注出口本体の貫通孔とを遮蔽するように前記注出口本体の他方の端部に位置する底面に固着されることにより、前記容器の収容部を密封する密封シートをさらに備え、
前記注出口本体は、
前記軸方向の一方の端部近傍の外面に形成され、前記起動体が、前記容器の収容部と前記注出口本体の貫通孔とを連通するための周方向に沿った連通回転方向に回されることにより緩められ、前記軸方向上の前記密封シートから離れる第１の方向に移動するための、ネジの雄部を構成する第１の雄ネジ部と、
前記軸方向の他方の端部における貫通孔の内壁に形成され、前記開封体が、前記連通回転方向に回されることにより螺送され、前記軸方向上の前記密封シートに近づく第２の方向に移動するための、ネジの雌部を構成する第２の雌ネジ部とを有し、
前記起動体は、
前記注出口本体の軸方向の一方の端部に取り外し可能に螺合できるように、且つ前記開封体を前記注出口本体の貫通孔の内部を前記第２の方向に移動させるように形成され、
頂部と、前記頂部の端縁から垂下され側壁を形成する垂下部とを有し、
前記頂部の内面には、前記垂下部と同じ方向に垂下する作動部が突設され、
前記垂下部の内面には、前記第１の雄ネジ部と螺合するネジの雌部を構成する第１の雌ネジ部が形成され、
前記開封体は、
前記注出口本体から抜け出ないように、前記注出口本体の貫通孔の内部を前記第２の方向に移動するように形成され、
前記軸方向の他方の端部に形成された刃部と、前記刃部の天部の略中央に前記軸方向に延びるように突設された受動軸部とを有し、前記刃部および前記受動軸部には、前記軸方向に連通して貫通する注出貫通孔が形成され、
前記刃部の外面には、前記第２の雌ネジ部と螺合するネジの雄部を構成する第２の雄ネジ部が形成され、
前記受動軸部の外面には、前記起動体が前記連通回転方向に回されることにより、前記作動部に押されて回転する受動部が突設され、
前記起動体は、前記連通回転方向に回されることにより、前記起動体の作動部が前記開封体の受動部を前記連通回転方向に押し進め、且つ前記注出口本体から取り外されるように緩められ、前記第１の方向に移動し、
前記作動部が前記受動部を前記連通回転方向に押し進めることにより、前記開封体が前記連通回転方向に回され、
前記開封体は、前記連通回転方向に回されることにより、前記注出口本体の貫通孔の内部を回転しながら螺送され、前記第２の方向に移動し、且つ前記刃部が回転しながら前記注出口本体に形成された貫通孔の底面側から突出し、
前記刃部が回転しながら前記注出口本体に形成された貫通孔の底面側から突出することにより、前記密封シートの一部が切り裂かれ、前記容器の収容部と前記注出口本体の貫通孔とが連通することを特徴とする、請求項１に記載の注出口付き容器。
【請求項４】
前記第１の雄ネジ部および前記第１の雌ネジ部は、前記連通回転方向に回されることにより緩められるように形成された右ネジであり、前記第２の雄ネジ部および前記第２の雌ネジ部は、前記連通回転方向に回されることにより螺送されるように形成された左ネジである、請求項３に記載の注出口付き容器。
【請求項５】
初期状態において、前記起動体の頂部の内面が前記注出口本体の上端部と接触またはほぼ接触するように前記起動体が前記注出口本体に螺合され、前記開封体がその軸方向の他方の端部が前記注出口本体の他方の端部と同じ高さに位置するよう前記注出口本体の貫通孔に挿入され、
前記初期状態から前記起動体が前記連通回転方向に３６０°未満の角度回されることにより、前記開封体が前記注出口本体の貫通孔の内部を３６０°未満の角度回転しながら前記第２の方向に移動し、前記刃部が３６０°未満の角度回転しながら前記貫通孔の軸方向の他方の端部側から突出し、
前記刃部が３６０°未満の角度回転しながら前記貫通孔の軸方向の他方の端部側から突出することにより、前記密封シートの一部がその他の部分と繋がった状態で切り裂かれ、前記容器の収容部と前記注出口本体の貫通孔とが連通することを特徴とする、請求項３または４に記載の注出口付き容器。
【請求項６】
注水口本体は、
外部と連通する貫通孔を有する筒部と、
容器を構成する第１容器シートの端縁と第２容器シートの端縁との間に挟持される取付部と、
筒部の貫通孔内に移動自在に配設された開封体を移動させる移動体を、螺動自在に取り付けるための雄螺子部とを備え、
前記筒部の容器の収容部側に設けられた取付部は、開封体の注出貫通孔と連通する入口を有し、
起動体は、キャップとストッパとを有し、ストッパをキャップから分離して取り外すことにより移動空隙部を形成し、キャップが開封体を密封シートに向けて移動させるために開封体を押すように形成され、
開封体は、密封シート側に密封シートを切り裂くための刃部を有し、且つその刃部に、注出貫通孔を有し、
密封シートは、取付部の開口部を覆うように取付部の容器の収容部側面に貼り付けられ、容器の収容部と密接し、且つ、開封体により切り裂けられて、注出口本体の貫通孔と容器の収容部とが連通するように形成され、
開封体は、筒状の摺動軸部と密封シートを切り裂くための刃部とを有し、
刃部は、摺動軸部の端において鍔状に張り出すように摺動軸部に連設され、
刃部は、注出口本体の貫通孔の周囲に設けられた段差部又は係合部と接し合い、開封体が貫通孔側に移動しないように形成され、
起動体は、キャップの内側に開封体を押すための押圧部が突設され、且つキャップの内側に雌ネジ部が設けられ、キャップの下端に間欠的に設けられた連結部によってストッパが連結され、キャップを回して及び／又は周方向にストッパを回して、キャップからストッパを取り外して移動空隙部を形成され、注出口本体の筒部の周方向に開けられた移動空隙部に向けてキャップを移動させて、押圧部が開封体を押すように形成された、請求項１または請求項２に記載の注出口付き容器。
【請求項７】
注出口本体は、容器を構成する容器シートに取り付けられる舟形の取付部と、取付部の上部に連設された筒部とを備え、
取付部及び筒部は、貫通孔を貫設され、
貫通孔は、取付部の上部に外開口部を有し、且つ取付部の下部に内開口部を有し、
外開口部は、容器の外に開口し、内開口部は容器の収容部に向けて開口している、
請求項１，２または６のいずれかに記載の注出口付き容器。
【請求項８】
注出口本体は、筒部の外周面に雄螺子部が周設され、且つ、雄螺子部の下方において、起動体を停止させるための起動体停止部が、筒部の外周面に周設され、
起動体は、注出口本体の筒部に螺動自在に取り付けられるキャップと、キャップの下方に取り外し自在に連結されたストッパとを備え、
ストッパを取り外したときに形成される移動空隙部の高さの範囲内において、起動体のキャップが下方に移動し、所定位置で停止するように、移動規制部が形成された、請求項１，２，６または７のいずれかに記載の注出口付き容器。
【請求項９】
開封体は、密封シートを切り裂く刃部と刃部の上部に突設された摺動軸部とを有し、
刃部及び刃部の上部に連設された摺動軸部は、円柱状及び／又は柱状であり、
刃部と摺動軸部は、注出貫通孔が貫設されており、
注出貫通孔は、注出口本体の外開口部に臨む出口と容器の収容部に臨む入口とを有し、
摺動軸部は、注出口本体の筒部の貫通孔内に摺動自在に嵌入され、起動体に押されて下方に移動するように形成された、請求項１，２，６〜８のいずれかに記載の注出口付き容器。
【請求項１０】
開封体は、密封シートを切り裂く刃部と、刃部の上部に突設された摺動軸部とを有し、
刃部及び／又は摺動軸部は、回転止め部が形成され、
注出口本体は、容器に取り付けられる取付部と、取付部の上部に突設された筒部とを有し、
取付部及び／又は筒部は、開封体の回転止め部を係合又は挿入するための開封体の回転を止めるための回転止め部が形成された、請求項１，２，６〜９のいずれかに記載の注出口付き容器。
【請求項１１】
注出口を容器の注出部に取り付ける方法であって、
筒状の注出口本体と、注出口本体の筒内に収納された開封体と、開封体を移動させる起動体とを備える注出口を製造するとき、
開封体を注出口本体の筒内に挿入し、注出口本体より開封体が外に出ない状態にして、注出口本体における、収容部に臨む内開口部を覆う密封シートを、注出口本体の容器の収容部に臨む領域にある内開口部を密閉するとともに注出口本体の底面の外縁に沿って突設された筋状の凸部に接着して、注出口を形成し、
前記注出口の取付部の周囲に、容器を構成する第１容器シートと第２容器シートとを溶着する、注出口付き容器の製造方法。
【手続補正書】
【提出日】平成29年11月6日(2017.11.6)
【手続補正１】
【補正対象書類名】明細書
【補正対象項目名】０００５
【補正方法】変更
【補正の内容】
【０００５】
この発明の請求項１にかかる注出口付き容器は、水素水を入れる容器と、容器に取り付けられた注出口本体における収容部に臨む内開口部を覆う密封シートとを備える、注出口付き容器であって、密封シートのアルミニウム領域と容器の収容部の内面のアルミニウム領域とが密接して、水素水中の水素が容器及び注出口本体から抜け出にくい、注水口付き容器である。
この発明の請求項２にかかる注出口付き容器は、注出口本体と、注出口本体の筒部内に収納された開封体と、開封体を移動させる起動体と、注出口本体における、収容部に臨む内開口部を覆う密封シートとを備え、前記開封体は、注出口本体から抜け出ない様に形成され且つ密封シートに向けて移動するように形成され、その中央に注出貫通孔が形成され、前記起動体は、注出口本体の外開口部側に取り付けられ、密封シート側にある開封体を密封シートに向けて移動させるように形成され、前記密封シートは、アルミニウムを備えており、開封体により、少なくともその一部が切り裂かれて、容器の収容部と注出口本体の外開口部が開封体の注出貫通孔を介して外部と連通するように形成され、かつ、前記密封シートは、容器の収容部内の収容物が外開口部より外部に注ぎ出すように形成された、請求項１に記載の注出口付き容器である。
この発明の請求項３にかかる注出口付き容器は、水素水を収容するための収容部を含む容器と、収容部に臨み容器の端縁に取り付けられた注出口とを備える注出口付き容器であって、注出口は、軸方向の貫通孔が形成された注出口本体と、注出口本体の軸方向の一方の端部に螺合された起動体と、注出口本体の貫通孔に挿入された開封体とを含み、注出口本体の貫通孔、起動体および開封体は、それぞれ、略円筒状に形成され、互いに平面視同心にされ、容器の収容部と注出口本体の貫通孔とを遮蔽するように注出口本体の軸方向の他方の端部に位置する底面に固着されることにより、容器の収容部を密封する密封シートをさらに備え、注出口本体は、軸方向の一方の端部近傍の外面に形成され、起動体が、容器の収容部と注出口本体の貫通孔とを連通するための周方向に沿った連通回転方向に回されることにより緩められ、軸方向上の密封シートから離れる第１の方向に移動するための、ネジの雄部を構成する第１の雄ネジ部と、軸方向の他方の端部における貫通孔の内壁に形成され、開封体が、連通回転方向に回されることにより螺送され、軸方向上の密封シートに近づく第２の方向に移動するための、ネジの雌部を構成する第２の雌ネジ部とを有し、起動体は、注出口本体の軸方向の一方の端部に取り外し可能に螺合できるように、且つ開封体を注出口本体の貫通孔の内部を第２の方向に移動させるように形成され、頂部と、頂部の端縁から垂下され側壁を形成する垂下部とを有し、頂部の内面には、垂下部と同じ方向に垂下する作動部が突設され、垂下部の内面には、第１の雄ネジ部と螺合するネジの雌部を構成する第１の雌ネジ部が形成され、開封体は、注出口本体から抜け出ないように、注出口本体の貫通孔の内部を第２の方向に移動するように形成され、軸方向の他方の端部に形成された刃部と、刃部の天部の略中央に軸方向に延びるように突設された受動軸部とを有し、刃部および受動軸部には、軸方向に連通して貫通する注出貫通孔が形成され、刃部の外面には、第２の雌ネジ部と螺合するネジの雄部を構成する第２の雄ネジ部が形成され、受動軸部の外面には、起動体が連通回転方向に回されることにより、作動部に押されて回転する受動部が突設され、起動体は、連通回転方向に回されることにより、起動体の作動部が開封体の受動部を連通回転方向に押し進め、且つ注出口本体から取り外されるように緩められ、第１の方向に移動し、作動部が受動部を連通回転方向に押し進めることにより、開封体が連通回転方向に回され、開封体は、連通回転方向に回されることにより、注出口本体の貫通孔の内部を回転しながら螺送され、第２の方向に移動し、且つ刃部が回転しながら注出口本体に形成された貫通孔の底面側から突出し、刃部が回転しながら注出口本体に形成された貫通孔の底面側から突出することにより、密封シートの一部が切り裂かれ、容器の収容部と注出口本体の貫通孔とが連通することを特徴とする、請求項１に記載の注出口付き容器である。
この発明の請求項４にかかる注出口付き容器は、第１の雄ネジ部および第１の雌ネジ部は、連通回転方向に回されることにより緩められるように形成された右ネジであり、第２の雄ネジ部および第２の雌ネジ部は、連通回転方向に回されることにより螺送されるように形成された左ネジである、請求項３に記載の注出口付き容器である。
この発明の請求項５にかかる注出口付き容器は、初期状態において、起動体の頂部の内面が注出口本体の上端部と接触またはほぼ接触するように起動体が注出口本体に螺合され、開封体がその軸方向の他方の端部が注出口本体の他方の端部と同じ高さに位置するよう注出口本体の貫通孔に挿入され、初期状態から起動体が連通回転方向に３６０°未満の角度回されることにより、開封体が注出口本体の貫通孔の内部を３６０°未満の角度回転しながら第２の方向に移動し、刃部が３６０°未満の角度回転しながら貫通孔の軸方向の他方の端部側から突出し、刃部が３６０°未満の角度回転しながら貫通孔の軸方向の他方の端部側から突出することにより、密封シートの一部がその他の部分と繋がった状態で切り裂かれ、容器の収容部と注出口本体の貫通孔とが連通することを特徴とする、請求項３または４に記載の注出口付き容器である。
この発明の請求項９にかかる注出口付き容器は、開封体は、密封シートを切り裂く刃部と刃部の上部に突設された摺動軸部とを有し、刃部及び刃部の上部に連設された摺動軸部は、円柱状及び／又は柱状であり、刃部と摺動軸部は、注出貫通孔が貫設されており、注出貫通孔は、注出口本体の外開口部に臨む出口と容器の収容部に臨む入口とを有し、摺動軸部は、注出口本体の筒部の貫通孔内に摺動自在に嵌入され、起動体に押されて下方に移動するように形成された、請求項１，２，６〜８のいずれかに記載の注出口付き容器である。
この発明の請求項１０にかかる注出口付き容器は、開封体は、密封シートを切り裂く刃部と、刃部の上部に突設された摺動軸部とを有し、刃部及び／又は摺動軸部は、回転止め部が形成され、注出口本体は、容器に取り付けられる取付部と、取付部の上部に突設された筒部とを有し、取付部及び／又は筒部は、開封体の回転止め部を係合又は挿入するための開封体の回転を止めるための回転止め部が形成された、請求項１，２，６〜９のいずれかに記載の注出口付き容器である。
この発明の請求項１１にかかる注出口付き容器の製造方法は、注出口を容器の注出部に取り付ける方法であって、筒状の注出口本体と、注出口本体の筒内に収納された開封体と、開封体を移動させる起動体とを備える注出口を製造するとき、開封体を注出口本体の筒内に挿入し、注出口本体より開封体が外に出ない状態にして、注出口本体における、収容部に臨む内開口部を覆う密封シートを、注出口本体の容器の収容部に臨む領域にある内開口部の周辺に接着して、注出口を形成し、前記注出口の取付部の周囲に、容器を構成する第１容器シートと第２容器シートとを溶着する、注出口付き容器の製造方法である。
【手続補正２】
【補正対象書類名】明細書
【補正対象項目名】０００６
【補正方法】変更
【補正の内容】
【０００６】
本発明によれば、水素水を入れる容器と、容器に取り付けられた注出口本体における収容部に臨む内開口部を覆う密封シートとを備える、注出口付き容器であって、
密封シートのアルミニウム領域と容器の収容部の内面のアルミニウム領域とが密接して、水素水中の水素が容器及び注出口本体から抜け出にくいので、密封性に優れた注出口付き容器を提供することができる。
請求項２の発明によれば、注出口本体と、注出口本体の筒部内に収納された開封体と、開封体を移動させる起動体と、注出口本体における、収容部に臨む内開口部を覆う密封シートとを備え、前記開封体は、注出口本体から抜け出ない様に形成され且つ密封シートに向けて移動するように形成され、その中央に注出貫通孔が形成され、前記起動体は、注出口本体の外開口部側に取り付けられ、密封シート側にある開封体を密封シートに向けて移動させるように形成され、前記密封シートは、アルミニウムを備えており、開封体により、少なくともその一部が切り裂かれて、容器の収容部と注出口本体の外開口部が開封体の注出貫通孔を介して外部と連通するように形成され、かつ、前記密封シートは、容器の収容部内の収容物が外開口部より外部に注ぎ出すように形成されているので、使用前には密封性に優れ、使用するときは密封シートに穴をあけて、吸い口から内容物を出せる注出口付き容器を提供することができる。  請求項３の発明によれば、水素水を収容するための収容部を含む容器と、収容部に臨み容器の端縁に取り付けられた注出口とを備える注出口付き容器であって、注出口は、軸方向の貫通孔が形成された注出口本体と、注出口本体の軸方向の一方の端部に螺合された起動体と、注出口本体の貫通孔に挿入された開封体とを含み、注出口本体の貫通孔、起動体および開封体は、それぞれ、略円筒状に形成され、互いに平面視同心にされ、容器の収容部と注出口本体の貫通孔とを遮蔽するように注出口本体の軸方向の他方の端部に位置する底面に固着されることにより、容器の収容部を密封する密封シートをさらに備え、注出口本体は、軸方向の一方の端部近傍の外面に形成され、起動体が、容器の収容部と注出口本体の貫通孔とを連通するための周方向に沿った連通回転方向に回されることにより緩められ、軸方向上の密封シートから離れる第１の方向に移動するための、ネジの雄部を構成する第１の雄ネジ部と、軸方向の他方の端部における貫通孔の内壁に形成され、開封体が、連通回転方向に回されることにより螺送され、軸方向上の密封シートに近づく第２の方向に移動するための、ネジの雌部を構成する第２の雌ネジ部とを有し、起動体は、注出口本体の軸方向の一方の端部に取り外し可能に螺合できるように、且つ開封体を注出口本体の貫通孔の内部を第２の方向に移動させるように形成され、頂部と、頂部の端縁から垂下され側壁を形成する垂下部とを有し、頂部の内面には、垂下部と同じ方向に垂下する作動部が突設され、垂下部の内面には、第１の雄ネジ部と螺合するネジの雌部を構成する第１の雌ネジ部が形成され、開封体は、注出口本体から抜け出ないように、注出口本体の貫通孔の内部を第２の方向に移動するように形成され、軸方向の他方の端部に形成された刃部と、刃部の天部の略中央に軸方向に延びるように突設された受動軸部とを有し、刃部および受動軸部には、軸方向に連通して貫通する注出貫通孔が形成され、刃部の外面には、第２の雌ネジ部と螺合するネジの雄部を構成する第２の雄ネジ部が形成され、受動軸部の外面には、起動体が連通回転方向に回されることにより、作動部に押されて回転する受動部が突設され、起動体は、連通回転方向に回されることにより、起動体���作動部が開封体の受動部を連通回転方向に押し進め、且つ注出口本体から取り外されるように緩められ、第１の方向に移動し、作動部が受動部を連通回転方向に押し進めることにより、開封体が連通回転方向に回され、開封体は、連通回転方向に回されることにより、注出口本体の貫通孔の内部を回転しながら螺送され、第２の方向に移動し、且つ刃部が回転しながら注出口本体に形成された貫通孔の底面側から突出し、刃部が回転しながら注出口本体に形成された貫通孔の底面側から突出することにより、密封シートの一部が切り裂かれ、容器の収容部と注出口本体の貫通孔とが連通することを特徴とする、注出口付き容器を提供することができる。
請求項４の発明によれば、第１の雄ネジ部および第１の雌ネジ部は、連通回転方向に回されることにより緩められるように形成された右ネジであり、第２の雄ネジ部および第２の雌ネジ部は、連通回転方向に回されることにより螺送されるように形成された左ネジであるため、使い勝手の良好な注出口付き容器を提供することができる。
請求項５の発明によれば、初期状態において、起動体の頂部の内面が注出口本体の上端部と接触またはほぼ接触するように起動体が注出口本体に螺合され、開封体がその軸方向の他方の端部が注出口本体の他方の端部と同じ高さに位置するよう注出口本体の貫通孔に挿入され、初期状態から起動体が連通回転方向に３６０°未満の角度回されることにより、開封体が注出口本体の貫通孔の内部を３６０°未満の角度回転しながら第２の方向に移動し、刃部が３６０°未満の角度回転しながら貫通孔の軸方向の他方の端部側から突出し、刃部が３６０°未満の角度回転しながら貫通孔の軸方向の他方の端部側から突出することにより、密封シートの一部がその他の部分と繋がった状態で切り裂かれ、容器の収容部と注出口本体の貫通孔とが連通することを特徴とする、注出口付き容器を提供することができる。
請求項７の発明によれば、注出口本体は、容器を構成する容器シートに取り付けられる舟形の取付部と、取付部の上部に連設された筒部とを備え、取付部及び筒部は、貫通孔を貫設され、貫通孔は、取付部の上部に外開口部を有し、且つ取付部の下部に内開口部を有し、外開口部は、容器の外に開口し、内開口部は容器の収容部に向けて開口しているので、使用前には密封性に優れ、使用時には容易に内容物を取り出せる。
請求項８の発明によれば、注出口本体は、筒部の外周面に雄螺子部が周設され、且つ、雄螺子部の下方において、起動体を停止させるための起動体停止部が、筒部の外周面に周設され、起動体は、注出口本体の筒部に螺動自在に取り付けられるキャップと、キャップの下方に取り外し自在に連結されたストッパとを備え、ストッパを取り外したときに形成される移動空隙部の高さの範囲内において、起動体のキャップが下方に移動し、所定位置で停止するように、移動規制部が形成されているので、容易に且つ確実に開封できる。
請求項９の発明によれば、開封体は、密封シートを切り裂く刃部と刃部の上部に突設された摺動軸部とを有し、刃部及び刃部の上部に連設された摺動軸部は、円柱状及び／又は柱状であり、刃部と摺動軸部は、注出貫通孔が貫設されており、注出貫通孔は、注出口本体の外開口部に臨む出口と容器の収容部に臨む入口とを有し、摺動軸部は、注出口本体の筒部の貫通孔内に摺動自在に嵌入され、起動体に押されて下方に移動するように形成されているので、容易に且つ確実に開封できる。
請求項１０の発明によれば、開封体は、密封シートを切り裂く刃部と、刃部の上部に突設された摺動軸部とを有し、刃部及び／又は摺動軸部は、回転止め部が形成され、注出口本体は、容器に取り付けられる取付部と、取付部の上部に突設された筒部とを有し、取付部及び／又は筒部は、開封体の回転止め部を係合又は挿入するための開封体の回転を止めるための回転止め部が形成されているので、容易に且つ確実に開封できる。
請求項１１の発明によれば、注出口を容器の注出部に取り付ける方法であって、筒状の注出口本体と、注出口本体の筒内に収納された開封体と、開封体を移動させる起動体とを備える注出口を製造するとき、開封体を注出口本体の筒内に挿入し、注出口本体より開封体が外に出ない状態にして、注出口本体における、収容部に臨む内開口部を覆う密封シートを、注出口本体の容器の収容部に臨む領域にある内開口部の周辺に接着して、注出口を形成し、前記注出口の取付部の周囲に、容器を構成する第１容器シートと第２容器シートとを溶着するので、密封性に優れた抽出口付き容器を提供することができる。
【手続補正３】
【補正対象書類名】明細書
【補正対象項目名】０００７
【補正方法】変更
【補正の内容】
【０００７】
【図１】本発明の第１の実施の形態に係る注出口付き容器を示す概略斜視図である。
【図２】本発明の第１の実施の形態に係る注出口の概略斜視図解図である。
【図３】本発明の第１の実施の形態に係る注出口の概略斜視図解図である。
【図４Ａ】キャップの図解図であり、（ａ）は平面図解図、（ｂ）は側面図解図、（ｃ）は側面図解図である。
【図４Ｂ】キャップの図解図であり、（ａ）は縦断面図解図であり、（ｂ）は頂部付近の端面図であり、（ｃ）は底面図である。
【図５Ａ】注出口本体の図解図であり、（ａ）は平面図解図、（ｂ）は正面図解図、（ｃ）は側面図解図である。
【図５Ｂ】注出口本体の図解図であり、（ａ）は縦断面図解図であり、（ｂ）は底面図解図である。
【図６Ａ】開封体の図解図であり、（ａ）は平面図解図、（ｂ）は正面図解図、（ｃ）は側面図解図である。
【図６Ｂ】開封体の図解図であり、（ａ）は縦断面図解図であり、（ｂ）は底面図である。
【図７Ａ】本発明の第１の実施の形態に係る注出口の組み立て方を示す斜視図解図である。
【図７Ｂ】本発明の第１の実施の形態に係る注出口の組み立て方を示す縦断面図解図である。
【図８】本発明の第１の実施の形態に係る容器に注出口を装着した後の図解図であり、（ａ）は正面図解図、（ｂ）は拡大側面図解図である。
【図９】本発明の第１の実施の形態に係る容器に注出口を装着後の拡大断面図であり（ａ）は側面図解図、（ｂ）は（ａ）のＨ部の拡大断面図解図、（ｃ）は（ａ）のＩ部拡大断面図解図である。
【図１０Ａ】本発明の第１の実施の形態に係る注出口付き容器の使用方法を示す一部を拡大した断面図解図であり、（ａ）はストッパをとる図解図であり、（ｂ）はキャップを締める状態を表す図解図であり、（ｃ）は密封シートの切り裂かれた状態を示す図解図である。
【図１０Ｂ】（ａ）は密封シートの底面図解図であり、（ｂ）は密封シートの切り裂かれた状態を示す底面図解図であり、（ｃ）はストッパ及び注出口本体の横断面図解図である。
【図１１Ａ】本発明の第１の実施の形態に係る注出口付き容器の製造方法を示す図解図であり、（１）は第１ステップ、（２）は第２ステップ、（３）は第３ステップを示す図解図である。
【図１１Ｂ】本発明の第１の実施の形態に係る注出口付き容器の製造方法を示す図解図であり、（４）は第４ステップ、（５）は第５ステップを示す図解図である。
【図１１Ｃ】本発明の第１の実施の形態に係る注出口付き容器の製造方法を示す図解図であり、（６）は第６ステップ、（７）は第７ステップを示す図解図である。
【図１２】この発明の第２の実施の形態に係る注出口付き容器を示す正面図である。
【図１３】この発明の第２の実施の形態に係る注出口付き容器が備える注出口を示すその底面が見える状態の斜視図である。
【図１４】この発明の第２の実施の形態に係る注出口付き容器が備える注出口本体を示す正面図である。
【図１５】この発明の第２の実施の形態に係る注出口付き容器が備える注出口本体を    示す図であり、（Ａ）が平面図、（Ｂ）が側面図、（Ｃ）が底面図である。
【図１６】この発明の第２の実施の形態に係る注出口付き容器が備える注出口本体を示す図１５（Ａ）のＸＶＩ−ＸＶＩ断面図である。
【図１７】この発明の第２の実施の形態に係る注出口付き容器が備える開封体を示す正面図である。
【図１８】この発明の第２の実施の形態に係る注出口付き容器が備える開封体を示す    図であり、（Ａ）が平面図、（Ｂ）が側面図、（Ｃ）が底面図である。
【図１９】この発明の第２の実施の形態に係る注出口付き容器が備える開封体を示す図１８（Ａ）のＸＩＸ−ＸＩＸ断面図である。
【図２０】この発明の第２の実施の形態に係る注出口付き容器が備える起動体を示す正面図である。
【図２１】この発明の第２の実施の形態に係る注出口付き容器が備える起動体を示す図であり、（Ａ）が平面図、（Ｂ）が底面図である。
【図２２】この発明の第２の実施の形態に係る注出口付き容器が備える起動体を示す図であり、（Ａ）が図２１（Ａ）のＸＸＩＩＡ−ＸＸＩＩＡ断面図、（Ｂ）が図２０のＸＸＩＩＢ−ＸＸＩＩＢ断面図である。
【図２３】この発明の第２の実施の形態に係る注出口付き容器が備える起動体のタンパーエビデンスを示す斜視図である。
【図２４】この発明の第２の実施の形態に係る注出口付き容器の備える注出口本体、開封体および起動体を組み立てる順に並べて底面側から見たときの斜視図である。
【図２５】この発明の第２の実施の形態に係る注出口付き容器に密封シートを固着する方向で並べて底面側から見たときの斜視図である。
【図２６】この発明の第２の実施の形態に係る注出口付き容器が備える注出口を示す高さ方向の断面図である。
【図２７】この発明の第２の実施の形態に係る注出口付き容器が備える注出口を示す図であり、（Ａ）が図２６のＸＸＶＩＩ−ＸＸＶＩＩ断面図、（Ｂ）が起動体を左回転させたときの羽根押し部と羽根部の関係を示す模式図である。
【図２８】この発明の第２の実施の形態に係る注出口付き容器が備える注出口本体の左雌ネジ部と、開封体の左雄ネジ部とが螺合する様子を示す模式展開図であり、（Ａ）が回転角度０°、（Ｂ）が回転角度１５０°、（Ｃ）が回転角度３００°を示す図である。
【図２９】この発明の第２の実施の形態に係る注出口付き容器が備える密封シートの一部が切り裂かれる様子を示す模式平面図であり、（Ａ）が回転角度０°、（Ｂ）が回転角度１５０°、（Ｃ）が回転角度３００°を示す図である。
【図３０】この発明の第２の実施の形態に係る注出口付き容器が備える密封シートの一部を切り裂いた状態を底面側から見たときの斜視図である。
【図３１】この発明の第２の実施の形態に係る注出口付き容器が備える密封シートの一部を切り裂いた状態を示す高さ方向の断面図である。
【図３２】この発明の第２の実施の形態に係る注出口本体を示す図１９のフランジ部近傍の断面図である。
【図３３】この発明の第２の実施の形態に係る注出口付き容器が備える起動体を注出口本体から取り外した後、再び取り付けるときの羽根押し部と羽根部の関係を示す模式図である。
【図３４】この発明の第３の実施の形態に係る注出口付き容器を示す正面図である。
【図３５】この発明の第３の実施の形態に係る注出口付き容器が備える注出口を示すその底面が見える状態の斜視図である。
【図３６】この発明の第３の実施の形態に係る注出口付き容器が備える注出口本体を示す正面図である。
【図３７Ａ】この発明の第３の実施の形態に係る注出口付き容器が備える注出口本体を示す平面図である。
【図３７Ｂ】この発明の第３の実施の形態に係る注出口付き容器が備える注出口本体を示す側面図である。
【図３７Ｃ】この発明の第３の実施の形態に係る注出口付き容器が備える注出口本体を示す底面図である。
【図３７Ｄ】この発明の第３の実施の形態に係る注出口付き容器が備える注出口本体と開封体とを組み合わせた状態を示す底面図である。
【図３８Ａ】この発明の第３の実施の形態に係る注出口付き容器が備える注出口本体の図３７Ａに示すＸＸＸＶＩＩＩＡ−ＸＸＸＶＩＩＩＡ断面図である。
【図３８Ｂ】この発明の第３の実施の形態に係る注出口付き容器が備える注出口本体の図３７Ａに示すＸＸＸＶＩＩＩＢ−ＸＸＸＶＩＩＩＢ断面図である。
【図３９】この発明の第３の実施の形態に係る注出口付き容器が備える注出口本体の底面が見える状態で、第１の凸部および第２の凸部を明示した斜視部分拡大図である。
【図４０】この発明の第３の実施の形態に係る注出口付き容器が備える注出口本体の底面図で、第１の凸部および第２の凸部を明示した部分拡大図である。
【図４１】この発明の第３の実施の形態に係る注出口付き容器が備える注出口本体の高さ方向に沿った断面図であり、第１の凸部およびその近傍の拡大図である。
【図４２】この発明の第３の実施の形態に係る注出口付き容器が備える開封体を示すその底面が見える状態の斜視図である。
【図４３】この発明の第３の実施の形態に係る注出口付き容器が備える開封体を示すその天面が見える状態の斜視図である。
【図４４】この発明の第３の実施の形態に係る注出口付き容器が備える開封体を示す正面図である。
【図４５Ａ】この発明の第３の実施の形態に係る注出口付き容器が備える開封体を示す平面図である。
【図４５Ｂ】この発明の第３の実施の形態に係る注出口付き容器が備える開封体を示す側面図である。
【図４５Ｃ】この発明の第３の実施の形態に係る注出口付き容器が備える開封体を示す底面図である。
【図４６】この発明の第３の実施の形態に係る注出口付き容器が備える開封体を示す図４５ＡのＸＬＶＩ−ＸＬＶＩ断面図である。
【図４７】この発明の第３の実施の形態に係る注出口付き容器が備える起動体を示す正面図である。
【図４８】この発明の第３の実施の形態に係る注出口付き容器が備える起動体を示す図であり、（Ａ）が平面図、（Ｂ）が底面図である。
【図４９】この発明の第３の実施の形態に係る注出口付き容器が備える起動体を示す図であり、（Ａ）が図４８（Ａ）のＸＬＩＸＡ−ＸＬＩＸＡ断面図、（Ｂ）が図４７のＸＬＩＸＢ−ＸＬＩＸＢ断面図である。
【図５０】この発明の第３の実施の形態に係る注出口付き容器が備える起動体のタンパーエビデンスを示す斜視図である。
【図５１】この発明の第３の実施の形態に係る注出口付き容器の備える注出口本体、開封体および起動体を組み立てる順に並べて底面側から見たときの斜視図である。
【図５２】この発明の第３の実施の形態に係る注出口付き容器に密封シートを固着する方向で並べて底面側から見たときの斜視図である。
【図５３】この発明の第３の実施の形態に係る注出口付き容器が備える注出口を示す高さ方向に沿った断面図である。
【図５４】この発明の第３の実施の形態に係る注出口付き容器が備える注出口を示す図であり、（Ａ）が図５３のＬＩＶＡ−ＬＩＶＡ端面図、（Ｂ）が起動体を左回転させたときの羽根押し部と羽根部の関係を示す模式図である。
【図５５】この発明の第３の実施の形態に係る注出口付き容器が備える注出口本体の左雌ネジ部と、開封体の左雄ネジ部とが螺合する様子を示す模式展開図であり、（Ａ）が開封体の回転角０°、（Ｂ）が開封体の回転角１５０°、（Ｃ）が開封体の回転角３００°を示す図である。
【図５６】この発明の第３の実施の形態に係る注出口付き容器が備える注出口本体の回転停止雄部１３１２の高さでの幅方向に沿った断面図（図５３のＬＶＩ−ＬＶＩ断面図）であり、（Ａ）が開封体の回転角０°、（Ｂ）が開封体の回転角１５０°、（Ｃ）が開封体の回転角３００°を示す図である。
【図５７】この発明の第３の実施の形態に係る注出口付き容器が備える密封シートの一部が切り裂かれる様子を示す模式平面図であり、（Ａ）が開封体の回転角０°、（Ｂ）が開封体の回転角１５０°、（Ｃ）が開封体の回転角３００°を示す図である。
【図５８】この発明の第３の実施の形態に係る注出口付き容器が備える密封シートの一部が切り裂かれる様子を示す図であり、開封体の回転角１５０°のときの高さ方向に沿った断面図である。
【図５９】この発明の第３の実施の形態に係る注出口付き容器が備える密封シートの一部を切り裂いた状態を示す図であり、開封体の回転角３００°のときの高さ方向に沿った断面図である。
【図６０】この発明の第３の実施の形態に係る注出口本体を示す図５９のフランジ部近傍の断面図である。
【図６１】この発明の第３の実施の形態に係る注出口付き容器が備える密封シートの一部を切り裂いた状態を底面側から見たときの斜視図である。
【図６２】この発明の第３の実施の形態に係る注出口付き容器が備える起動体を注出口本体から取り外した後、再び取り付けたときを示す図であり、（Ａ）が羽根押し部と羽根部の関係を示す模式図、（Ｂ）が高さ方向に沿った断面図である。
【図６３】この発明の第３の実施の形態に係る容器に注出口を装着後の拡大断面図である。
【図６４】この発明の第４の実施の形態に係る注出口付き容器が備える開封体を示す斜視図である。
【図６５】この発明の第４の実施の形態に係る注出口付き容器が備える開封体を示す正面図である。
【図６６】この発明の第４の実施の形態に係る注出口付き容器が備える開封体を示す図であり、（Ａ）が平面図、（Ｂ）が側面図、（Ｃ）が底面図である。
【図６７】この発明の第４の実施の形態に係る注出口付き容器が備える開封体を示す図であり、（Ａ）が図６６（Ｃ）のＬＸＶＩＩＡ−ＬＸＶＩＩＡ断面図、（Ｂ）が図６６（Ｃ）のＬＸＶＩＩＢ−ＬＸＶＩＩＢ断面図である。
【図６８】この発明の第５の実施の形態に係る注出口付き容器が備える開封体を示す斜視図である。
【図６９】この発明の第５の実施の形態に係る注出口付き容器が備える開封体を示す正面図である。
【図７０】この発明の第５の実施の形態に係る注出口付き容器が備える開封体を示す図であり、（Ａ）が平面図、（Ｂ）が（Ｃ）のＬＸＸＢ−ＬＸＸＢ断面図、（Ｃ）が底面図である。
【図７１】この発明の第５の実施の形態に係る注出口付き容器が備える注出口の底面が見える状態の斜視図である。
【図７２】この発明の第６の実施の形態に係る注出口付き容器が備える起動体および開封体を示す正面図である。
【図７３】この発明の第６の実施の形態に係る注出口付き容器が備える起動体および開封体を示す底面図である。
【図７４】この発明の第６の実施の形態に係る注出口付き容器が備える注出口の起動体を上方に移動させる前の状態を示す図であり、（Ａ）が底面の見える状態の斜視図、（Ｂ）が軸方向に沿った断面図である。
【図７５】この発明の第６の実施の形態に係る注出口付き容器が備える注出口の起動体を上方に移動させた後の状態を示す図であり、（Ａ）が底面の見える状態の斜視図、（Ｂ）が軸方向に沿った断面図である。
【図７６】この発明の第６の実施の形態に係る注出口付き容器が備える注出口を示す底面図である。
【図７７】この発明の第６の実施の形態に係る注出口付き容器が備える注出口の変形例を示す底面図であり、（Ａ）が底面視略円形状の密封シート固着部、（Ｂ）が底面視略四角形状の密封シート固着部を備える注出口付き容器の変形例を示す底面図である。
【図７８】本発明に係る注出口付き容器の斜視図解図である。
【図７９】本発明に係る注出口付き容器の説明図である。
【手続補正４】
【補正対象書類名】明細書
【補正対象項目名】００１３
【補正方法】変更
【補正の内容】
【００１３】
筒状の注出口本体２０は、
外部と連通する貫通孔２６を有する筒部２４と、
容器１０を構成する第１容器シート２１０の端縁と第２容器シート２２０の端縁との間に挟持される取付部２２と、
筒部２４の貫通孔２６内に移動自在に配設された開封体５０を移動させる起動体を、螺動自在に取り付けるための雄螺子部３２とを備える。
前記筒部２４の容器１０の収容部２００側に設けられた取付部２２は、開封体５０の注出貫通孔５６と連通する入口５８を有している。  
【手続補正５】
【補正対象書類名】明細書
【補正対象項目名】００３０
【補正方法】変更
【補正の内容】
【００３０】
刃部５２は、基礎部６２の高さと切刃部６４の高さとの和が注出口本体２０の段差部３４と内開口部３０との間の長さと同じかそれよりも若干短い長さを有している。
切刃部６４は、前後に分かれており、前の第１切刃部７０と、後の第２切刃部７２とを備えている。
第１切刃部７０は、底面視円弧状であり、又、第２切刃部７２は、底面視円弧状であり、第１切刃部７０と第２切刃部７２とは対向している。
第１切刃部７０及び第２切刃部７２は、密封シート１４を切るときに最も最初に密封シート１４に接する中央部より左右の刃の一部が、密封シート１４を切るように左右に行くに従って徐々にその高さが低くなるように形成されている。
而して、第１切刃部７０で切られた領域と、第２切刃部７２で切られた領域とが繋がって切られた密封シート１４に穴があく。
しかしながら、第１切刃部７０で切られた領域と、第２切刃部７２で切られた領域との間には、切られていない残存物が残り、刃部５２で切られた密封シート１４は、切られた周辺が可動領域となり、内容物が流動するように、構成してもよい。
【手続補正６】
【補正対象書類名】明細書
【補正対象項目名】００３１
【補正方法】変更
【補正の内容】
【００３１】
注出口本体２０の筒部２４は、起動体停止部３６の上方において、起動体８０のキャップ８２及びストッパ８４の移動を規制し、保護するための突条４０が周設されている。
注出口本体２０の筒部２４は、起動体停止部３６の若干上方において、起動体８０のキャップ８２とストッパ８４とを連結する連結部９６を切り離すときに、キャップ８２のみを回転をさせてストッパ８４の回転を停止させるための回転停止部４２が突設されている。
回転停止部４２は、キャップ８２を締めるために閉栓方向（時計回り）に回転させるときに、突き当たり、ストッパ８４の回転を停止させるように構成している。
【手続補正７】
【補正対象書類名】明細書
【補正対象項目名】００３７
【補正方法】変更
【補正の内容】
【００３７】
ストッパ８４は、外力が加わったときに、ある程度撓むことが可能な可撓性を有している。
キャップ８２とストッパ８４は、例えばポリエチレンあるいはポリプロピレン等の合成樹脂によって一体に成形されている。
ストッパ８４は、ブリッジ状の連結部９６を介して、キャップ８２の下端とつながっている。
ストッパ８４は、開栓するときに破断させる、幅の狭い破断予定部を介して円環状につながっている。
【手続補正８】
【補正対象書類名】明細書
【補正対象項目名】００４４
【補正方法】変更
【補正の内容】
【００４４】
開封体５０は、薄肉破断線を押圧破断した後、破断した密封シート１４を取付部２２の内開口部３０の周辺に固着しているため、切り裂いた密封シート１４がぶらぶらして収納物の吸引等の邪魔になる不都合を防止でき、また、改めて密封シート１４を廃棄する手間を省くことができる。取り除き可能なストッパ８４により螺動下降幅を規制してキャップ８２を螺着させているため、ストッパ８４を外さない限り開封することが出来ず、不用意な開封を確実に防止できる。
【手続補正９】
【補正対象書類名】明細書
【補正対象項目名】００４６
【補正方法】変更
【補正の内容】
【００４６】
引き続き、注出口１２を容器１０に取り付ける方法について、主として図１１に基づいて説明する。
容器１０を構成する第１容器シート２１０と、第２容器シート２２０と、第１容器シート２１０と第２容器シート２２０との間に連設された底部シート２３０とを有する原反（シート状物）を準備する。
原反（シート状物）は、ロール状に巻き重ねられている。
かかるロール状原反（シート状物）を引き出し、底部シート２３０をスタンディングパウチの底部２０４となるように折り曲げ、成形して、第１容器シート２１０と第２容器シート２２０とを対向させる。
次に、対向する第１容器シート２１０の左側縁２１２と第２容器シート２２０の左側縁２２２とを熱溶着して左側部２０６を形成する。
第１容器シート２１０及び第２容器シート２２０は、その一方の側部（左側部２０６）と底部２０４とを接続されている。
底部２０４とは反対側である上部の第１容器シート２１０の上側縁２１６と第２容器シート２２０の上側縁２２６との間に、注出口１２の取付部２２を挿入する。
次に、第１容器シート２１０の上側縁２１６の内側面と第２容器シート２２０の上側縁２２６の内側面との間に取付部２２を挟み込む。
そして、第１容器シート２１０の上側縁２１６の内側面と第２容器シート２２０の上側縁２２６の内側面とは、その周辺領域で溶着するとともに、第１容器シート２１０の上側縁２１６の内側面と第２容器シート２２０の上側縁２２６の内側面との間に挟み込まれた取付部２２の外周面にも溶着する。
次に、溶着された一方の側部（容器１０の左側部２０６）を下にし、溶着されていない方の側部（容器１０の右側部２０８）を構成する第１容器シート２１０の右側縁２１４と第２容器シート２２０の右側縁２２４とを上にして、第１容器シート２１０と第２容器シート２２０の間に収容物（水素水）を注入する注入機のノズルを挿入して、収容物（水素水）を容器１０の注出部２０２に充填する。
次に、第１容器シート２１０の他方側部を構成する右側縁２１４の内側面と第２容器シート２２０の他方側部を構成する右側縁２２４の内側面とを、周辺において溶着して、右側部２０８を形成する。
上部である注出部２０２、左側部２０６，右側部２０８及び底部２０４で囲繞された収容部２００に水素水が封入される。
而して、収容物は、容器１０に充填されて、密閉される。
【手続補正１０】
【補正対象書類名】明細書
【補正対象項目名】００５４
【補正方法】変更
【補正の内容】
【００５４】
取付け部１０２２は、容器１０を構成する第１容器シート１２１０の端縁と、第２容器シート１２２０の端縁との間に挟持されるように容器１０に取り付けられる。取付け部１０２２は、平面視略ひし形状の底部と、底部の端縁から立ち上がる側部と、底部とほぼ同様の形状を有する天部とを有する。取付け部１０２２の一方側の側部には、３つの横リブ部１３３０ａ，１３３０ｂ，および１３３０ｃと、４つの縦リブ部１３４０ａ，１３４０ｂ，１３４０ｃおよび１３４０ｄとが突設される。３つの横リブ部１３３０ａ，１３３０ｂ，および１３３０ｃは、左右方向（横方向）に直線状に延びる。また、３つの横リブ部１３３０ａ，１３３０ｂ，および１３３０ｃは、互いに平行であり、上下方向に等間隔に設けられる。横リブ部１３３０ｂの略中央には、幅方向に向けて、上記した貫通孔１０２６まで貫通する平面視略円形状の試験用の孔１３３２が形成される。
【手続補正１１】
【補正対象書類名】明細書
【補正対象項目名】００５７
【補正方法】変更
【補正の内容】
【００５７】
取付け部１０２２の略中央には、上記したように、平面視略円形状の貫通孔１０２６が形成される。取付け部１０２２に形成された貫通孔１０２６は、開封体１０５０の刃部１０５２を収容するための空間となる。この空間を開封体収容部１０４４とする。開封体収容部１０４４の内壁（すなわち、貫通孔１０２６の側壁下部）には、平面視左回転（反時計回り）にねじを巻いたとき（旋回したとき）進行するネジ（以下、「左ネジ」という）の雌部を構成する左雌ネジ部１３１０（第２の雌ネジ部）が形成される。左雌ネジ部１３１０の下端部（すなわち、左雌ネジ部１３１０の終端部）は、貫通孔１０２６の内開口部１０３０よりもやや上方に位置する。そして、この終端部の近傍には、開封体１０５０の平面視の回転運動（平面視左回転および右回転）を停止させ、開封体１０５０が螺動して上下動することを停止させるための側面視略四角形状の回転停止雄部１３１２が下方（第２の方向）に向けて突設される。回転停止雄部１３１２は、側面視略四角形状である。  
【手続補正１２】
【補正対象書類名】明細書
【補正対象項目名】００６３
【補正方法】変更
【補正の内容】
【００６３】
刃部１０５２は、略円筒形状である。刃部１０５２は、その外径が、注出口本体１０２０に形成された開封体収容部１０４４の内径とほぼ等しいかやや小さい。また、刃部１０５２は、その上下方向の寸法が、注出口本体１０２０に形成された開封体収容部１０４４のそれとほぼ同じかやや小さい。
刃部１０５２は、下端部から上方に向かうほどにその径方向の寸法が大きくなるように形成されている。刃部１０５２は、上端部から下端部近傍まで形成された基礎部１０６２と、下端部に形成された切刃部１０６４とを有する。基礎部１０６２の外面には、左ネジの雄部（第２の雄ネジ部）を構成する段差１３６０が形成される。この段差１３６０は、上記した注出口本体１０２０の内面に形成された左雌ネジ部（第２の雌ネジ部）を構成する段差１３１０に螺合する。段差１３６０の始端部の近傍には、側面視略四角形状に凹むように回転停止雌部１３６２が形成される。この回転停止雌部１３６２は、上記した段差１３１０の終端部に形成された回転停止雄部１３１２と協働して作用する。この協働態様の詳細については後述する。基礎部１０６２における段差１３６０の下部には、径方向の寸法の小さくなる段差としてフランジ部１３７０が全周に亘って形成される。切刃部１０６４は、その上端部から下端部に向けて径方向の寸法が小さくなるように形成される。切刃部１０６４には、その下端部から上端部まで延びる側面視略四角形状の切欠き部１３８０が形成される。切欠き部１３８０は、平面視したとき、上記した段差１３６０の始端部の近傍に形成された回転停止雌部１３６２と約３００°ずれた位置に形成される。なお、切欠き部１３８０は、下底の長さ寸法が上底のそれよりもやや大きく、且つ上底の両端の内角が互いに等しい台形状に形成されることが好ましい。
【手続補正１３】
【補正対象書類名】明細書
【補正対象項目名】００６７
【補正方法】変更
【補正の内容】
【００６７】
キャップ１０８２は、平面視略円形状の頂部１０９０と、頂部１０９０の端縁から垂下された側壁である垂下部１０９２とを含む。すなわち、キャップ１０８２は、その底面に開口を有する略円柱形状である。頂部１０９０と垂下部１０９２とは、合成樹脂で一体成形される。キャップ１０８２の内径は、注出口本体の１０２０の筒部１０２４の外径とほぼ等しいかやや大きい。また、キャップ１０８２は、その上下方向の寸法が、注出口本体１０２０の上端部から突条１０４０までの寸法とほぼ等しい。頂部１０９０の内面には、垂下部１０９２と同じ方向に垂れ下がる３つの作動部としての羽根押し部１０８６が配設される。垂下部１０９２の内面には、右ネジの雌部を構成する右雌ネジ部１０８８（第１の雌ネジ部）が形成される。３つの羽根押し部１０８６は、それぞれ、同様の形状を有する。また、３つの羽根押し部１０８６は、それぞれ、平面視したとき、略円弧状に形成される。また、３つの羽根押し部１０８６は、それぞれ、平面視したとき、互いに結んだとき一つの円を描くように配設される。また、３つの羽根押し部１０８６は、それぞれ、平面視左回転で見たとき、後に現れる端部の径方向の寸法が先に現れる端部のそれよりもやや大きく形成されることが好ましい。この右雌ネジ部１０８８は、上記した注出口本体１０２０の外面に形成された右雄ネジ部１０３２に螺合する。  
【手続補正１４】
【補正対象書類名】明細書
【補正対象項目名】００８３
【補正方法】変更
【補正の内容】
【００８３】
開封体１０５０は、平面視左回転（反時計回り）すると、その外面下部に形成された左雄ネジ部としての段差１３６０が、注出口本体１０２０の内壁に形成された左雌ネジ部としての段差１３１０にガイドされて螺送され、下方（第２の方向）へと進行する。すなわち、開封体１０５０は、起動体１０８０が移動する上方向（第１の方向）とは反対の下方向（第２の方向）に移動する。  
【手続補正１５】
【補正対象書類名】明細書
【補正対象項目名】００８６
【補正方法】変更
【補正の内容】
【００８６】
開封体１０５０は、初期状態から３００°左回転（反時計回り）すると、開封体１０５０が下方へ移動することで羽根押し部１０８６と羽根部１３９０が接しなくなり、開封体１０５０の回転が止まるとともに、その段差１３６０の終端部近傍に形成された回転停止雌部１３６２に、注出口本体１０２０の段差１３１０の始端部近傍に形成された回転停止雄部１３１２が嵌合する。これにより、開封体１０５０は、初期状態から３００°左回転（反時計回り）した状態でその回転が規制され、上下方向へも移動できなくなる。このように、開封体１０５０を３００°左回転（反時計回り）させることにより、密封シート１０１４の一部が切り裂かれ、容器１０の収容部２００と、開封体１０５０の注出貫通孔１０５６（および注出口本体１０２０の貫通孔１０２６）とが連通する。なお、密封シート１０１４は、上記したように３００°しか切り裂かれない。すなわち、密封シート１０１４の残りの６０°の部分が、その他の部分に繋がったままであるため、円状の切り屑が密封シート１０１４のその他の部分に垂れ下がった状態となる。したがって、切り屑が容器１０の収容部２００に落下しないため、切り屑を誤飲してしまうことを防止することができる。なお、上記では、開封体１０５０が３００°左回転させられるとして説明したが、この場合に限られず、３６０°未満のその他の角度回転させられることにより、密封シート１０１４の切り裂かれた部分と、その他の部分とが繋がった状態となるようにしてもよい。  
【手続補正１６】
【補正対象書類名】明細書
【補正対象項目名】００８８
【補正方法】変更
【補正の内容】
【００８８】
上記したように、起動体１０８０を平面視左回転（反時計回り）させることにより、起動体１０８０が上方に移動する。これにより、タンパーエビデンス１０８４の仮連結が破断し、密閉されたキャップ１０８２に手を加えられたことが明確となる。また、これと同時に、開封体１０５０が平面視左回転（反時計回り）しながら下方に移動する。これにより、密封シート１０１４の一部が切り裂かれ、容器１０の収容部２００と注出口本体１０２０の貫通孔１０２６（開封体１０５０の注出貫通孔１０５６）とが連通する。このとき、起動体１０８０を約３００°左回転（反時計回り）させた状態である。ここからさらに起動体１０８０を平面視左回転（反時計回り）させることにより、起動体１０８０を上方に移動させ、起動体１０８０の内面に形成された右雌ネジ部１０８８と、注出口本体１０２０の外面に形成された右雄ネジ部１０３２との螺合状態を開放し、起動体１０８０を注出口本体１０２０から取り外す。このようにして、開封体１０５０に形成された注出貫通孔１０５６の出口（および注出口本体１０２０に形成された外開口部１０２８）が開放される。  
【手続補正１７】
【補正対象書類名】明細書
【補正対象項目名】００９０
【補正方法】変更
【補正の内容】
【００９０】
図３３は、この発明の第２の実施の形態に係る注出口付き容器が備える起動体を注出口本体から取り外した後、再び取り付けるときの羽根押し部と羽根部の関係を示す模式図である。ここで、上記したように、起動体１０８０に形成された３つの羽根部１３９０は、それぞれ、平面視したとき、左回転（反時計回り）で見て先に現れる面が突出する方向と受動軸部１０５４の外面の接線方向とのなす角度が、左回転で見て後に現れる面が突出する方向と受動軸部１０５４の外面の接線方向とのなす角度よりも小さくなるように形成される。また、上記したように、起動体１０８０に形成された３つの羽根押し部１０８６は、それぞれ、平面視左回転で見たとき、後に現れる端部の径方向の寸法が先に現れる端部のそれよりもやや大きく形成される。羽根部１３９０および羽根押し部１０８６は、このような形状を有することにより、起動体１０８０を取り付け終わる間際に干渉し合う際、互いに変形して力を逃がすことができる。
【手続補正１８】
【補正対象書類名】明細書
【補正対象項目名】００９２
【補正方法】変更
【補正の内容】
【００９２】
なお、上記した実施の形態では、第１の雄ネジ部および第１の雌ネジ部が右ネジ（右雄ネジ部１０３２、右雌ネジ部１０８８）であり、第２の雄ネジ部および第２の雌ネジ部が左ネジ（左雄ネジ部としての段差１３６０、左雌ネジ部としての段差１３１０）である場合について説明した。しかしながら、この場合に限られず、第１の雄ネジ部および第１の雌ネジ部が左ネジであり、第２の雄ネジ部および第２の雌ネジ部が右ネジであってもよい。
【手続補正１９】
【補正対象書類名】明細書
【補正対象項目名】０１０８
【補正方法】変更
【補正の内容】
【０１０８】
刃部１０５２は、その外径が、注出口本体１０２０に形成された開封体収容部１０４４の内径とほぼ等しいかやや小さい。また、刃部１０５２は、その上下方向の寸法が、注出口本体１０２０に形成された開封体収容部１０４４のそれとほぼ同じかやや小さい。刃部１０５２は、その上端部から下端部近傍までの基礎部１０６２と、その下端部の切刃部１０６４とを有する。基礎部１０６２の外面には、左ネジの雄部を構成する被案内斜面１３６０ｃが形成される。この被案内斜面１３６０ｃは、上記した注出口本体１０２０の内面に形成された、左ネジの雌部を構成する案内斜面１３１０ｄに対応したらせん状の斜面を有する。
開封体１０５０の被案内斜面１３６０ｃは、初期状態から左に向かうに従って上昇する上向きの小道であり、注出口本体１０２０の案内斜面１３１０ｄは、初期状態から左に向かうに従って上昇する下向きの小道である（図４４及び図４５参照）。
開封体１０５０の被案内斜面１３６０ｃは、注出口本体１０２０の案内斜面１３１０ｄの下方に位置し、被案内斜面１３６０ｃの下部領域が注出口本体１０２０の回転停止雄部１３１２の近傍に位置している。開封体１０５０の被案内斜面１３６０ｃは、注出口本体１０２０の案内斜面１３１０ｄに対向している。
開封体１０５０は、連通回転方向（平面視左回転）に回されることにより、その被案内斜面１３６０ｃが注出口本体１０２０の案内斜面１３１０ｄに接触して下方（第２の方向）に案内される。
被案内斜面１３６０ｃの始端部の近傍には、側面視略四角形状に凹むように回転停止雌部１３６２（開封体の回転規制係合部）が形成される。
この回転停止雌部１３６２は、上記した案内斜面１３１０ｄの終端部に形成された回転停止雄部１３１２と協働して作用する。この協働する態様の詳細については後述する。
基礎部１０６２における被案内斜面１３６０ｃの下部には、径方向の寸法の小さくなる段差としてフランジ部１３７０が全周に亘って形成される。
【手続補正２０】
【補正対象書類名】明細書
【補正対象項目名】０１１０
【補正方法】変更
【補正の内容】
【０１１０】
この実施の形態に係る切刃部１０６４の刃先端部１０７０は、左回転の始点である切裂き部１４２０から平面視左回転（反時計回り）の方向にいくほど、次第に上方、すなわち受動軸部１０５４側に向かうように緩やかに傾斜している。そして、刃先端部１０７０は、前述した平面視左回転の始点である切裂き部１４２０と、切裂き部１４２０より連続する刃傾斜部１４２２と刃傾斜部１４２２の平面視左回点の終点である刃終端部１４２４とを備える。
切裂き部１４２０は、刃先端部１０７０における最も下方に位置し、刃傾斜部１４２２は、切裂き部１４２０の位置から前述した平面視左回転の方向にいくほど次第に上方に向かうように緩やかに傾斜し、刃終端部１４２４は、最も上方に位置する。
切裂き部１４２０と終端部１４２４との間には、刃上下延在部１４２６が形成されている。
刃上下延在部１４２６は、切裂き部１４２０と終端部１４２４とを互いに接続するように略上下方向に延びる鉛直状である。
【手続補正２１】
【補正対象書類名】明細書
【補正対象項目名】０１１３
【補正方法】変更
【補正の内容】
【０１１３】
（起動体１０８０）
この実施の形態に係る注出口付き容器１０の備える起動体について、図４７〜５０に基づいて説明する。図４７は、この発明の第３の実施の形態に係る注出口付き容器が備える起動体を示す正面図である。図４８は、この発明の第３の実施の形態に係る注出口付き容器が備える起動体を示す図であり、（Ａ）が平面図、（Ｂ）が底面図である。図４９は、この発明の第３の実施の形態に係る注出口付き容器が備える起動体を示す図であり、（Ａ）が図４８（Ａ）のＸＬＩＸＡ−ＸＬＩＸＡ断面図、（Ｂ）が図４７のＸＬＩＸＢ−ＸＬＩＸＢ断面図である。図５０は、この発明の第３の実施の形態に係る注出口付き容器が備える起動体のタンパーエビデンスを示す斜視図である。
【手続補正２２】
【補正対象書類名】明細書
【補正対象項目名】０１２５
【補正方法】変更
【補正の内容】
【０１２５】
注出口本体１０２０の回転停止雄部１３１２の先端部に開封体１０５０に形成された左右方向延在部１３６０ａが突き当たるまで、注出口本体１０２０の貫通孔１０２６に開封体１０５０を挿し込むと、開封体１０５０の刃部１０５２が注出口本体１０２０の開封体収容部１０４４に完全に収容される。このとき、刃部１０５２の上面と開封体収容部１０４４の上壁とが接するか互いに近傍に位置し、且つ刃部１０５２の底面（すなわち、開封体１０５０の底面）と、開封体収容部１０４４の底面（すなわち、注出口本体１０２０の底面）とがほぼ同じ高さになる。また、このとき、開封体１０５０は、その受動軸部１０５４が、注出口本体１０２０の筒部１０２４の内部（すなわち、貫通孔１０２６の開封体収容部１０４４よりも上部）を延びる。
なお、平面視したとき、開封体１０５０の受動軸部１０５４の中心と、注出口本体１０２０の筒部１０２４の中心とは同心である。さらに、このとき、開封体１０５０の受動軸部１０５４の外面に突設された３つの羽根部１３９０の平面視左回転（反時計回り）で見て先に現れる面が、起動体１０８０の頂部１０９０から下方に延びるように形成された３つの羽根押し部１０８６それぞれの平面視左回転（反時計回り）で見て先に現れる端部に対向する（図５４参照）。
【手続補正２３】
【補正対象書類名】明細書
【補正対象項目名】０１２８
【補正方法】変更
【補正の内容】
【０１２８】
なお、上記した通り、第１の凸部１０３６は、貫通孔１０２６の外縁と所定の距離だけ離間して突設される。これにより、例えば、密封シート１０１４が熱溶着の際に変形して貫通孔１０２６の内部へと入り込んでしまうことを防止できる。したがって、密封シート１０１４に妨げられることなく、開封体１０５０を注出口本体１０２０の貫通孔１０２６へと適切に挿入することができ、且つスムーズに下方へと移動させることができる。
同様に、第２の凸部１０３８は、注出口本体１０２０の底面の外縁と所定の距離だけ離間して突設されるため、注出口本体１０２０の底面から側面へと密封シートが捲れ上がってしまうことなどを抑制することができる。
【手続補正２４】
【補正対象書類名】明細書
【補正対象項目名】０１３９
【補正方法】変更
【補正の内容】
【０１３９】
開封体１０５０は、初期状態において、その底面の高さが、注出口本体１０２０の底面の高さ（すなわち、貫通孔１０２６の内開口部１０３０の高さ）と同じまたはほぼ同じである。開封体１０５０は、この初期状態から、平面視左回転（反時計回り）させられることにより下方に移動していくと、その下端に形成された刃部１０５２が注出口本体１０２０の底面から回転しながら突き出てくる。このとき、刃部１０５２の下端縁に形成された切裂き部１４２０が、回転しながら円を描くように、注出口本体１０２０の底面に固着された密封シート１０１４を切り裂いていく。すなわち、図５７（Ｂ）（開封体１０５０が中心角１５０°左回転した状態の図）に示すように、切裂き部１４２０が密封シート１０１４を切裂き始端部１０１７から円弧を描くように切裂いていく。
【手続補正２５】
【補正対象書類名】明細書
【補正対象項目名】０１４３
【補正方法】変更
【補正の内容】
【０１４３】
起動体１０８０は、略円筒状であるため、頂部１０９０及び垂下部１０９２を平面視したとき、それらが略真円状である。そして、起動体１０８０は、その外面を把持され、頂部１０９０及び垂下部１０９２の中心並びに垂下部１０９２の幅方向の中央を軸方向に沿って延びる中心軸Ｃを仮想回転軸として、平面視左回転（反時計回り）させられることにより、軸方向に沿って上方（第１の方向）へと移動する。
開封体１０５０は、略円筒状であるため、受動軸部１０５４及び刃部１０５２を平面視したとき、それらが略真円状である。そして、開封体１０５０は、起動体１０８０の羽根押し部１０８６にその羽根部１３９０が押され、刃部１０５２及び受動軸部１０５４の中心並びに刃部１０５２及び受動軸部１０５４へ幅方向の中央に沿って延びる中心軸Ｃを仮想回転軸として、平面視左回転（反時計回り）させられることにより、軸方向に沿って下方（第２の方向）へと移動する。
起動体１０８０が初期状態から中心軸Ｃを仮想回転軸として平面視左回転（反時計回り）させられると、起動体１０８０の羽根押し部１０８６が開封体１０５０の羽根部１３９０を押し進め、開封体１０５０も初期状態から中心軸Ｃを仮想回転軸として平面視左回転（反時計回り）させられる。
開封体１０５０は、初期状態から中心軸Ｃを仮想回転軸として平面視で回転角３００°左回転（反時計回り）させられると、その回転停止雌部１３６２に注出口本体１０２０の回転停止雄部１３１２が係合し、中心軸Ｃを仮想回転軸とした左回転（および右回転）を停止させられる。
【手続補正２６】
【補正対象書類名】明細書
【補正対象項目名】０１４４
【補正方法】変更
【補正の内容】
【０１４４】
開封体１０５０の刃部１０５２の基礎部１０６２は、径方向の寸法がフランジ部１３７０のそれと同じでフランジ部１３７０の上方に延びる大径部１３５２と、径方向の寸法がフランジ部１３７０のそれよりもやや小さい小径部１３５４と、大径部１３５２と小径部１３５４の接続部に形成された段差１３６０とを有する。
前記段差１３６０は、フランジ部１３７０の近傍において、フランジ部１３７０と平行に（すなわち、周方向に沿って側面視左右方向に）延びる左右方向延在部１３６０ａと、左右方向延在部１３６０ａの一方の端部から上方にやや立ち上がる立上り部１３６０ｂと、立上り部１３６０ｂの上端部から側面視左肩上がりに傾斜し、周方向に沿って側面視左右方向に延びて基礎部１０６２の上端まで至る被案内斜面１３６０ｃと、左右方向延在部１３６０ａの他方の端部からやや右肩上がりに傾斜して上方へと延び、基礎部１０６２の上端まで至る上下方向延在部１３６０ｅとを有する。
被案内斜面１３６０ｃの上端部と、上下方向延在部１３６０ｅの上端部とは、周方向において離間している。すなわち、基礎部１０６２の上端部の一部は、大径部１３５２の上端部により構成される。大径部１３５２の上端部の周方向の一方の端部が被案内斜面１３６０ｃの上端部であり、他方の端部が上下方向延在部１３６０ｅの上端部である。回転停止雌部１３６２は、（基礎部１０６２の上端部の一部を構成する）大径部１３５２の上端部の周方向における略中央部に形成された側面視略四角形状の凹部である。
回転停止雌部１３６２は、左右方向延在部１３６０ａの（平面視）右側の近傍に形成されている。
切裂き部１４２０は、左右方向延在部１３６０ａの下方であって、回転停止雌部１３６２の（平面視）左側の近傍に形成されている。
【手続補正２７】
【補正対象書類名】明細書
【補正対象項目名】０１４５
【補正方法】変更
【補正の内容】
【０１４５】
注出口本体１０２０の貫通孔１０２６の下部を構成する開封体収容部１０４４は、上記した開封体１０５０の大径部に対応した径方向の寸法を有する開封体収容大径部１３０２と、上記した開封体１０５０の小径部に対応した径方向の寸法を有する開封体収容小径部１３０４と、開封体大径部１３０２と開封体小径部１３０４の接続部に形成された段差１３１０とを有する。
開封体収容大径部１３０２は、内開口部１０３０の上方に延び、開封体収容小径部１３０４は、開封体収容大径部１３０２の上方に延びる。
すなわち、開封体収容大径部１３０２の側壁は、開封体収容小径部１３０４の側壁よりも貫通孔１０２６の外径側に位置することになる。
前記段差は、貫通孔１０２６の壁面の周方向に沿って側面視左右方向に延びる左右方向延在部１３１０ａと、左右方向延在部１３１０ａの周方向における一方の端部（左端部）から貫通孔１０２６の壁面に沿って下方へと延びる上下方向延在部１３１０ｂと、上下方向延在部１３１０ｂの下端部から貫通孔１０２６の壁面の周方向に沿って側面視左方へと延びる下端部１３１０ｃと、下端部１３１０ｃの左端部から側面視左肩上がりに傾斜して貫通孔１０２６の壁面の周方向に延びる案内斜面１３１０ｄとを有する。
回転停止雄部１３１２は、前記段差１３１０の下端部の周方向における略中央部に形成された側面視四角形状の凸部である。回転停止雄部１３１２は、段差１３１０を構成する下端部１３１０ｃにおいて、下向きに突設された凸部である。
【手続補正２８】
【補正対象書類名】明細書
【補正対象項目名】０１５３
【補正方法】変更
【補正の内容】
【０１５３】
図６２は、この発明の第３の実施の形態に係る注出口付き容器が備える起動体を注出口本体から取り外した後、再び取り付けたときを示す図であり、（Ａ）が羽根押し部と羽根部の関係を示す模式図、（Ｂ）が高さ方向に沿った断面図である。ここで、羽根押部１０８６の下端部（先端部）は、その上端部（根元部）よりも幅寸法が小さく形成されている。したがって、起動体１０８０を初期状態から取り外して再び取り付けたとき、その羽根押し部１０８６が開封体１０５０の羽根部１３９０に接触しにくくなる。なお、上記したように、起動体１０８０に形成された３つの羽根部１３９０は、それぞれ、平面視したとき、左回転（反時計回り）で見て先に現れる面が突出する方向と受動軸部１０５４の外面の接線方向とのなす角度が、左回転で見て後に現れる面が突出する方向と受動軸部１０５４の外面の接線方向とのなす角度よりも小さくなるように形成される。また、上記したように、起動体１０８０に形成された３つの羽根押し部１０８６は、それぞれ、平面視左回転で見たとき、後に現れる端部の径方向の寸法が先に現れる端部のそれよりもやや大きく形成される。羽根部１３９０および羽根押し部１０８６は、このような形状を有することにより、起動体１０８０を取り付け終わる間際に仮に干渉し合ったとしても、互いに変形して力を逃がすことができる。
【国際調査報告】
2016199734.tif 000096
2016199734.tif 000097
2016199734.tif 000098
2016199734.tif 000099